(57)【特許請求の範囲】
【請求項１】
複数種類の図柄を変動表示させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起される遊技機において、
前記大当り表示結果が表示されるか否かの可能性を示唆する予告演出を前記図柄変動ゲーム中に前記表示手段に表示させる予告演出表示手段を備え、
前記予告演出は、
１回の図柄変動ゲームにおいて、図柄の変動表示開始を契機に１回と数えられる変動サイクルを予め決められた上限回数に達するまで、連続して実行し、前記変動サイクルの上限回数によって前記大当り表示結果が表示されるか否かの可能性が変化する第１連続予告演出と、
当該第１連続予告演出の変動サイクルの回数を予め示唆する連続回数報知演出と、
前記第１連続予告演出とは異なる演出内容で、１回の図柄変動ゲームにおいて、前記変動サイクルを複数回実行する第２連続予告演出を含み、
前記連続回数報知演出を実行させる場合、示唆する変動サイクルの回数に応じて選択されうる演出内容の選択率を異ならせて、連続回数報知演出の演出内容を決定する報知内容決定手段をさらに備え、
前記予告演出表示手段は、
第１連続予告演出が実行されている場合における変動サイクル中、少なくとも図柄が変動している間に、当該第１連続予告演出にて実行される変動サイクルの上限回数以下の回数を示唆する連続回数報知演出を実行させる一方、第２連続予告演出が実行されている場合において、前記連続回数報知演出を実行させないことを特徴とする遊技機。
【請求項２】
前記大当り表示結果が表示される場合、付与する大当り遊技の開放態様を決定し、決定した開放態様の大当り遊技を付与する大当り遊技付与手段を備え、
前記予告演出表示手段は、
前記大当り表示結果が表示される場合において、連続予告演出を実行させる場合、変動サイクルの上限回数と、付与する大当り遊技の開放態様の有利度を対応させることを特徴とする請求項１に記載の遊技機。
【請求項３】
遊技機全体を制御する主制御手段と、主制御手段が出力した制御信号に基づき、各種演出を制御する演出制御手段を備え、
前記主制御手段は、図柄変動ゲームの演出時間を特定する変動パターンを決定する変動パターン決定手段と、前記変動パターン決定手段が決定した変動パターンを指定する変動パターン指定手段を備え、
前記演出制御手段は、第１連続予告演出又は第２連続予告演出を実行させるか否かを判定する予告判定手段と、前記予告演出表示手段を備え、
前記予告演出表示手段は、前記予告判定手段が第１連続予告演出又は第２連続予告演出を実行させると判定した場合、前記変動パターン指定手段により指定された変動パターンに基づき、実行させると判定した第１連続予告演出又は第２連続予告演出の演出内容を決定し、当該演出内容で第１連続予告演出又は第２連続予告演出を実行させることを特徴とする請求項１又は請求項２に記載の遊技機。
【発明の詳細な説明】
【技術分野】
【０００１】
本発明は、１回の図柄変動ゲームにおいて、図柄の変動開始から図柄の変動停止までを１回とする変動サイクルを複数回、連続して実行可能な遊技機に関するものである。
【背景技術】
【０００２】
従来、遊技機の一種であるパチンコ遊技機では、遊技盤に配設した始動入賞口への遊技球の入球を契機に大当りか否かの大当り抽選を行い、その大当り抽選の抽選結果を複数列の図柄を変動させて表示する図柄変動ゲームを実行させることにより導出させている。図柄変動ゲームでは、最終的に確定停止表示された図柄が大当り図柄である場合、遊技者は大当りを認識し得るようになっている。
【０００３】
この種の図柄変動ゲームでは、遊技者の興趣を向上させるために、遊技者に対して「大当り」となる可能性を示唆する様々な演出を行っている。このような演出の一つとして１回の図柄変動ゲームにおいて、複数回の図柄変動ゲームが実行されているかのように演出を行う連続予告演出がある（例えば、特許文献１参照）。この連続予告演出では、１回の図柄変動ゲーム中に擬似的に実行される図柄変動ゲーム（以下、変動サイクルと示す場合がある）の回数が多いほど、「大当り」となる可能性、すなわち大当り期待度が高くなるように設定されているのが一般的である。そして、連続予告演出では、複数回の図柄変動ゲームが実行されているかのように演出を行うことから、１回の図柄変動ゲームの変動時間を冗長させないように演出内容を構成している。具体的に言えば、擬似的に実行される複数回の図柄変動ゲームのうち、最終回の図柄変動ゲームを除く他の図柄変動ゲームでは、リーチを形成させずにはずれ結果を導出し、最終回の図柄変動ゲームよりも変動時間を短く設定している（例えば、特許文献２，３参照）。リーチとは、例えば３列の図柄からなる図柄組み合わせを導出する場合、最初に導出される図柄と次に導出される図柄が同一となる状態をいう。
【先行技術文献】
【特許文献】
【０００４】
【特許文献１】特開２００５−２６１７１１号公報
【特許文献２】特開２００４−３２１６２２号公報
【特許文献３】特開２００３−３１０９３９号公報
【発明の概要】
【発明が解決しようとする課題】
【０００５】
ところで、１回の変動サイクルは、１回の図柄変動ゲームと見た目上殆ど変わらないため、どの変動サイクルから連続予告演出が開始されて、どの変動サイクルにて連続予告演出が終了するか遊技者にとって認識しにくかった。すなわち、どの変動サイクルにて図柄変動ゲームの表示結果が表示されるのかが分かり難く、どの変動サイクルにて連続予告演出による大当りへの期待を持っていいのか分からなくなってしまう虞があった。このため、例えば、連続予告演出がリーチ演出も行われずにはずれてしまった後、リーチ演出を伴う図柄変動ゲームが行われたとき、遊技者が、当該リーチ演出を伴う図柄変動ゲームで連続予告演出が続いているのか否か分からなかった場合、当該リーチ演出に対して期待を持っていいのか否か分からなかった。
【０００６】
このように連続予告演出が分かり難いと、変動サイクルが続いてもはずれとなる図柄変動ゲームが単に続いていると思われてしまったり、連続予告演出が期待できないと思われてしまったりするため、遊技者の興趣が低下する虞があった。このため、連続予告演出であっても、期待させる変動サイクルを遊技者に把握させる必要がある。
【０００７】
この発明は、このような従来技術に存在する問題点に着目してなされたものである。その目的は、連続予告演出中、いつまで変動サイクルが連続するか示唆することができる遊技機を提供することにある。
【課題を解決するための手段】
【０００８】
上記問題点を解決する遊技機は、複数種類の図柄を変動表示させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起される遊技機において、前記大当り表示結果が表示されるか否かの可能性を示唆する予告演出を前記図柄変動ゲーム中に前記表示手段に表示させる予告演出表示手段を備え、前記予告演出は、１回の図柄変動ゲームにおいて、図柄の変動表示開始を契機に１回と数えられる変動サイクルを予め決められた上限回数に達するまで、連続して実行し、前記変動サイクルの上限回数によって前記大当り表示結果が表示されるか否かの可能性が変化する第１連続予告演出と、当該第１連続予告演出の変動サイクルの回数を予め示唆する連続回数報知演出と、前記第１連続予告演出とは異なる演出内容で、１回の図柄変動ゲームにおいて、前記変動サイクルを複数回実行する第２連続予告演出を含み、前記連続回数報知演出を実行させる場合、示唆する変動サイクルの回数に応じて選択されうる演出内容の選択率を異ならせて、連続回数報知演出の演出内容を決定する報知内容決定手段をさらに備え、前記予告演出表示手段は、第１連続予告演出が実行されている場合における変動サイクル中、少なくとも図柄が変動している間に、当該第１連続予告演出にて実行される変動サイクルの上限回数以下の回数を示唆する連続回数報知演出を実行させる一方、第２連続予告演出が実行されている場合において、前記連続回数報知演出を実行させないことを要旨とする。
【０００９】
また、上記遊技機において、前記大当り表示結果が表示される場合、付与する大当り遊技の開放態様を決定し、決定した開放態様の大当り遊技を付与する大当り遊技付与手段を備え、前記予告演出表示手段は、前記大当り表示結果が表示される場合において、連続予告演出を実行させる場合、変動サイクルの上限回数と、付与する大当り遊技の開放態様の有利度を対応させるようにしてもよい。
【００１０】
また、上記遊技機において、遊技機全体を制御する主制御手段と、主制御手段が出力した制御信号に基づき、各種演出を制御する演出制御手段を備え、前記主制御手段は、図柄変動ゲームの演出時間を特定する変動パターンを決定する変動パターン決定手段と、前記変動パターン決定手段が決定した変動パターンを指定する変動パターン指定手段を備え、前記演出制御手段は、第１連続予告演出又は第２連続予告演出を実行させるか否かを判定する予告判定手段と、前記予告演出表示手段を備え、前記予告演出表示手段は、前記予告判定手段が第１連続予告演出又は第２連続予告演出を実行させると判定した場合、前記変動パターン指定手段により指定された変動パターンに基づき、実行させると判定した第１連続予告演出又は第２連続予告演出の演出内容を決定し、当該演出内容で第１連続予告演出又は第２連続予告演出を実行させるようにしてもよい。
【発明の効果】
【００１１】
本発明によれば、連続予告演出中、いつまで変動サイクルが連続するか示唆することができる。
【図面の簡単な説明】
【００１２】
【図１】パチンコ遊技機の機表側を示す正面図。
【図２】センター役物の拡大図。
【図３】パチンコ遊技機の制御構成を示すブロック図。
【図４】大当り遊技及び小当り遊技の種類を説明する説明図。
【図５】大当り遊技及び小当り遊技の種類を説明する説明図。
【図６】大当り遊技及び小当り遊技の種類を説明する説明図。
【図７】大当り遊技及び小当り遊技の種類を説明する説明図。
【図８】変動パターンを示す説明図。
【図９】特別図柄入力処理を示すフローチャート。
【図１０】特別図柄開始処理を示すフローチャート。
【図１１】特別図柄開始処理を示すフローチャート。
【図１２】特別図柄開始処理を示すフローチャート。
【図１３】（ａ）及び（ｂ）は、特別図柄の振り分けを示す説明図。
【図１４】（ａ）及び（ｂ）は、遊技状態、保留記憶数及び特別図柄変動処理フラグの値と、リーチ確率の関係を示す説明図。
【図１５】（ａ）〜（ｃ）は、大入賞口扉の開放及び閉鎖の実行態様を示すタイミングチャート。
【図１６】（ａ）及び（ｂ）は、大入賞口扉の開放及び閉鎖の実行態様を示すタイミングチャート。
【図１７】普通図柄入力処理を示すフローチャート。
【図１８】普通図柄開始処理を示すフローチャート。
【図１９】変動パターンと予告パターンの対応関係を示す説明図。
【図２０】（ａ）〜（ｃ）は、変動サイクルと演出実行パターンの対応関係を示す説明図。
【図２１】（ａ）〜（ｇ）は、ステップアップ予告演出が実行されるときの可変表示器Ｈ２の表示内容を示す画面遷移図。
【図２２】（ａ）〜（ｅ）は、ステップアップ予告演出が実行されるときの可変表示器Ｈ２の表示内容を示す画面遷移図。
【図２３】連続回数報知演出が実行されるときの可変表示器Ｈ２の背景画像の色変化を示すタイムチャート。
【発明を実施するための形態】
【００１３】
以下、遊技機の一種であるパチンコ遊技機（以下「パチンコ機」と示す）の一実施形態を図１〜図２３に基づいて説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を保護するための保護ガラスが装着されるガラス枠を備えた前枠１４と、上球皿１５がそれぞれ横開き状態で開閉可能に組み付けられている。前枠１４の前面側及び遊技盤１３の遊技領域１３ａには、発光体（ＬＥＤ、ランプなど）の発光（点灯（点滅））により、発光演出を実行する装飾ランプ１６が設けられている。外枠１１の下部には、各種音声を出力し、音声出力に基づく遊技演出を行うスピーカ１７が配置されている。中枠１２の下部には、下球皿１８及び発射装置１９が装着されている。そして、遊技者が発射装置１９を操作して、該発射装置１９を駆動させることにより、上球皿１５内の遊技球が遊技盤１３の遊技領域１３ａへ発射されるようになっている。また、遊技場にパチンコ機１０を設置するための遊技機設置設備（遊技島）５０の前面側中央には、パチンコ機１０で当選した大当りの回数等の各種情報を表示する大当り回数報知装置ＫＨが設置されている。
【００１４】
図２において、遊技盤１３の遊技領域１３ａの右下方には、７セグメント型の表示手段としての第１特図表示器Ｈ０と、７セグメント型の表示手段としての第２特図表示器Ｈ１が設けられている。また、遊技盤１３の遊技領域１３ａには、液晶ディスプレイ型の表示手段としての可変表示器Ｈ２が配設されている。また、遊技盤１３の遊技領域１３ａには、装飾部材としてのセンター役物２０が設けられている。第１特図表示器Ｈ０及び第２特図表示器Ｈ１では、複数種類の図柄を変動させて表示する図柄変動ゲームが行われる。可変表示器Ｈ２では、第１特図表示器Ｈ０又は第２特図表示器Ｈ１で行われる図柄変動ゲームに係わる表示演出が行われるようになっている。具体的には、可変表示器Ｈ２では、変動画像（又は画像表示）に基づく表示演出が行われるとともに、複数種類の図柄を複数列で変動させて図柄組み合わせを表示する図柄変動ゲーム（以下、図柄組み合わせゲームと示す場合がある）が行われる。
【００１５】
そして、図柄変動ゲームにおいて第１特図表示器Ｈ０又は第２特図表示器Ｈ１では、複数種類の特別図柄（以下、「特図」と示す場合がある）を１列で変動させて特図を表示する。この特図は、大当りか否かなどの内部抽選の結果を示す報知用の図柄である。以下、第１特図表示器Ｈ０で行われる図柄変動ゲームを「第１の変動ゲーム（第２図柄変動ゲーム）」と示し、第２特図表示器Ｈ１で行われる図柄変動ゲームを「第２の変動ゲーム（第１図柄変動ゲーム）」と示す場合がある。一方、図柄変動ゲームに係わる表示演出において可変表示器Ｈ２では、複数種類の飾り図柄（以下、「飾図」と示す場合がある）を複数列（本実施形態では３列）で変動させて各列毎に飾図を表示する。この飾図は、表示演出を多様化するために用いられる演出用の図柄である。
【００１６】
そして、第１特図表示器Ｈ０又は第２特図表示器Ｈ１では、図柄変動ゲームの開始により同時に図柄の変動表示が開始され、該ゲームの終了と同時に特図が確定停止表示される。また、可変表示器Ｈ２では、図柄変動ゲームの開始により同時に飾図の変動表示が開始され、該ゲーム終了前に飾図がゆれ変動状態で一旦停止表示され、該ゲームの終了と同時に各列の飾図が確定停止表示される。「変動表示」とは、図柄を表示する表示器に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、第１特図表示器Ｈ０と可変表示器Ｈ２では、同時に図柄変動ゲームと図柄変動ゲームに係わる表示演出が開始され、同時に終了する（すなわち、同時に特図と飾図が確定停止表示される）。同様に、第２特図表示器Ｈ１と可変表示器Ｈ２では、同時に図柄変動ゲームと図柄変動ゲームに係わる表示演出が開始され、同時に終了する（すなわち、同時に特図と飾図が確定停止表示される）。その一方、第１特図表示器Ｈ０と、第２特図表示器Ｈ１では、並行して図柄変動ゲームが行われることがない。すなわち、第１の変動ゲームと第２の変動ゲームのうち、どちらか一方のみが実行されるようになっている。
【００１７】
本実施形態において第１特図表示器Ｈ０及び第２特図表示器Ｈ１には、複数種類（本実施形態では１１１種類）の特図の中から、大当り抽選及び小当り抽選の抽選結果に対応する１つの特図が選択され、その選択された特図が図柄変動ゲームの終了によって個別に確定停止表示される。１１１種類の特図は、大当りを認識し得る図柄となる１００種類の大当り図柄（大当り表示結果に相当する）と、小当りを認識し得る図柄となる１０種類の小当り図柄（小当り表示結果に相当する）と、はずれを認識し得る図柄となる１種類のはずれ図柄とに分類される。なお、小当り抽選は、大当り抽選に当選しなかった場合に行うようになっている。また、大当り図柄が表示された場合、遊技者には、大当り遊技が付与される。また、小当り図柄が表示された場合、遊技者には、小当り遊技が付与される。本実施形態の大当り遊技及び小当り遊技については後で詳細に説明する。
【００１８】
また、本実施形態において可変表示器Ｈ２には、各列毎に［１］、［２］、［３］、［４］、［５］、［６］、［７］、［８］の８種類の数字が飾図として表示されるようになっている。そして、本実施形態において可変表示器Ｈ２は、第１特図表示器Ｈ０及び第２特図表示器Ｈ１に比較して大きい表示領域で構成されるとともに、飾図は特図に比較して遥かに大きく表示されるようになっている。このため、遊技者は、可変表示器Ｈ２に停止表示された図柄組み合わせから大当り又ははずれを認識できる。可変表示器Ｈ２に停止表示された全列の図柄が同一種類の場合には、その図柄組み合わせ（［２２２］［７７７］など）から大当り遊技が付与される大当りを認識できる。この大当りを認識できる図柄組み合わせが飾図による大当りの図柄組み合わせ（大当り表示結果）となる。大当りの図柄組み合わせが確定停止表示されると、遊技者には、図柄変動ゲームの終了後に大当り遊技が付与される。一方、可変表示器Ｈ２に確定停止表示された全列の図柄が異なる種類の場合、又は１列の図柄が他の２列の図柄とは異なる種類の場合には、原則として、その図柄組み合わせ（［１２３］［１２２］［７６７］など）からはずれを認識できる。このはずれを認識できる図柄組み合わせが飾図によるはずれの図柄組み合わせ（はずれ表示結果）となる。なお、はずれの図柄組み合わせの中でも所定の図柄組み合わせ（本実施形態では、［１２３］）が表示された場合には、小当り遊技又は大当り遊技のいずれかが付与されることを認識できる。この小当り遊技又は大当り遊技を認識できる図柄組み合わせが大当り判定の確率が低確率から高確率となる確率変動状態が付与される可能性を示唆する確変示唆の図柄組み合わせとなる。
【００１９】
また、本実施形態において、可変表示器Ｈ２における各列は、図柄変動ゲームが開始すると、予め定めた変動方向（縦スクロール方向）に沿って飾図が変動表示されるようになっている。そして、図柄変動ゲームが開始すると（各列の飾図が変動を開始すると）、可変表示器Ｈ２において遊技者側から見て左列（左図柄）→右列（右図柄）→中列（中図柄）の順に飾図が停止表示されるようになっている。そして、停止表示された左図柄と右図柄が同一種類の場合には、その図柄組み合わせ（［１↓１］など、「↓」は変動中を示す）からリーチ状態を認識できる。リーチ状態は、複数列のうち、特定列（本実施形態では左列と右列）の飾図が同一種類となって停止表示され、かつ前記特定列以外の列（本実施形態では中列）の飾図が変動表示されている状態である。このリーチ状態を認識できる図柄組み合わせが飾図によるリーチの図柄組み合わせとなる。また、本実施形態のパチンコ機１０では、図柄変動ゲームの開始後、最初に飾図を停止表示させる左列が第１停止表示列になるとともに、次に飾図を停止表示させる右列が第２停止表示列になり、さらに最後に飾図を停止表示させる中列が第３停止表示列となる。
【００２０】
また、可変表示器Ｈ２には、第１特図表示器Ｈ０及び第２特図表示器Ｈ１の表示結果に応じた図柄組み合わせが表示されるようになっている。より詳しくは、第１特図表示器Ｈ０又は第２特図表示器Ｈ１に表示される特図と、可変表示器Ｈ２に表示される飾図による図柄組み合わせが対応されており、図柄変動ゲームが終了すると、特図と飾図による図柄組み合わせが対応して確定停止表示されるようになっている。例えば、第１特図表示器Ｈ０又は第２特図表示器Ｈ１に大当り図柄が確定停止表示される場合には、原則として可変表示器Ｈ２にも［２２２］や［４４４］などの大当りの図柄組み合わせが確定停止表示されるようになっている。また、第１特図表示器Ｈ０又は第２特図表示領域Ｈ１にはずれ図柄が停止表示される場合には、可変表示器Ｈ２にも［１２１］や［３４５］などのはずれの図柄組み合わせが確定停止表示されるようになっている。また、第１特図表示器Ｈ０又は第２特図表示領域Ｈ１に小当り図柄が停止表示される場合には、可変表示器Ｈ２にも［１２３］の確変示唆の図柄組み合わせが確定停止表示されるようになっている。なお、特図に対する飾図の図柄組み合わせは一対一とは限らず、１つの特図に対して複数の飾図による図柄組み合わせの中から１つの飾図による図柄組み合わせが選択されるようになっている。以上のように、本実施形態の可変表示器Ｈ２では、第１の変動ゲーム及び第２の変動ゲームに係わる表示演出（３列の図柄を変動表示させて図柄の組み合わせを表示させる図柄変動ゲーム）が行われるようになっている。
【００２１】
また、遊技盤１３の右下方には、第１特図表示器Ｈ０及び第２特図表示器Ｈ１を挟むように、２つのＬＥＤから構成される普通図柄表示器Ｈ１０が配設されている。この普通図柄表示器Ｈ１０では、複数種類の普通図柄（以下、「普図」と示す場合がある）を変動させて１つの普図を導出する普通図柄による図柄組み合わせゲーム（以下、「普図ゲーム」と示す場合がある）が行われるようになっている。本実施形態では、普図を２つのＬＥＤの発光態様にて３種類示しており、具体的には、２つのＬＥＤが共に点灯する、右側ＬＥＤだけが点灯する、左側ＬＥＤだけが点灯することにより、複数種類の普図を示している。なお、以下では、説明の都合上、２つのＬＥＤが共に点灯することにより示す普図を普図「０」とし、右側ＬＥＤだけが点灯することにより示す普図を普図「１」とし、左側ＬＥＤだけが点灯することにより示す普図を普図「２」とする。
【００２２】
遊技者は、普図ゲームで最終的に表示された図柄組み合わせ（普図ゲームで導出された表示結果）から普通当り又ははずれを認識できる。普通図柄表示器Ｈ１０に表示された普図が「１」「２」の場合には、普通当りを認識できる。この普通当りを認識できる普図が普通当りの表示結果となる。普通当りの表示結果が表示された場合、遊技者には、普通当り遊技が付与される。また、普通図柄表示器Ｈ１０に表示された普図が「０」である場合には、その普図からはずれを認識できる。このはずれを認識できる普図がはずれの表示結果となる。
【００２３】
また、図２に示すように、センター役物２０の下方には、常時遊技球が入球可能な第１始動用入球口を有する第２始動手段としての第１始動入賞口２５が配設されている。第１始動入賞口２５の奥方には、入球した遊技球を検知する第１始動口センサＳＥ１（図３に示す）が設けられている。第１始動入賞口２５は、遊技球の入球を契機に、第１の変動ゲームの始動条件を付与し得る。また、第１始動入賞口２５の下方には、遊技球が入球可能な第２始動用入球口と、普通電動役物ソレノイドＳＯＬ２（図３に示す）の作動により開閉動作を行う開閉部材としての開閉羽根（普通電動役物）２６とを備えた第１始動手段としての第２始動入賞口２７が配設されている。図２では、開状態とされた開閉羽根２６を実線で示す。
【００２４】
第２始動入賞口２７の奥方には、入球した遊技球を検知する第２始動口センサＳＥ２（図３に示す）が設けられている。第２始動入賞口２７は、遊技球の入球を契機に、第２の変動ゲームの始動条件を付与し得る。第２始動入賞口２７の第２始動用入球口は、常には開閉羽根２６が閉状態とされて閉鎖されている。第２始動用入球口が閉鎖されている状態において第２始動入賞口２７は、入球不能な状態（入球が規制された状態）とされる。そして、第２始動用入球口は、予め定めた開放条件が成立すると、開閉羽根２６が閉状態から開状態に作動することにより、１回又は複数回だけ予め定めた開放時間の間、開放される。第２始動用入球口が開放されている状態において第２始動入賞口２７は、入球可能な状態（入球が許容された状態）とされる。第１始動入賞口２５と第２始動入賞口２７は、遊技盤１３の遊技領域１３ａに発射される遊技球の流下方向（上下方向）に沿って並設されており、本実施形態の遊技盤１３には始動条件を付与し得る始動条件装置（入賞検知手段）が複数設けられていることとなる。なお、本実施形態の第１始動入賞口２５及び第２始動入賞口２７は、遊技球の入球を契機に、３球の賞球を払い出させるようになっている。
【００２５】
また、図１に示すように、第２始動入賞口２７の下方には、大入賞口ソレノイドＳＯＬ１（図３に示す）の作動により開閉動作を行う大入賞口扉２８を備えた大入賞口装置２９（特別入賞口）が配設されている。大入賞口装置２９の奥方には、入球した遊技球を検知するカウントスイッチＳＥ３が設けられている。そして、大当り遊技又は小当り遊技が生起されると、大入賞口扉２８の開動作によって大入賞口装置２９が開放されて遊技球が入球可能となるため、遊技者は、多数の賞球が獲得できるチャンスを得ることができる。なお、本実施形態の大入賞口装置２９は、遊技球の入球を契機に、１５球の賞球を払い出させるようになっている。
【００２６】
また、図２に示すように、センター役物２０において左側下部には、第１保留表示器Ｒａが配設されている。第１保留表示器Ｒａは、第１始動入賞口２５に入球し、始動保留球となって機内部（ＲＡＭ３０ｃ）で記憶された始動保留球の記憶数（以下、「第１特図始動保留記憶数」と示す）を表示する表示器であり、第１保留表示器Ｒａの表示内容によって保留されている第１の変動ゲームの回数が報知される。
【００２７】
第１特図始動保留記憶数は、第１始動入賞口２５へ遊技球が入球すると１加算（＋１）され、第１の変動ゲームが開始されることにより１減算（−１）される。そして、第１の変動ゲーム（又は第２の変動ゲーム）中に第１始動入賞口２５へ遊技球が入球すると第１特図始動保留記憶数は更に加算（＋１）されて所定の上限数（本実施形態では４）まで累積される。そして、第１保留表示器Ｒａは、複数（４個）の発光手段で構成されている。例えば、１個の発光手段が点灯している場合には１回の第１の変動ゲームが保留中であることを報知している。従って、遊技者は、第１保留表示器Ｒａの表示内容を見て、保留されている第１の変動ゲームの回数が減ったときには、現在第１の変動ゲームが実行されていることを認識することができる。
【００２８】
また、図２に示すように、センター役物２０において右側下部には、第２保留表示器Ｒｂが配設されている。第２保留表示器Ｒｂは、第２始動入賞口２７に入球し、始動保留球となって機内部（ＲＡＭ３０ｃ）で記憶された始動保留球の記憶数（以下、「第２特図始動保留記憶数」と示す）を表示する表示器であり、第２保留表示器Ｒｂの表示内容によって保留されている第２の変動ゲームの回数が報知される。第２特図始動保留記憶数は、第２始動入賞口２７へ遊技球が入球すると１加算（＋１）され、第２の変動ゲームが開始されることにより１減算（−１）される。そして、第２の変動ゲーム（又は第１の変動ゲーム）中に第２始動入賞口２７へ遊技球が入球すると第２特図始動保留記憶数は更に加算（＋１）されて所定の上限数（本実施形態では４）まで累積される。そして、第２保留表示器Ｒｂは、複数（４個）の発光手段で構成されている。例えば、２個の発光手段が点灯している場合には２回の第２の変動ゲームが保留中であることを報知している。従って、遊技者は、第２保留表示器Ｒｂの表示内容を見て、保留されている第２の変動ゲームの回数が減ったときには、現在第２の変動ゲームが実行されていることを認識することができる。
【００２９】
また、センター役物２０の左方には、作動ゲート２３が配設されている。作動ゲート２３の奥方には、入賞（通過）した遊技球を検知するゲートセンサＳＥ４（図３に示す）が設けられている。作動ゲート２３は、遊技球の入賞検知（通過検知）を契機に、普図ゲームの始動条件を付与し得る。普図ゲームは、第２始動入賞口２７を開状態とするか否か（第２始動入賞口２７に遊技球を入賞可能とするか）の抽選結果を導出するために行われる演出である。第２始動入賞口２７は、開閉羽根２６により常には入り口が閉鎖された閉状態となっており、この閉状態では遊技球を入賞させることができない。その一方で、第２始動入賞口２７は、普図当り遊技が付与されると、開閉羽根２６が開放されることにより第２始動入賞口２７が開状態となり、遊技球を入賞させることができる。即ち、普図当り遊技が付与されると、開閉羽根２６の開放によって第２始動入賞口２７に遊技球を入賞させることができるため、第２始動入賞口２７に遊技球を入賞させやすくなり、遊技者は、第２の変動ゲームの始動条件と賞球を容易に獲得できるチャンスを得ることができる。なお、第１始動入賞口２５へは常に同じ条件で遊技球を入賞させることができるようになっている。
【００３０】
また、図２に示すように、普通図柄表示器Ｈ１０の上部には、普通図柄保留表示器Ｍが配設されている。普通図柄保留表示器Ｍは、作動ゲート２３を遊技球が通過し、始動保留球となって機内部（ＲＡＭ３０ｃ）で記憶された始動保留球の記憶数（以下、「普図始動保留記憶数」と示す）を表示する表示器であり、普通図柄保留表示器Ｍの表示内容によって保留されている普図ゲームの回数が報知される。
【００３１】
普図始動保留記憶数は、作動ゲート２３を遊技球が通過すると１加算（＋１）され、普図ゲームが開始されることにより１減算（−１）される。そして、普図ゲーム中に作動ゲート２３を遊技球が通過すると普図始動保留記憶数は更に加算（＋１）されて所定の上限数（本実施形態では４）まで累積される。そして、普通図柄保留表示器Ｍは、複数（４個）の発光手段で構成されている。１個の発光手段が点灯している場合には１回の普図ゲームが保留中であることを報知している。
【００３２】
また、本実施形態のパチンコ機１０は、大当り遊技終了後に遊技者に有利な特別遊技状態として確率変動（以下、「確変」と示す）機能を備えている。確変機能は、確定停止表示された大当り図柄（特図）の種類が予め定めた確変図柄であることを条件として、大当り遊技終了後に大当りの抽選確率（当選確率）を低確率（通常状態）である通常確率（本実施形態では４／１５４９）から高確率（本実施形態では４０／１５４９）に変動させる確変状態（確率変動状態）を付与する機能である。本実施形態では、大当り遊技終了後に確変状態が付与される大当りが確変大当りであり、確変状態が付与されない大当りが非確変大当りとなる。
【００３３】
また、確変状態は、予め定めた回数（本実施形態では１００００回）の図柄変動ゲームが行われる迄の間、又は前記回数に達する前に大当りが生起される迄の間、付与される。本実施形態では、予め定めた回数として１００００回を定めているため、確変状態は、実質的に次回の大当りが生起される迄の間付与されることと同等となっている。このように、確変状態が付与されると、大当りの抽選確率が高確率に変動して大当りが生起され易くなるため、確変状態は遊技者にとって有利であり、遊技者は確変大当りになることを期待しつつ遊技を行っている。
【００３４】
また、確変状態が付与されると、開閉羽根２６を開動作させるか否かの抽選結果を導出する普図ゲームの変動時間が短縮される、及び普図ゲームの普通当り確率が通常確率から高確率に変動する入球率向上状態が特典として付与される場合がある。この入球率向上状態において、開閉羽根２６は、普図ゲームにおいて当選した際、通常状態（非確変状態）である場合とは異なる動作パターンで開閉動作するようになっている。すなわち、通常状態時に普図ゲームに当選する場合には、開閉羽根２６が１回開放し、開放してから３００ｍｓ又は２５００ｍｓ経過するまで開放状態を維持するようになっている。その一方、入球率向上状態時に普図ゲームに当選する場合には、開閉羽根２６が３回開放するとともに、１回の開放において開放してから１１６０ｍｓが経過するまで開放状態を維持するようになっている。つまり、開閉羽根２６は、入球率向上状態が付与されている場合、通常状態が付与されている状態に比較して、合計開放時間が長く、遊技者にとって有利に動作するように設定されている。
【００３５】
なお、開放してから規定時間経過する前であっても、入球上限個数（例えば、９球）の遊技球が入球したときには、開閉羽根２６は閉鎖するようになっている。同様に、所定回数開放していなくても、入球上限個数（例えば、９球）の遊技球が入球したときには、開閉羽根２６は閉鎖するようになっている。また、本実施形態の入球率向上状態は、確変図柄（大当り遊技）の種類及び確変大当りとなる図柄変動ゲームがどのような遊技状態で行われたかによって付与されるか否かが決定される。
【００３６】
また、本実施形態のパチンコ機１０は、非確変状態となる大当り遊技終了後に遊技者に有利な特別遊技状態として変動時間短縮（以下、「時短」と示す）状態を付与する時短機能を備えている。時短状態が付与されると、開閉羽根２６を開動作させるか否かの抽選結果を導出する普図ゲームの変動時間が短縮される、及び普図ゲームの当り確率が通常確率から高確率に変動する入球率向上状態が特典として付与されるようなっている。入球率向上状態において、開閉羽根２６は、前述同様、普図ゲームにおいて当選した際、通常状態である場合と異なる動作パターンで開閉動作するようになっている。
【００３７】
すなわち、通常状態時に普図ゲームに当選する場合には、開閉羽根２６が１回開放し、開放してから３００ｍｓ又は２５００ｍｓ経過するまで開放状態を維持するようになっている。その一方で、入球率向上状態時に普図ゲームに当選する場合には、開閉羽根２６が３回開放するとともに、１回の開放において開放してから１１６０ｍｓが経過するまで開放状態を維持するようになっている。つまり、開閉羽根２６は、時短状態が付与されている場合、通常状態が付与されている状態に比較して、遊技者にとって有利に動作するように設定されている。また、時短状態は、予め定めた回数（本実施形態では１００回）の図柄変動ゲームが行われる迄の間、又は前記回数に達する前に大当りが生起される迄の間、付与される。本実施形態では、非確変大当りとなるとき、大当り遊技終了後、時短状態が付与されるようになっている。
【００３８】
次に、本実施形態のパチンコ機１０に規定する大当り遊技及び小当り遊技について、図４〜図７に基づき詳しく説明する。
大当り遊技は、図柄変動ゲームにて各表示器Ｈ０〜Ｈ２に大当り図柄（及び大当りの図柄組み合わせ）が停止表示されて該ゲームの終了後、開始される。大当り遊技が開始すると、最初に大当り遊技の開始を示すオープニング演出が行われる。オープニング演出終了後には、大入賞口装置２９（の大入賞口扉２８）が開放されるラウンド遊技が予め定めた規定ラウンド数を上限（本実施形態では１５ラウンド又は２ラウンド）として複数回行われる。１回のラウンド遊技は、大入賞口装置２９の大入賞口扉２８の開閉が所定回数行われるまでであり、１回のラウンド遊技中に大入賞口装置２９は、規定個数（入球上限個数）の遊技球が入賞するまでの間、又は規定時間（ラウンド遊技時間）が経過するまでの間、開放される。また、ラウンド遊技では、ラウンド演出が行われる。そして、大当り遊技の終了を示すエンディング演出が行われ、大当り遊技は終了される。なお、本実施形態では、２ラウンドの大当り遊技が、第１大当り遊技となり、１５ラウンドの大当り遊技が、第２大当り遊技となる。
【００３９】
そして、本実施形態のパチンコ機１０では、大当り抽選に当選した場合、図４〜図７に示す８種類の大当り遊技の中から１つの大当り遊技が決定され、その決定された大当り遊技が付与されるようになっている。そして、８種類の大当り遊技のうち、何れの大当り遊技が付与されるかは、大当り抽選に当選した際に決定する特別図柄（大当り図柄）の種類に応じて決定されるようになっている。本実施形態において第１特図表示器Ｈ０に表示される１００種類の特別図柄の大当り図柄は、図４、図５に示すように、図柄Ａ、図柄Ｂ、図柄Ｃ、図柄Ｄ、図柄Ｆ、図柄Ｇ及び図柄Ｈの７つのグループに分類される。
【００４０】
そして、図柄Ａには第１特図表示器Ｈ０に表示される大当り図柄のうち１０種類の大当り図柄が振り分けられている。同様に、図柄Ｂには第１特図表示器Ｈ０に表示される大当り図柄のうち２種類の大当り図柄が振り分けられている。図柄Ｃには第１特図表示器Ｈ０に表示される大当り図柄のうち３種類の大当り図柄が振り分けられている。図柄Ｄには第１特図表示器Ｈ０に表示される大当り図柄のうち１８種類の大当り図柄が振り分けられている。図柄Ｆには第１特図表示器Ｈ０に表示される大当り図柄のうち１０種類の大当り図柄が振り分けられている。図柄Ｇには第１特図表示器Ｈ０に表示される大当り図柄のうち３２種類の大当り図柄が振り分けられている。図柄Ｈには第１特図表示器Ｈ０に表示される大当り図柄のうち２５種類の大当り図柄が振り分けられている。また、図５に示す図柄Ｉには、小当り遊技に対応する１０種類の特別図柄（小当り図柄）が振分けられている。
【００４１】
また、本実施形態において第２特図表示器Ｈ１に表示される１００種類の特別図柄の大当り図柄は、図６，図７に示すように、図柄ａ〜図柄ｅ及び図柄ｈの６つのグループに分類される。そして、図柄ａには第２特図表示器Ｈ１に表示される大当り図柄のうち４０種類の大当り図柄が振り分けられている。同様に、図柄ｂには第２特図表示器Ｈ１に表示される大当り図柄のうち７種類の大当り図柄が振り分けられている。図柄ｃには第２特図表示器Ｈ１に表示される大当り図柄のうち１３種類の大当り図柄が振り分けられている。図柄ｄには第２特図表示器Ｈ１に表示される大当り図柄のうち１２種類の大当り図柄が振り分けられている。図柄ｅには第２特図表示器Ｈ１に表示される大当り図柄のうち３種類の大当り図柄が振り分けられている。図柄ｈには第２特図表示器Ｈ１に表示される大当り図柄のうち２５種類の大当り図柄が振り分けられている。また、図７に示す図柄ｉには、小当り遊技に対応する１０種類の特別図柄（小当り図柄）が振分けられている。
【００４２】
図柄Ａに分類される大当り図柄が第１特図表示器Ｈ０に表示されたとき、又は図柄ａに分類される大当り図柄が第２特図表示器Ｈ１に表示されたときに付与される大当り遊技は、規定ラウンド数が「１５回」に設定されているとともに、大当り遊技終了後に確変状態を付与する１５ラウンド大当り遊技である。以下、図柄Ａに分類される大当り図柄が第１特図表示器Ｈ０に表示されたとき、又は図柄ａに分類される大当り図柄が第２特図表示器Ｈ１に表示されたときに付与される大当り遊技を「１５Ｒ特別確変大当り遊技」と示す。１５Ｒ特別確変大当り遊技では、１回のラウンド遊技の入球上限個数（規定個数）が「９球」に設定されている。また、１５Ｒ特別確変大当り遊技における１５回のラウンド遊技では、各ラウンド遊技において大入賞口装置２９の大入賞口扉２８を「１回」開放させるように設定されている。また、１５Ｒ特別確変大当り遊技では、大当り抽選の当選時における遊技状態に関係なく、大当り遊技終了後に確変状態と、その確変状態の終了時まで入球率向上状態が付与されるようになっている。なお、図４〜図７では、確変状態が付与されてから１００００回の図柄変動ゲームの終了時まで入球率向上状態が付与される場合を「リミットなし」と表記している。
【００４３】
また、１５Ｒ特別確変大当り遊技では、オープニング時間として「５．５（秒）」が、１回のラウンド遊技のラウンド遊技時間（規定時間）として「２５（秒）」が、エンディング時間として「５．５６８（秒）」がそれぞれ設定されている。各ラウンド遊技は、入球上限個数分の遊技球が入球することにより終了する場合もある。このため、１５Ｒ特別確変大当り遊技において、１回のラウンド遊技のラウンド遊技時間である「２５（秒）」は最大時間となる。なお、図４〜図７には図示しないが、１５Ｒ特別確変大当り遊技における各ラウンド間のインターバル時間（ラウンド間インターバル）は、「２．０（秒）」に設定されている。
【００４４】
図柄Ｂに分類される大当り図柄が第１特図表示器Ｈ０に表示されたとき、又は図柄ｂに分類される大当り図柄が第２特図表示器Ｈ１に表示されたときに付与される大当り遊技は、規定ラウンド数が「１５回」に設定されている。また、当該大当り遊技は、大当り遊技終了後に確変状態が付与され、最初のラウンド遊技における大入賞口装置２９の開放態様を、１５Ｒ特別確変大当り遊技の開放態様と異ならせた１５ラウンド大当り遊技である。以下、図柄Ｂに分類される大当り図柄が第１特図表示器Ｈ０に表示されたとき、又は図柄ｂに分類される大当り図柄が第２特図表示器Ｈ１に表示されたときに付与される大当り遊技を「ジャンプアップ大当り遊技」と示す。ジャンプアップ大当り遊技では、１回のラウンド遊技の入球上限個数（規定個数）が「９球」に設定されている。また、ジャンプアップ大当り遊技では、１ラウンド目のラウンド遊技において大入賞口装置２９の大入賞口扉２８を複数回（本実施形態では３回）開放させるとともに、２ラウンド目からのラウンド遊技において大入賞口装置２９の大入賞口扉２８を「１回」開放させるように設定されている。また、ジャンプアップ大当り遊技では、大当り抽選の当選時における遊技状態に関係なく、大当り遊技終了後に確変状態と、その確変状態の終了時まで入球率向上状態が付与されるようになっている。
【００４５】
また、ジャンプアップ大当り遊技では、オープニング時間として「０．００４（秒）」が、エンディング時間として「５．５６８（秒）」がそれぞれ設定されている。そして、ジャンプアップ大当り遊技において１ラウンド目の大入賞口装置２９（の大入賞口扉２８）の開放態様として、開放１回目と開放２回目の開放時間が「０．３２（秒）」に、開放３回目の開放時間が「２４．３６（秒）」に、それぞれ設定されている。また、開放１回目と開放２回目の間にはインターバル時間として「２．０（秒）」が、開放２回目と開放３回目の間にはインターバル時間として「２．９２（秒）」が、それぞれ設定されている。これにより、ジャンプアップ大当り遊技の１ラウンド目のラウンド遊技時間は、「０．３２（秒）＋２．０（秒）＋０．３２（秒）＋２．９２（秒）＋２４．３６（秒）」からなる「２９．９２（秒）」に設定されていることになる。
【００４６】
その一方で、ジャンプアップ大当り遊技において２ラウンド目〜１５ラウンド目では、大入賞口装置２９（の大入賞口扉２８）の開放回数がそれぞれ「１回」とされ、ラウンド遊技時間として「２５（秒）」がそれぞれ設定されている。２ラウンド目〜１５ラウンド目の各ラウンド遊技時間（２５（秒））は、１ラウンド目の大入賞口装置２９の合計開放時間（０．３２（秒）＋０．３２（秒）＋２４．３６（秒）＝２５（秒））と同一時間に設定されている。各ラウンド遊技のラウンド遊技時間は、各ラウンド遊技が入球上限個数分の遊技球が入球することにより終了する場合もあることから、それぞれ最大時間となる。なお、図４〜図７には図示しないが、ジャンプアップ大当り遊技における各ラウンド間のインターバル時間は、「２．０（秒）」に設定されている。
【００４７】
図柄Ｃに分類される大当り図柄が第１特図表示器Ｈ０に表示されたとき、又は図柄ｃに分類される大当り図柄が第２特図表示器Ｈ１に表示されたときに付与される大当り遊技は、規定ラウンド数が「１５回」に設定されている。また、当該大当り遊技は、大当り遊技終了後に確変状態が付与され、１１ラウンド目のラウンド遊技における大入賞口装置２９の開放態様を、１５Ｒ特別確変大当り遊技の開放態様と異ならせた１５ラウンド大当り遊技である。以下、図柄Ｃに分類される大当り図柄が第１特図表示器Ｈ０に表示されたとき、又は図柄ｃに分類される大当り図柄が第２特図表示器Ｈ１に表示されたときに付与される大当り遊技を「ステップアップ大当り遊技」と示す。ステップアップ大当り遊技では、１回のラウンド遊技の入球上限個数（規定個数）が「９球」に設定されている。また、ステップアップ大当り遊技では、１１ラウンド目のラウンド遊技において大入賞口装置２９の大入賞口扉２８を複数回（本実施形態では６回）開放させるとともに、１１ラウンド目以外のラウンド遊技において大入賞口装置２９の大入賞口扉２８を「１回」開放させるように設定されている。また、ステップアップ大当り遊技では、大当り抽選の当選時における遊技状態に関係なく、大当り遊技終了後に確変状態と、その確変状態の終了時まで入球率向上状態が付与されるようになっている。
【００４８】
また、ステップアップ大当り遊技では、オープニング時間として「５．５（秒）」が、エンディング時間として「５．５６８（秒）」がそれぞれ設定されている。そして、ステップアップ大当り遊技において１１ラウンド目の大入賞口装置２９（の大入賞口扉２８）の開放態様として、開放１回目〜開放５回目の開放時間が「０．３２（秒）」に、開放６回目の開放時間が「２３．４（秒）」に、それぞれ設定されている。また、開放１回目〜開放５回目の開放後には、インターバル時間として「２．０（秒）」が、それぞれ設定されている。これにより、ステップアップ大当り遊技の１１ラウンド目のラウンド遊技時間は、「（０．３２（秒）＋２．０（秒））×５＋２３．４（秒）」からなる「３５（秒）」に設定されていることになる。
【００４９】
その一方で、ステップアップ大当り遊技において１１ラウンド目以外のラウンド遊技では、大入賞口装置２９（の大入賞口扉２８）の開放回数がそれぞれ「１回」とされ、ラウンド遊技時間として「２５（秒）」がそれぞれ設定されている。１１ラウンド目以外のラウンド遊技の各ラウンド遊技時間（２５（秒））は、１１ラウンド目の大入賞口装置２９の合計開放時間（（０．３２（秒））×５＋２３．４（秒）＝２５（秒））と同一時間に設定されている。各ラウンド遊技のラウンド遊技時間は、各ラウンド遊技が入球上限個数分の遊技球が入球することにより終了する場合もあることから、それぞれ最大時間となる。なお、図４〜図７には図示しないが、ステップアップ大当り遊技における各ラウンド間のインターバル時間は、「２．０（秒）」に設定されている。
【００５０】
図柄Ｄに分類される大当り図柄が第１特図表示器Ｈ０に表示されたとき、又は図柄ｄに分類される大当り図柄が第２特図表示器Ｈ１に表示されたときに付与される大当り遊技は、規定ラウンド数が「１５回」に設定されている。また、当該大当り遊技は、大当り遊技終了後に確変状態が付与され、１１ラウンド〜１５ラウンド目のラウンド遊技における大入賞口装置２９の開放態様を、１５Ｒ特別確変大当り遊技の開放態様と異ならせた１５ラウンド大当り遊技である。以下、図柄Ｄに分類される大当り図柄が第１特図表示器Ｈ０に表示されたとき、又は図柄ｄに分類される大当り図柄が第２特図表示器Ｈ１に表示されたときに付与される大当り遊技を「１５Ｒ通常確変大当り遊技」と示す。１５Ｒ通常確変大当り遊技では、１回のラウンド遊技の入球上限個数（規定個数）が「９球」に設定されている。また、１５Ｒ通常確変大当り遊技では、各ラウンド遊技において大入賞口装置２９の大入賞口扉２８を「１回」開放させるように設定されている。また、１５Ｒ通常確変大当り遊技では、大当り抽選の当選時における遊技状態に関係なく、大当り遊技終了後に確変状態と、その確変状態の終了時まで入球率向上状態が付与されるようになっている。
【００５１】
また、１５Ｒ通常確変大当り遊技では、オープニング時間として「５．５（秒）」が、エンディング時間として「５．５６８（秒）」がそれぞれ設定されている。そして、１５Ｒ通常確変大当り遊技において１１ラウンド目〜１５ラウンド目のラウンド遊技では、大入賞口装置２９（の大入賞口扉２８）の開放回数がそれぞれ「１回」とされ、ラウンド遊技時間として「０．３２（秒）」がそれぞれ設定されている。その一方で、ステップアップ大当り遊技において１ラウンド目〜１０ラウンド目のラウンド遊技では、大入賞口装置２９（の大入賞口扉２８）の開放回数がそれぞれ「１回」とされ、ラウンド遊技時間として「２５（秒）」がそれぞれ設定されている。これにより、１５Ｒ通常確変大当り遊技において、１１ラウンド目で大入賞口扉２８が開放してから１５ラウンド目で大入賞口扉２８が閉鎖するまでの時間（「１１．６（秒）」）は、ステップアップ大当り遊技の１１ラウンド目において大入賞口扉２８が５回目の開放を終了するまでの時間と同一時間とされる。
【００５２】
なお、各ラウンド遊技のラウンド遊技時間は、各ラウンド遊技が入球上限個数分の遊技球が入球することにより終了する場合もあることから、それぞれ最大時間となる。しかしながら、１１ラウンド目以降のラウンド遊技時間（０．３２（秒））は、１回のラウンド遊技において、大入賞口装置２９に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、１５Ｒ通常確変大当り遊技の１１ラウンド目〜１５ラウンド目のラウンド遊技において、ラウンド遊技時間（０．３２（秒））内に、入球上限個数となる「９球」の遊技球を発射して、入球させるのは実質的に無理である。なお、図４〜図７には図示しないが、１５Ｒ通常確変大当り遊技における各ラウンド間のインターバル時間は、「２．０（秒）」に設定されている。
【００５３】
図柄ｅに分類される大当り図柄が第２特図表示器Ｈ１に表示されたときに付与される大当り遊技は、規定ラウンド数が「１５回」に設定されている。また、当該大当り遊技は、大当り遊技終了後に確変状態が付与され、１１ラウンド〜１５ラウンド目のラウンド遊技における大入賞口装置２９の開放態様を、１５Ｒ特別確変大当り遊技の開放態様と異ならせた１５ラウンド大当り遊技である。また、図柄ｅに分類される大当り図柄が第２特図表示器Ｈ１に表示されたときに付与される大当り遊技では、大当り抽選の当選時における遊技状態に関係なく、大当り遊技終了後に確変状態が付与される。また、図柄ｅに分類される大当り図柄が第２特図表示器Ｈ１に表示されたときに付与される大当り遊技では、大当り遊技終了時から予め決められた回数（本実施形態では１００回）の図柄変動ゲームが終了するまで入球率向上状態が付与されるようになっている。以下、図柄ｅに分類される大当り図柄が第１特図表示器Ｈ０に表示されたときに付与される大当り遊技を「１５Ｒ確変秘匿大当り遊技」と示す。１５Ｒ確変秘匿大当り遊技では、１回のラウンド遊技の入球上限個数（規定個数）が「９球」に設定されている。また、１５Ｒ確変秘匿大当り遊技では、各ラウンド遊技において大入賞口装置２９の大入賞口扉２８を「１回」開放させるように設定されている。
【００５４】
また、１５Ｒ確変秘匿大当り遊技では、オープニング時間として「５．５（秒）」が、エンディング時間として「５．５６８（秒）」がそれぞれ設定されている。そして、１５Ｒ確変秘匿大当り遊技において１１ラウンド目〜１５ラウンド目のラウンド遊技では、大入賞口装置２９（の大入賞口扉２８）の開放回数がそれぞれ「１回」とされ、ラウンド遊技時間として「０．３２（秒）」がそれぞれ設定されている。その一方で、１５Ｒ確変秘匿大当り遊技において１ラウンド目〜１０ラウンド目のラウンド遊技では、大入賞口装置２９（の大入賞口扉２８）の開放回数がそれぞれ「１回」とされ、ラウンド遊技時間として「２５（秒）」がそれぞれ設定されている。
【００５５】
これにより、１５Ｒ確変秘匿大当り遊技において、１１ラウンド目で大入賞口扉２８が開放してから１５ラウンド目で大入賞口扉２８が閉鎖するまでの時間（「１１．６（秒）」）は、ステップアップ大当り遊技の１１ラウンド目において大入賞口扉２８が５回目の開放を終了するまでの時間と同一時間とされる。また、１５Ｒ確変秘匿大当り遊技において、各ラウンド遊技の大入賞口装置２９の大入賞口扉２８の開放態様は、１５Ｒ通常確変大当り遊技と同じとなっている。
【００５６】
なお、各ラウンド遊技のラウンド遊技時間は、各ラウンド遊技が入球上限個数分の遊技球が入球することにより終了する場合もあることから、それぞれ最大時間となる。しかしながら、１１ラウンド目以降のラウンド遊技時間（０．３２（秒））は、１回のラウンド遊技において、大入賞口装置２９に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、１５Ｒ確変秘匿大当り遊技の１１ラウンド目〜１５ラウンド目のラウンド遊技において、ラウンド遊技時間（０．３２（秒））内に、入球上限個数となる「９球」の遊技球を発射して、入球させるのは実質的に無理である。なお、図４〜図７には図示しないが、１５確変秘匿大当り遊技における各ラウンド間のインターバル時間は、「２．０（秒）」に設定されている。
【００５７】
図柄Ｆに分類される大当り図柄が第１特図表示器Ｈ０に表示されたときに付与される大当り遊技は、規定ラウンド数が「２回」に設定されているとともに、大当り遊技終了後に確変状態が付与される２ラウンド大当り遊技である。以下、図柄Ｆに分類される大当り図柄が第１特図表示器Ｈ０に表示されたときに付与される大当り遊技を「２Ｒ通常確変大当り遊技」と示す。２Ｒ通常確変大当り遊技では、１回のラウンド遊技の入球上限個数（規定個数）が「９球」に設定されている。また、２Ｒ通常確変大当り遊技における２回のラウンド遊技では、各ラウンド遊技において大入賞口装置２９（の大入賞口扉２８）をそれぞれ「１回」ずつ開放させるように設定されている。また、２Ｒ確変大当り遊技では、大当り抽選の当選時における遊技状態に係わらず、大当り遊技終了後に確変状態及び入球率向上状態が付与されるようになっている。
【００５８】
また、２Ｒ通常確変大当り遊技では、オープニング時間として「０．００４（秒）」が、１回のラウンド遊技のラウンド遊技時間として「０．３２（秒）」が、エンディング時間として「０．９２４（秒）」がそれぞれ設定されている。つまり、２Ｒ通常確変大当り遊技におけるオープニング時間及びラウンド遊技時間は、ジャンプアップ大当り遊技のオープニング時間、及び１ラウンド目における１回目と２回目の大入賞口装置２９（の大入賞口扉２８）の開放時間と同一時間に設定されている。また、図４〜図７には図示しないが、２Ｒ通常確変大当り遊技における各ラウンド間のインターバル時間は、「２．０（秒）」に設定されている。これにより、２Ｒ通常確変大当り遊技において、１ラウンド目で大入賞口扉２８が開放してから２ラウンド目で大入賞口扉２８が閉鎖するまでの時間（「２．６４（秒）」）は、ジャンプアップ大当り遊技の１ラウンド目において大入賞口扉２８が２回目の開放を終了するまでの時間と同一時間とされる。
【００５９】
なお、各ラウンド遊技のラウンド遊技時間は、各ラウンド遊技が入球上限個数分の遊技球が入球することにより終了する場合もあることから、それぞれ最大時間となる。しかしながら、２Ｒ通常確変大当り遊技のラウンド遊技時間（０．３２（秒））は、１回のラウンド遊技において、大入賞口装置２９に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、２Ｒ通常確変大当り遊技の各ラウンド遊技において、ラウンド遊技時間（０．３２（秒））内に、入球上限個数となる「９球」の遊技球を発射して、入球させるのは実質的に無理である。
【００６０】
図柄Ｇに分類される大当り図柄が第１特図表示器Ｈ０に表示されたときに付与される大当り遊技は、規定ラウンド数が「２回」に設定されているとともに、大当り遊技終了後に確変状態が付与される２ラウンド大当り遊技である。以下、図柄Ｇに分類される大当り図柄が第１特図表示器Ｈ０に表示されたときに付与される大当り遊技を「２Ｒ特別確変大当り遊技」と示す。２Ｒ特別確変大当り遊技では、１回のラウンド遊技の入球上限個数（規定個数）が「９球」に設定されている。また、２Ｒ特別確変大当り遊技における２回のラウンド遊技では、各ラウンド遊技において大入賞口装置２９（の大入賞口扉２８）をそれぞれ「１回」ずつ開放させるように設定されている。また、２Ｒ特別確変大当り遊技では、大当り抽選の当選時における遊技状態に応じて、大当り遊技終了後に確変状態及び入球率向上状態が付与される場合と、大当り遊技終了後に確変状態のみが付与される場合とがある。具体的には、大当り抽選の当選時において、確変状態が付与されていれば、大当り遊技終了後に確変状態及び入球率向上状態が付与される。また、大当り抽選の当選時において、確変状態が付与されていなくても入球率向上状態が付与されていれば、大当り遊技終了後に確変状態及び入球率向上状態が付与される。その一方、大当り抽選の当選時において、確変状態及び入球率向上状態が付与されていなければ、大当り遊技終了後に確変状態は付与されるが、入球率向上状態は付与されない。
【００６１】
また、２Ｒ特別確変大当り遊技では、オープニング時間として「０．００４（秒）」が、１回のラウンド遊技のラウンド遊技時間として「０．３２（秒）」が、エンディング時間として「０．９２４（秒）」がそれぞれ設定されている。つまり、２Ｒ特別確変大当り遊技におけるオープニング時間及びラウンド遊技時間は、ジャンプアップ大当り遊技のオープニング時間、及び１ラウンド目における１回目と２回目の大入賞口装置２９（の大入賞口扉２８）の開放時間と同一時間に設定されている。また、図４〜図７には図示しないが、２Ｒ特別確変大当り遊技における各ラウンド間のインターバル時間は、「２．０（秒）」に設定されている。これにより、２Ｒ特別確変大当り遊技において、１ラウンド目で大入賞口扉２８が開放してから２ラウンド目で大入賞口扉２８が閉鎖するまでの時間（「２．６４（秒）」）は、ジャンプアップ大当り遊技の１ラウンド目において大入賞口扉２８が２回目の開放を終了するまでの時間と同一時間とされる。また、２Ｒ特別確変大当り遊技における大入賞口装置２９の大入賞口扉２８の開放態様は、２Ｒ通常確変大当り遊技における開放態様と同一となっている。
【００６２】
なお、各ラウンド遊技のラウンド遊技時間は、各ラウンド遊技が入球上限個数分の遊技球が入球することにより終了する場合もあることから、それぞれ最大時間となる。しかしながら、２Ｒ特別確変大当り遊技のラウンド遊技時間（０．３２（秒））は、１回のラウンド遊技において、大入賞口装置２９に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、２Ｒ特別確変大当り遊技の各ラウンド遊技において、ラウンド遊技時間（０．３２（秒））内に、入球上限個数となる「９球」の遊技球を発射して、入球させるのは実質的に無理である。
【００６３】
図柄Ｈに分類される大当り図柄が第１特図表示器Ｈ０に表示されたとき、又は図柄ｈに分類される大当り図柄が第２特図表示器Ｈ１に表示されたときに付与される大当り遊技は、規定ラウンド数が「１５回」に設定されているとともに、大当り遊技終了後に確変状態を付与しない（非確変状態を付与する）１５ラウンド大当り遊技である。以下、図柄Ｈに分類される大当り図柄が第１特図表示器Ｈ０に表示されたとき、又は図柄ｈに分類される大当り図柄が第２特図表示器Ｈ１に表示されたときに付与される大当り遊技を「１５Ｒ通常非確変大当り遊技」と示す。１５Ｒ通常非確変大当り遊技では、１１ラウンド〜１５ラウンド目のラウンド遊技における大入賞口装置２９の開放態様を、１５Ｒ特別確変大当り遊技の開放態様と異ならせている。また、１５Ｒ通常非確変大当り遊技では、１回のラウンド遊技の入球上限個数（規定個数）が「９球」に設定されている。また、１５Ｒ通常非確変大当り遊技における１５回のラウンド遊技では、各ラウンド遊技において大入賞口装置２９（の大入賞口扉２８）を「１回」開放させるように設定されている。また、１５Ｒ通常非確変大当り遊技では、大当り抽選の当選時における遊技状態に関係なく、大当り遊技終了後には確変状態が付与されずに、予め定めた回数（本実施形態では１００回）を上限回数として時短状態が付与されるようになっている。
【００６４】
また、１５Ｒ通常非確変大当り遊技では、オープニング時間として「５．５（秒）」が、エンディング時間として「５．５６８（秒）」がそれぞれ設定されている。そして、１５Ｒ通常非確変大当り遊技において１１ラウンド目〜１５ラウンド目のラウンド遊技では、大入賞口装置２９（の大入賞口扉２８）の開放回数がそれぞれ「１回」とされ、ラウンド遊技時間として「０．３２（秒）」がそれぞれ設定されている。その一方で、１５Ｒ通常非確変大当り遊技において１ラウンド目〜１０ラウンド目のラウンド遊技では、大入賞口装置２９（の大入賞口扉２８）の開放回数がそれぞれ「１回」とされ、ラウンド遊技時間として「２５（秒）」がそれぞれ設定されている。
【００６５】
これにより、１５Ｒ通常非確変大当り遊技において、１１ラウンド目で大入賞口扉２８が開放してから１５ラウンド目で大入賞口扉２８が閉鎖するまでの時間（「１１．６（秒）」）は、ステップアップ大当り遊技の１１ラウンド目において大入賞口扉２８が５回目の開放を終了するまでの時間と同一時間とされる。また、１５Ｒ通常非確変大当り遊技において、各ラウンド遊技の大入賞口装置２９の大入賞口扉２８の開放態様は、１５Ｒ通常確変大当り遊技と同じとなっている。また、１５Ｒ通常非確変大当り遊技における各ラウンド遊技の大入賞口装置２９の大入賞口扉２８の開放態様、及び入球率向上状態が付与される図柄変動ゲームの回数は、１５Ｒ確変秘匿大当り遊技と同じとなっている。つまり、１５Ｒ通常非確変大当り遊技と、１５Ｒ確変秘匿大当り遊技は、見た目が全く同じとなっている。
【００６６】
なお、各ラウンド遊技のラウンド遊技時間は、各ラウンド遊技が入球上限個数分の遊技球が入球することにより終了する場合もあることから、それぞれ最大時間となる。なお、図４〜図７には図示しないが、１５Ｒ通常非確変大当り遊技における各ラウンド間のインターバル時間は、「２．０（秒）」に設定されている。
【００６７】
図柄Ｉに分類される小当り図柄が第１特図表示器Ｈ０に表示されたとき、又は図柄ｉに分類される小当り図柄が第２特図表示器Ｈ１に表示されたときに付与される小当り遊技は、規定ラウンド数が「１回」に設定されているとともに、１回のラウンド遊技の入球上限個数（カウント数）が「９球」に設定されている。また、小当り遊技の１回のラウンド遊技では、大入賞口装置２９（の大入賞口扉２８）を「２回」開放させるように設定されている。また、小当り遊技では、当該小当り遊技終了後の遊技状態を、小当り抽選の当選時における遊技状態で継続させるようになっている。すなわち、小当り遊技では、小当り抽選の当選時に確変状態が付与されていれば小当り遊技終了後にも確変状態を継続して付与させるとともに、小当り抽選の当選時に時短状態が付与されていれば小当り遊技終了後にも時短状態を継続して付与させる。また、小当り遊技では、小当り抽選の当選時に入球率向上状態が付与されていれば小当り遊技終了後に入球率向上状態を継続して付与させる。また、小当り遊技では、小当り抽選の当選時の遊技状態が通常状態であれば小当り遊技終了後も通常状態を継続させる。
【００６８】
また、小当り遊技では、オープニング時間として「０（秒）」が、エンディング時間として「０．９３６（秒）」がそれぞれ設定されている。そして、小当り遊技におけるラウンド遊技の大入賞口装置２９（大入賞口扉２８）の開放態様として、開放１回目と開放２回目の開放時間が「０．３２（秒）」に設定されているとともに、開放１回目と開放２回目の間にはインターバル時間として「２．０（秒）」が設定されている。これにより、小当り遊技における１回のラウンド遊技のラウンド遊技時間は、「０．３２（秒）＋２．０（秒）＋０．３２（秒）」からなる「２．６４（秒）」に設定されていることになる。このため、小当り遊技のラウンド遊技時間は、２Ｒ通常確変大当り遊技及び２Ｒ特別確変大当り遊技の１ラウンド目で大入賞口装置２９（の大入賞口扉２８）が開放してから２ラウンド目で大入賞口装置２９が閉鎖するまでの時間と同一時間とされる。さらに、小当り遊技のラウンド遊技時間は、ジャンプアップ大当り遊技の１ラウンド目において大入賞口装置２９が２回目の開放を終了するまでの時間と同一時間とされる。
【００６９】
なお、小当り遊技におけるラウンド遊技のラウンド遊技時間は、ラウンド遊技が入球上限個数分の遊技球が入球することにより終了する場合もあることから、それぞれ最大時間となる。しかしながら、小当り遊技のラウンド遊技時間（２．６４（秒））は、１回のラウンド遊技において、大入賞口装置２９に入球する遊技球の入球個数が、入球上限個数を満たさないような時間に設定されている。すなわち、小当り遊技のラウンド遊技において、ラウンド遊技時間（２．６４（秒））内に、入球上限個数となる「９球」の遊技球を発射して、入球させるのは実質的に無理である。
【００７０】
次に、パチンコ機１０の制御構成について図３に基づき説明する。
パチンコ機１０の機裏側には、パチンコ機１０全体を制御する主制御基板３０が装着されている。主制御基板３０は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、統括制御基板３１と、表示制御基板３２と、ランプ制御基板３３と、音声制御基板３４とが装着されている。統括制御基板３１は、主制御基板３０が出力した制御信号（制御コマンド）に基づき、表示制御基板３２、ランプ制御基板３３及び音声制御基板３４を統括的に制御する。表示制御基板３２は、主制御基板３０と統括制御基板３１が出力した制御信号（制御コマンド）に基づき、可変表示器Ｈ２の表示態様（図柄、背景、文字などの表示画像など）を制御する。また、ランプ制御基板３３は主制御基板３０と統括制御基板３１が出力した制御信号（制御コマンド）に基づき、装飾ランプ１６の発光態様（点灯（点滅）／消灯のタイミングなど）を制御する。また、音声制御基板３４は、主制御基板３０と統括制御基板３１が出力した制御信号（制御コマンド）に基づき、スピーカ１７の音声出力態様（音声出力のタイミングなど）を制御する。
【００７１】
また、パチンコ機１０の機裏側には、外部出力装置としての外部端子板４０が装着されている。外部端子板４０は、遊技場に設置された各パチンコ遊技機の動作状態を管理するために遊技場の管理室などに設置される外部装置としてのホールコンピュータＨＣ（図３に示す）や、パチンコ遊技機１０で当選した大当りの回数等の各種情報を表示する大当り回数報知装置ＫＨに接続する基板である。
【００７２】
以下、主制御基板３０、統括制御基板３１及び表示制御基板３２について、その具体的な構成を説明する。
前記主制御基板３０には、メインＣＰＵ３０ａが備えられている。該メインＣＰＵ３０ａには、ＲＯＭ３０ｂ及びＲＡＭ３０ｃが接続されている。メインＣＰＵ３０ａには、第１始動口センサＳＥ１と、第２始動口センサＳＥ２と、カウントスイッチＳＥ３等が接続されている。また、メインＣＰＵ３０ａには、第１特図表示器Ｈ０と、第２特図表示器Ｈ１と、第１保留表示器Ｒａと、第２保留表示器Ｒｂと、普通図柄保留表示器Ｍが接続されている。また、メインＣＰＵ３０ａには、大入賞口ソレノイドＳＯＬ１と、普通電動役物ソレノイドＳＯＬ２が接続されている。また、メインＣＰＵ３０ａは、普通図柄表示器Ｈ１０と、ゲートセンサＳＥ４が接続されている。さらに、主制御基板３０には、外部端子板４０が接続されているとともに、該外部端子板４０にはホールコンピュータＨＣが接続されるようになっている。また、メインＣＰＵ３０ａは、当り判定用乱数などの各種乱数の値を所定の周期毎に更新し、更新後の値をＲＡＭ３０ｃの設定領域に記憶（設定）して更新前の値を書き換えている。
【００７３】
ＲＯＭ３０ｂには、パチンコ機１０全体を制御するためのメイン制御プログラムが記憶されている。また、ＲＯＭ３０ｂには、複数種類の変動パターンが記憶されている。変動パターンは、図柄（特図及び飾図）が変動を開始（図柄変動ゲームが開始）してから図柄が停止表示（図柄変動ゲームが終了）される迄の間の遊技演出（表示演出、発光演出、音声演出）のベースとなるパターンを示すものである。すなわち、変動パターンは、特図が変動開始してから特図が確定停止表示されるまでの間の図柄変動ゲームの演出内容及び演出時間（変動時間）を特定することができる。
【００７４】
変動パターンは、図８に示すように、大当り抽選に当選した際に選択される大当り演出用の変動パターンＰ１〜Ｐ４と、小当り抽選に当選した際に選択される小当り演出用の変動パターンＰ５と、大当り抽選及び小当り抽選の何れにも当選しなかったはずれの場合に選択されるはずれ演出用の変動パターンＰ６〜Ｐ１４とからなる。はずれ演出用の変動パターンには、リーチを形成し、リーチ演出が行われた後に最終的にはずれとするはずれリーチ演出用の変動パターンＰ６〜Ｐ８と、リーチを形成せずにはずれとするはずれ演出用の変動パターンＰ９〜Ｐ１４とがある。
【００７５】
本実施形態において大当り演出用の変動パターンには、１５Ｒ特別確変大当り遊技、ステップアップ大当り遊技、１５Ｒ通常確変大当り遊技、１５Ｒ確変秘匿大当り遊技及び１５Ｒ通常非確変大当り遊技が決定された際に選択される通常変動パターンＰ１〜Ｐ３がある。また、大当り演出用の変動パターンには、ジャンプアップ大当り遊技、２Ｒ通常確変大当り遊技及び２Ｒ特別確変大当り遊技が決定された際に選択される特定変動パターンＰ４がある。そして、ジャンプアップ大当り遊技等が決定された際に選択される特定変動パターンＰ４は、小当り演出用の変動パターンＰ５により特定される図柄変動ゲームの演出内容と同一であり、かつ同一の変動時間が対応付けられたパターンとなっている。
【００７６】
なお、通常変動パターンＰ１〜Ｐ３に基づき行われる大当り演出は、図柄変動ゲームが、リーチ演出を経て、最終的に大当りの図柄組み合わせを確定停止表示させるように展開される演出である。はずれリーチ演出は、図柄変動ゲームが、リーチ演出を経て、最終的にはずれの図柄組み合わせを確定停止表示させるように展開される演出である。はずれ演出は、図柄変動ゲームが、リーチ演出を経ることなく最終的にはずれの図柄組み合わせを確定停止表示させるように展開される演出である。リーチ演出は、可変表示器Ｈ２の飾り図柄による図柄変動ゲームにおいて、リーチの図柄組み合わせが形成されてから、大当りの図柄組み合わせ、又ははずれの図柄組み合わせが導出される迄の間に行われる演出である。
【００７７】
以下、各変動パターンＰ１〜Ｐ１４について詳しく説明する。
大当り演出用の通常変動パターンＰ１〜Ｐ３に基づき第１の変動ゲームが行われた場合、第１特図表示器Ｈ０及び可変表示器Ｈ２において、夫々に大当りを認識できる大当り図柄及び大当りの図柄組み合わせが最終的に表示されるようになっている。また、大当り演出用の通常変動パターンＰ１〜Ｐ３に基づきに基づき第２の変動ゲームが行われた場合、第２特図表示器Ｈ１及び可変表示器Ｈ２において、夫々に大当りを認識できる大当り図柄及び大当りの図柄組み合わせが最終的に表示されるようになっている。
【００７８】
また、ジャンプアップ大当り遊技、２Ｒ通常確変大当り遊技及び２Ｒ特別確変大当り遊技が決定された際に選択される特定変動パターンＰ４に基づき第１の変動ゲームが行われると、第１特図表示器Ｈ０及び可変表示器Ｈ２において、夫々に大当り図柄及び確変示唆の図柄組み合わせが最終的に表示されるようになっている。同様に、特定変動パターンＰ４に基づき第２の変動ゲームが行われると、第２特図表示器Ｈ１及び可変表示器Ｈ２において、夫々に大当り図柄及び確変示唆の図柄組み合わせが最終的に表示されるようになっている。例えば、２Ｒ通常確変大当り遊技が決定された際に選択される特定変動パターンＰ４に基づき第１の変動ゲームが行われた場合、可変表示器Ｈ２でリーチ演出が行われた後、飾図による確変示唆の図柄組み合わせが表示されると同時に、第１特図表示器Ｈ０において特図による大当り図柄が表示されるようになっている。
【００７９】
また、小当り遊技が決定された際に選択される小当り演出用の変動パターンＰ５に基づき第１の変動ゲームが行われると、第１特図表示器Ｈ０及び可変表示器Ｈ２において、夫々に小当り図柄及び確変示唆の図柄組み合わせが最終的に表示されるようになっている。同様に、小当り遊技が決定された際に選択される小当り演出用の変動パターンＰ５に基づき第２の変動ゲームが行われると、第２特図表示器Ｈ１及び可変表示器Ｈ２において、夫々に小当り図柄及び確変示唆の図柄組み合わせが最終的に表示されるようになっている。例えば、小当り演出用の変動パターンＰ５に基づき第１の変動ゲームが行われた場合、可変表示器Ｈ２でリーチ演出が行われた後、飾図による確変示唆の図柄組み合わせが表示されると同時に、第１特図表示器Ｈ０において特図による小当り図柄が表示されるようになっている。
【００８０】
また、はずれリーチ演出用の変動パターンＰ６〜Ｐ８に基づき第１の変動ゲームが行われると、第１特図表示器Ｈ０及び可変表示器Ｈ２において、夫々にはずれ図柄及びはずれ（はずれリーチ）の図柄組み合わせが最終的に表示されるようになっている。同様に、はずれリーチ演出用の変動パターンＰ６〜Ｐ８に基づき第２の変動ゲームが行われると、第２特図表示器Ｈ１及び可変表示器Ｈ２において、夫々にはずれ図柄及びはずれ（はずれリーチ）の図柄組み合わせが最終的に表示されるようになっている。例えば、はずれリーチ演出用の変動パターンＰ６〜Ｐ８に基づき第１の変動ゲームが行われた場合、可変表示器Ｈ２でリーチ演出が行われた後、飾図によるはずれの図柄組み合わせが表示されると同時に、第１特図表示器Ｈ０において特図によるはずれ図柄が表示されるようになっている。
【００８１】
そして、はずれ演出用の変動パターンＰ９〜Ｐ１４に基づき第１の変動ゲームが行われると、第１特図表示器Ｈ０及び可変表示器Ｈ２において、通常変動後、夫々にはずれ図柄及びはずれの図柄組み合わせが最終的に表示されるようになっている。はずれ演出用の変動パターンＰ９〜Ｐ１４に基づき第２の変動ゲームが行われると、第２特図表示器Ｈ１及び可変表示器Ｈ２において、通常変動後、夫々にはずれ図柄及びはずれの図柄組み合わせが最終的に表示されるパターンとなっている。例えば、はずれ演出用の変動パターンＰ９〜Ｐ１４に基づき第１の変動ゲームが行われると、図柄変動ゲーム開始後、通常変動が行われ、可変表示器Ｈ２において飾図によるはずれの図柄組み合わせが表示されると共に、第１特図表示器Ｈ０において特図によるはずれ図柄が表示されるようになっている。
【００８２】
なお、図柄変動ゲームにて、リーチ演出が行われる場合、変動パターンにより特定される演出時間が長いほど大当り信頼度が高くなるように設定されている。すなわち、メインＣＰＵ３０ａは、１５Ｒ特別確変大当り遊技、ステップアップ大当り遊技、１５Ｒ通常確変大当り遊技、１５Ｒ確変秘匿大当り遊技又は１５Ｒ通常非確変大当り遊技の付与が決定された場合、演出時間が短い変動パターンよりも長い変動パターンを決定しやすくなっている。一方、メインＣＰＵ３０ａは、大当り判定の判定結果が否定であって、リーチ判定の判定結果が肯定の場合、演出時間が長い変動パターンよりも短い変動パターンを決定しやすくなっている。従って、メインＣＰＵ３０ａは、大当り演出用の通常変動パターンＰ１〜Ｐ３のうち、変動時間が長い変動パターンほど（本実施形態では、Ｐ１＜Ｐ２＜Ｐ３の順番）決定しやすくなっている。一方、メインＣＰＵ３０ａは、はずれリーチ演出用の通常変動パターンＰ６〜Ｐ８のうち、変動時間が長い変動パターンほど（本実施形態では、Ｐ６＜Ｐ７＜Ｐ８の順番）決定しにくくなっている。
【００８３】
また、本実施形態において、変動パターンＰ１〜Ｐ３、Ｐ６〜Ｐ８，Ｐ１４に基づいて、図柄変動ゲームが行われると、連続予告演出が実行されるようになっている。連続予告演出は、１回の図柄変動ゲームにおいて、飾り図柄の変動表示開始から飾り図柄が一旦停止表示されるまでを１回とする変動サイクルを１回又は複数回、連続して実行し、前記変動サイクルの実行回数によって大当り表示結果が表示されるか否かの可能性が変化する演出である。より詳しく説明すると、変動パターンＰ１，Ｐ６に基づく図柄変動ゲームでは、変動サイクルが１回の連続予告演出が実行されるようになっている。変動パターンＰ２，Ｐ７，Ｐ１４に基づく図柄変動ゲームでは、変動サイクルが２回の連続予告演出が実行されるようになっている。変動パターンＰ３，Ｐ８に基づく図柄変動ゲームでは、変動サイクルが３回の連続予告演出が実行されるようになっている。なお、連続予告演出が実行される変動パターンＰ１〜Ｐ３、Ｐ６〜Ｐ８に基づき図柄変動ゲームが行われる場合（リーチ演出が行われる場合）、変動パターンにより特定される演出時間が長いほど大当り信頼度が高くなるように設定されている。このため、本実施形態では、連続予告演出中、変動サイクルの回数が多ければ多いほど、大当り信頼度が高いと言うこととなる。
【００８４】
また、ＲＯＭ３０ｂには、大当り判定値が記憶されている。大当り判定値は、大当りか否かの内部抽選で用いる判定値であり、当り判定用乱数の取り得る数値（０〜１５４８までの全１５４９通りの整数）の中から定められている。なお、大当り判定値は、確変状態が付与されているか否かでその数が異なっており、確変状態時の大当り判定値の数（本実施形態では４０個）は、通常状態時の大当り判定値の数（本実施形態では４個）よりも多く設定されている。また、ＲＡＭ３０ｃには、大当り判定時に使用する当り判定用乱数が記憶されている。
【００８５】
本実施形態において、当り判定用乱数は、第１始動入賞口２５又は第２始動入賞口２７へ遊技球が入賞したことを契機に取得するようになっており、第１の変動ゲーム及び第２の変動ゲームにおいて共通使用している。すなわち、第１始動入賞口２５へ遊技球が入賞したことを契機に取得する当り判定用乱数は、第２始動入賞口２７へ遊技球が入賞したことを契機に取得する当り判定用乱数と同一のものである。また、大当り判定値も、第１の変動ゲーム及び第２の変動ゲームにおいて共通使用している。すなわち、第１特図始動保留記憶数に基づく大当り判定のときに使用する大当り判定値は、第２特図始動保留記憶数に基づく大当り判定のときに使用する大当り判定値と同じものである。
【００８６】
また、ＲＯＭ３０ｂには、小当り判定値が記憶されている。小当り判定値は、小当りか否かの内部抽選で用いる判定値であり、当り判定用乱数の取り得る数値（０〜１５４８までの全１５４９通りの整数）の中から定められている。なお、小当り判定値は、第１の変動ゲームと第２の変動ゲームとで（第１の変動ゲームと第２の変動ゲームのいずれが行われるかを示す特別図柄変動処理フラグの値によって）、その数が異なっている。具体的には、第１の変動ゲームが行われるときの小当り判定値の数（本実施形態では１２個）は、第２の変動ゲームが行われるときの小当り判定値の数（本実施形態では６個）よりも多く設定されている。なお、当り判定用乱数は、大当り判定において使用した乱数をそのまま使用するようになっている。また、小当り判定値は、確変状態が付与されているか否か、及び入球率向上状態が付与されているか否かによってその値が異なることはない（同じ値が定められている）。
【００８７】
また、ＲＡＭ３０ｃには、大当り決定時に大当り図柄となる特図の種類を決定する際に用いる特図振分乱数が記憶されている。各特図には、この特図振分乱数が所定個数（本実施形態では１個）ずつ振り分けられており、メインＣＰＵ３０ａは、大当りの決定時（大当り判定が肯定となった場合）、取得した特図振分乱数に基づき大当り図柄を決定する。この特図振分乱数は、予め定められた数値範囲内（本実施形態では、「０」〜「９９」の全１００通りの整数）の数値を取り得るように、メインＣＰＵ３０ａが所定の周期毎（４ｍｓ毎）に数値を１加算して更新するようになっている。そして、メインＣＰＵ３０ａは、更新後の値を特図振分乱数の値としてＲＡＭ３０ｃに記憶し、既に記憶されている特図振分乱数の値を書き換えることで特図振分乱数の値を順次更新するようになっている。本実施形態において、特図振分乱数は、第１始動入賞口２５又は第２始動入賞口２７へ遊技球が入賞したことを契機に取得するようになっており、第１の変動ゲーム及び第２の変動ゲームにおいて共通使用している。すなわち、第１始動入賞口２５へ遊技球が入賞したことを契機に取得する特図振分乱数は、第２始動入賞口２７へ遊技球が入賞したことを契機に取得する特図振分乱数と同一のものである。
【００８８】
なお、第１の変動ゲーム及び第２の変動ゲームのいずれの図柄変動ゲームを実行させるかにより決定された大当り図柄が図柄Ａ〜Ｄ，Ｆ〜Ｈのうち（第２の変動ゲームの場合、図柄ａ〜ｅ，ｈのうち）どのグループに分類されるか異なっている。具体的には、第１の変動ゲーム又は第２の変動ゲームのいずれの図柄変動ゲームを実行させることを示す特別図柄変動処理フラグに、第１の変動ゲームを行うことを示す［０］が設定されている場合、図柄Ａ〜Ｄ，Ｆ〜Ｈのうちいずれかのグループに分類されるようになっている。このため、第１の変動ゲームで大当りとなる場合、大当り図柄として図柄Ａに分類される図柄は１０／１００の確率で表示され、図柄Ｂに分類される図柄は２／１００の確率で表示され、図柄Ｃに分類される図柄は３／１００の確率で表示され、図柄Ｄに分類される図柄は１８／１００の確率で表示されることとなる。また、大当り図柄として図柄Ｆに分類される図柄は１０／１００の確率で表示され、図柄Ｇに分類される図柄は３２／１００の確率で表示され、図柄Ｈに分類される図柄は２５／１００の確率で表示されることとなる。
【００８９】
また、特別図柄変動処理フラグに、第２の変動ゲームを行うことを示す［１］が設定されている場合、図柄ａ〜ｅ，ｈのうちいずれかのグループに分類されるようになっている。このため、第２の変動ゲームで大当りとなる場合、大当り図柄として図柄ａに分類される図柄は４０／１００の確率で表示され、図柄ｂに分類される図柄は７／１００の確率で表示され、図柄ｃに分類される図柄は１３／１００の確率で表示され、図柄ｄに分類される図柄は１２／１００の確率で表示されることとなる。また、大当り図柄として図柄ｅに分類される図柄は３／１００の確率で表示され、図柄ｈに分類される図柄は２５／１００の確率で表示されることとなる。他方、小当りの決定時（大当り判定が否定となって小当り判定で肯定となった場合）には、１０種類の小当り図柄の中から図柄が決定され、はずれの決定時（大当り判定及び小当り判定が否定となった場合）、１種類のはずれ図柄の中から図柄が決定される。
【００９０】
また、ＲＡＭ３０ｃには、パチンコ機１０の動作中に適宜書き換えられる各種情報（各種乱数の値など）が記憶されるようになっている。例えば、ＲＡＭ３０ｃには、小当り決定時に小当り図柄となる特図の種類を決定する際に用いる小当り図柄振分乱数が記憶されている。また、ＲＡＭ３０ｃには、普図ゲームが当りとなる時に当り図柄となる普図の種類を決定する際に用いる普図振分乱数が記憶されている。
【００９１】
また、ＲＯＭ３０ｂには、普通当り判定値が記憶されている。普通当り判定値は、普通当りか否かの内部抽選で用いる判定値であり、普通当り判定用乱数の取り得る数値（０〜２５０までの全２５１通りの整数）の中から定められている。なお、普通当り判定値は、入球率向上状態が付与されているか否かでその数が異なっており、入球率向上状態が付与されている時の普通当り判定値の数（本実施形態では２４０個）は、通常状態時の普通当り判定値の数（本実施形態では３０個）よりも多く設定されている。また、ＲＡＭ３０ｃには、普通当り判定時に使用する普通当り判定用乱数が記憶されている。本実施形態において、普通当り判定用乱数は、作動ゲート２３を遊技球が通過したことを契機に取得するようになっている。
【００９２】
次に、図３に基づき統括制御基板３１について説明する。
統括制御基板３１には、統括ＣＰＵ３１ａが備えられている。該統括ＣＰＵ３１ａには、ＲＯＭ３１ｂ及びＲＡＭ３１ｃが接続されている。また、統括ＣＰＵ３１ａは、各種乱数の値を所定の周期毎に更新し、更新後の値をＲＡＭ３１ｃの設定領域に記憶（設定）して更新前の値を書き換えている。また、ＲＯＭ３１ｂには、表示制御基板３２、ランプ制御基板３３及び音声制御基板３４を統括的に制御するための統括制御プログラムが記憶されている。統括ＣＰＵ３１ａは、各種制御コマンドを入力すると、当該統括制御プログラムに基づき各種制御を実行する。
【００９３】
次に、図３に基づき表示制御基板３２について説明する。
表示制御基板３２には、サブＣＰＵ３２ａが備えられている。該サブＣＰＵ３２ａには、ＲＯＭ３２ｂ及びＲＡＭ３２ｃが接続されている。また、表示制御基板３２（サブＣＰＵ３２ａ）には、可変表示器Ｈ２が接続されている。ＲＯＭ３２ｂには、可変表示器Ｈ２の表示内容を制御するための表示制御プログラムが記憶されている。また、ＲＯＭ３２ｂには、各種の画像データ（図柄、各種背景画像、文字、キャラクタなどの画像データ）が記憶されている。また、ＲＡＭ３２ｃには、パチンコ機１０の動作中に適宜書き換えられる各種の情報が記憶（設定）されるようになっている。
【００９４】
次に、メインＣＰＵ３０ａが、メイン制御プログラムに基づき実行する入賞処理や変動パターン決定処理などの各種処理について説明する。最初に、特別図柄入力処理を図９に従って説明する。
【００９５】
メインＣＰＵ３０ａは、第１始動入賞口２５に遊技球が入球したか否かを判定する（ステップＳ１）。すなわち、ステップＳ１においてメインＣＰＵ３０ａは、第１始動口センサＳＥ１が遊技球を検知した時に出力する第１検知信号を入力したか否かを判定する。ステップＳ１の判定結果が否定の場合、メインＣＰＵ３０ａは、ステップＳ５へ移行する。ステップＳ１の判定結果が肯定の場合、メインＣＰＵ３０ａは、ＲＡＭ３０ｃに記憶されている第１特図始動保留記憶数が上限数の４未満であるか否かを判定する（ステップＳ２）。ステップＳ２の判定結果が否定（第１特図始動保留記憶数＝４）の場合、メインＣＰＵ３０ａは、ステップ５へ移行する。
【００９６】
ステップＳ２の判定結果が肯定（第１特図始動保留記憶数＜４）の場合、メインＣＰＵ３０ａは、第１特図始動保留記憶数を＋１（１加算）し、第１特図始動保留記憶数を書き換える（ステップＳ３）。続いて、メインＣＰＵ３０ａは、当り判定用乱数の値と、特図振分乱数の値と、小当り図柄振分乱数の値をＲＡＭ３０ｃから読み出して取得し、該値を第１特図始動保留記憶数に対応付けられたＲＡＭ３０ｃの所定の記憶領域に設定する（ステップＳ４）。
【００９７】
次に、メインＣＰＵ３０ａは、第２始動入賞口２７に遊技球が入球したか否かを判定する（ステップＳ５）。すなわち、ステップＳ５においてメインＣＰＵ３０ａは、第２始動口センサＳＥ２が遊技球を検知した時に出力する第２検知信号を入力したか否かを判定する。ステップＳ５の判定結果が否定の場合、メインＣＰＵ３０ａは、特別図柄入力処理を終了する。ステップＳ５の判定結果が肯定の場合、メインＣＰＵ３０ａは、ＲＡＭ３０ｃに記憶されている第２特図始動保留記憶数が上限数の４未満であるか否かを判定する（ステップＳ６）。ステップＳ６の判定結果が否定（第２特図始動保留記憶数＝４）の場合、メインＣＰＵ３０ａは、特別図柄入力処理を終了する。
【００９８】
ステップＳ６の判定結果が肯定（第２特図始動保留記憶数＜４）の場合、メインＣＰＵ３０ａは、第２特図始動保留記憶数を＋１（１加算）し、第２特図始動保留記憶数を書き換える（ステップＳ７）。続いて、メインＣＰＵ３０ａは、当り判定用乱数の値と、特図振分乱数の値と、小当り図柄振分乱数の値をＲＡＭ３０ｃから読み出して取得し、該値を第２特図始動保留記憶数に対応付けられたＲＡＭ３０ｃの所定の記憶領域に設定する（ステップＳ８）。その後、メインＣＰＵ３０ａは、特別図柄入力処理を終了する。
【００９９】
次に、特別図柄開始処理について図１０〜図１２に基づき説明する。メインＣＰＵ３０ａは、特別図柄開始処理を所定周期毎に実行するようになっている。
メインＣＰＵ３０ａは、まず、図柄（特図及び飾図）が変動表示中であるか否か、及び大当り遊技（或いは小当り遊技）中であるか否か判定する（ステップＳ１１）。ステップＳ１１の判定結果が肯定の場合、メインＣＰＵ３０ａは、特別図柄開始処理を終了する。一方、ステップＳ１１の判定結果が否定の場合、メインＣＰＵ３０ａは、第２特図始動保留記憶数を読み出し（ステップＳ１２）、第２特図始動保留記憶数が「０」よりも大きいか否か判定する（ステップＳ１３）。
【０１００】
ステップＳ１３の判定結果が否定の場合（第２特図始動保留記憶数＝０の場合）、メインＣＰＵ３０ａは、第１特図始動保留記憶数を読み出し（ステップＳ１４）、第１特図始動保留記憶数が「０」よりも大きいか否か判定する（ステップＳ１５）。ステップＳ１５の判定結果が否定の場合（第１特図始動保留記憶数＝０の場合）、メインＣＰＵ３０ａは、デモ演出の実行を開始させるデモンストレーション指定コマンドを既に出力したか否かを判定する（ステップＳ１６）。この判定結果が否定の場合（デモンストレーション指定コマンドを出力していない場合）、メインＣＰＵ３０ａは、デモンストレーション指定コマンドを出力する（ステップＳ１７）。そして、特別図柄開始処理を終了する。また、ステップＳ１６の判定結果が肯定の場合（デモンストレーション指定コマンドを出力していた場合）、メインＣＰＵ３０ａは、そのまま特別図柄開始処理を終了する。
【０１０１】
一方、ステップＳ１５の判定結果が肯定の場合（第１特図始動保留記憶数＞０の場合）、メインＣＰＵ３０ａは、ＲＡＭ３０ｃの所定の記憶領域に記憶される特別図柄変動処理フラグに第１の変動ゲームを実行することを示す値［０］を設定する（ステップＳ１８）。次に、メインＣＰＵ３０ａは、第１特図始動保留記憶数の数を「１」減算（−１）し（ステップＳ１９）、当該第１特図始動保留記憶数に対応付けられてＲＡＭ３０ｃの所定の記憶領域に記憶されている当り判定用乱数の値と、特図振分乱数の値と、小当り図柄振分乱数の値を取得する（ステップＳ２０）。
【０１０２】
次に、メインＣＰＵ３０ａは、図１１に示すように、取得した当り判定用乱数の値がＲＯＭ３０ｂに記憶されている大当り判定値と一致するか否かを判定して大当り判定（大当り抽選）を行う（ステップＳ２１）。なお、本実施形態において、大当り判定値は、確変状態が付与されているか否かで変更されるようになっている。そして、通常状態の時（低確率の時）、大当り判定の判定結果が肯定となる確率（大当り確率）は、４／１５４９としており、確変状態の時（高確率の時）、大当り判定の判定結果が肯定となる確率（大当り確率）は、４０／１５４９としている。
【０１０３】
ステップＳ２１の判定結果が肯定の場合（大当りの場合）、メインＣＰＵ３０ａは、大当りの変動であることを示す大当りフラグに［１］を設定する（ステップＳ２２）。そして、メインＣＰＵ３０ａは、取得した特図振分乱数の値に基づき、特図による大当り図柄の中から第１特図表示器Ｈ０にて確定停止表示される最終停止図柄を決定する（ステップＳ２３）。
【０１０４】
なお、第１特図表示器Ｈ０に表示される特図の大当り図柄は、図柄Ａ〜Ｄ，Ｆ〜Ｈのいずれかに分類されている。具体的には、図１３（ａ）に示すように、第１特図表示器Ｈ０に表示される場合、特図振分乱数「０」〜「９」に対応する特図の大当り図柄は、特図Ａに分類され、特図振分乱数「１０」〜「１１」に対応する特図の大当り図柄は、特図Ｂに分類され、特図振分乱数「１２」〜「１４」に対応する特図の大当り図柄は、特図Ｃに分類される。また、第１特図表示器Ｈ０に表示される場合、特図振分乱数「１５」〜「３２」に対応する特図の大当り図柄は、特図Ｄに分類され、特図振分乱数「３３」〜「４２」に対応する特図の大当り図柄は、特図Ｆに分類され、特図振分乱数「４３」〜「７４」に対応する特図の大当り図柄は、特図Ｇに分類される。また、第１特図表示器Ｈ０に表示される場合、特図振分乱数「７５」〜「９９」に対応する特図の大当り図柄は、特図Ｈに分類される。これにより、メインＣＰＵ３０ａは、ステップＳ２３において、大当り図柄として図柄Ａに分類される図柄を１０／１００の確率で決定する。同様に、メインＣＰＵ３０ａは、特別図柄変動処理フラグに［０］が設定されていることから、ステップＳ２３において、図柄Ｂに分類される図柄を２／１００の確率で決定し、図柄Ｃに分類される図柄を３／１００の確率で決定し、図柄Ｄに分類される図柄を１８／１００の確率で決定する。同様に、メインＣＰＵ３０ａは、特別図柄変動処理フラグに［０］が設定されていることから、ステップＳ２３において、図柄Ｆに分類される図柄を１０／１００の確率で決定し、図柄Ｇに分類される図柄を３２／１００の確率で決定し、図柄Ｈに分類される図柄を２５／１００の確率で決定する。
【０１０５】
その後、メインＣＰＵ３０ａは、決定した最終停止図柄から大当り遊技の種類を特定し、その特定した大当り遊技に対応する大当り演出用の変動パターンを決定する（ステップＳ２４）。具体的に言えば、メインＣＰＵ３０ａは、決定した最終停止図柄が図柄Ａ，Ｃ，Ｄ，Ｈに分類される場合には、大当り演出用の通常変動パターンＰ１〜Ｐ３の中から決定する。一方、メインＣＰＵ３０ａは、決定した最終停止図柄が図柄Ｂ，Ｆ，Ｇに分類される場合には、大当り演出用の特定変動パターンＰ４を決定する。
【０１０６】
変動パターン及び最終停止図柄を決定したメインＣＰＵ３０ａは、統括制御基板３１（統括ＣＰＵ３１ａ）に対し、所定の制御コマンドを所定のタイミングで出力する等、第１の変動ゲームに関する各種処理を実行する（ステップＳ２５）。具体的に言えば、メインＣＰＵ３０ａは、変動パターンを指定すると共に図柄変動の開始を指示する変動パターン指定コマンドを最初に出力する。同時に、メインＣＰＵ３０ａは、特図を変動開始させるように第１特図表示器Ｈ０の表示内容を制御する。また、同時に、メインＣＰＵ３０ａは、図柄変動ゲームの演出時間の計測を開始する。また、メインＣＰＵ３０ａは、最終停止図柄を指定するための特別図柄指定コマンドを出力する。そして、メインＣＰＵ３０ａは、特別図柄開始処理を終了する。その後、特別図柄開始処理とは別の処理で、メインＣＰＵ３０ａは、前記指定した変動パターンに定められている演出時間に基づいて、決定した最終停止図柄を表示させるように第１特図表示器Ｈ０の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１０７】
一方、ステップＳ２１の大当り判定の判定結果が否定の場合（大当りでない場合）、メインＣＰＵ３０ａは、取得した当り判定用乱数の値がＲＯＭ３０ｂに記憶されている小当り判定値と一致するか否かを判定して小当り判定（小当り抽選）を行う（ステップＳ２６）。なお、本実施形態において、小当り判定値は、第１の変動ゲームであるか否か（特別図柄変動処理フラグに［０］が設定されているか否か）によって、変更されるようになっている。具体的には、第１の変動ゲームである場合、小当り判定の判定結果が肯定となる確率（小当り確率）は、１２／１５４９としており、第２の変動ゲームである場合における小当り判定の判定結果が肯定となる確率（本実施形態では６／１５４９）より高くなっている。
【０１０８】
ステップＳ２６の判定結果が肯定の場合（小当りの場合）、メインＣＰＵ３０ａは、小当りの変動であることを示す小当りフラグに［１］を設定する（ステップＳ２７）。そして、メインＣＰＵ３０ａは、取得した小当り図柄振分乱数に基づき、特図による小当り図柄（図柄Ｉ）の中から第１特図表示器Ｈ０にて確定停止表示される最終停止図柄を決定する（ステップＳ２８）。その後、メインＣＰＵ３０ａは、小当り遊技に対応する小当り演出用の変動パターンＰ５を決定する（ステップＳ２９）。変動パターン及び最終停止図柄を決定したメインＣＰＵ３０ａは、ステップＳ２５の処理に移行し、前述同様、統括制御基板３１（統括ＣＰＵ３１ａ）に対し、所定の制御コマンドを所定のタイミングで出力する等、第１の変動ゲームに関する各種処理を実行し、特別図柄開始処理を終了する。なお、その後に、特別図柄開始処理とは別の処理で、メインＣＰＵ３０ａは、前記指定した変動パターンに定められている演出時間に基づいて、決定した最終停止図柄を表示させるように第１特図表示器Ｈ０の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１０９】
一方、ステップＳ２６の小当り判定の判定結果が否定の場合（小当りでない場合）、メインＣＰＵ３０ａは、リーチ演出を実行させるか否かを判定するリーチ判定を行う（ステップＳ３０）。本実施形態では、メインＣＰＵ３０ａは、ステップＳ３０の処理時においてＲＡＭ３０ｃから取得したリーチ判定用乱数が、リーチ判定値に一致するか否かにより当選判定を行う。なお、リーチ判定値は、リーチ演出を行うか否かの内部抽選で用いる判定値であり、リーチ判定用乱数の取り得る数値（０〜２４０までの全２４１通りの整数）の中から定められている。また、リーチ判定値は、遊技状態、第１特図保留記憶数及び特別図柄変動処理フラグの値によって異なるようになっている。
【０１１０】
詳しく説明すると、図１４（ａ）に示すように、特別図柄変動処理フラグが「０」であって、入球率向上状態が付与されていないときに（確変状態の有無にかかわらず）、第１特図保留記憶数が「０」「１」である場合には、メインＣＰＵ３０ａは、３４／２４１の確率でリーチ判定を肯定判定する。同様に、メインＣＰＵ３０ａは、特別図柄変動処理フラグが「０」であって、入球率向上状態が付与されていないときに（確変状態の有無にかかわらず）、第１特図保留記憶数が「２」である場合には、１７／２４１の確率でリーチ判定を肯定判定する。同様に、メインＣＰＵ３０ａは、特別図柄変動処理フラグが「０」であって、入球率向上状態が付与されていないときに（確変状態の有無にかかわらず）、第１特図保留記憶数が「３」である場合には、５／２４１の確率でリーチ判定を肯定判定する。このように、第１特図保留記憶数の数が多いほど、すなわち、保留されている第１の変動ゲームが多いほど、リーチ判定の当選確率が低くなる。このため、保留されている第１の変動ゲームが多いほど、保留されている第１の変動ゲームの消化が早くすることができる。その一方、第１特図保留記憶数の数が少ないほど、すなわち、保留されている第１の変動ゲームが少ないほど、リーチ判定の当選確率が高くなる。このため、第１特図保留記憶数の数が少ないときには、リーチ演出を実行させて変動時間を長くする確率を高くして、第１の変動ゲームが途切れないようにすることができる。
【０１１１】
一方、特別図柄変動処理フラグが「０」であって、入球率向上状態が付与されている場合には、メインＣＰＵ３０ａは、大当り判定の当選確率及び第１特図保留記憶数に関係なく、１０／２４１の確率でリーチ判定を肯定判定する。これにより、第２の変動ゲームが行われやすくなる入球率向上状態が付与されているときには、無駄なはずれリーチ演出の実行を抑制し、保留される第１の変動ゲームを素早く実行させることができる。
【０１１２】
そして、ステップＳ３０の判定結果が肯定の場合（リーチ演出を行う場合）、メインＣＰＵ３０ａは、はずれ図柄を第１特図表示器Ｈ０にて確定停止表示される最終停止図柄として決定する（ステップＳ３１）。次に、メインＣＰＵ３０ａは、はずれリーチ演出用の変動パターンＰ６〜Ｐ８の中から変動パターンを決定する（ステップＳ３２）。そして、変動パターン及び最終停止図柄を決定したメインＣＰＵ３０ａは、ステップＳ２５の処理に移行し、統括制御基板３１（統括ＣＰＵ３１ａ）に対し、所定の制御コマンドを所定のタイミングで出力する等、第１の変動ゲームに関する各種処理を実行する。その後、メインＣＰＵ３０ａは、特別図柄開始処理を終了する。なお、特別図柄開始処理とは別の処理で、メインＣＰＵ３０ａは、前記指定した変動パターンに定められている演出時間に基づいて、決定した最終停止図柄を表示させるように第１特図表示器Ｈ０の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１１３】
一方、ステップＳ３０の判定結果が否定の場合（リーチ演出を行わない場合）、メインＣＰＵ３０ａは、はずれ図柄を第１特図表示器Ｈ０にて確定停止表示される最終停止図柄として決定する（ステップＳ３３）。次に、メインＣＰＵ３０ａは、はずれ演出用の変動パターンＰ９〜Ｐ１４の中から変動パターンを決定する（ステップＳ３４）。このとき、保留記憶数及び入球率向上状態の有無により、メインＣＰＵ３０ａにより決定される変動パターンが異なるようになっている。
【０１１４】
具体的には、メインＣＰＵ３０ａは、特別図柄変動処理フラグの値が「０」であって、入球率向上状態が付与されていないときに、第１特図保留記憶数が「０」「１」である場合、変動時間が１２秒のはずれ演出用の変動パターンＰ１２又は変動時間が２４秒のはずれ演出用の変動パターンＰ１４を決定する。同様に、メインＣＰＵ３０ａは、特別図柄変動処理フラグの値が「０」であって、入球率向上状態が付与されていないときに、第１特図保留記憶数が「２」である場合、変動時間が７秒のはずれ演出用の変動パターンＰ１１を決定し、第１特図保留記憶数が「３」である場合、変動時間が４秒のはずれ演出用の変動パターンＰ１０を決定する。このように、保留されている第１の変動ゲームが多いほど、変動時間が短い変動パターンが決定される。このため、保留されている第１の変動ゲームが多いほど、保留されている第１の変動ゲームを素早く実行させることができる。その一方、保留されている第１の変動ゲームが少ないほど、変動時間が長い変動パターンが決定される。このため、第１特図保留記憶数の数が少ないときには、変動時間を長くして遊技球が入賞する時間を稼ぎ、図柄変動ゲームが途切れないようにすることができる。
【０１１５】
一方、メインＣＰＵ３０ａは、特別図柄変動処理フラグの値が「０」であって、入球率向上状態が付与されているとき、変動時間が１５秒の変動パターンＰ１３、７秒の変動パターンＰ１１、３秒の変動パターンＰ９のうちいずれかのはずれ演出用の変動パターンを決定する。なお、メインＣＰＵ３０ａは、特別図柄変動処理フラグの値が「０」であって、入球率向上状態が付与されているとき、１５秒の変動パターンＰ１３を高確率で選択するようになっている。これにより、第２の変動ゲームが行われやすくなる入球率向上状態が付与されているときには、変動時間を長くして、第２始動入賞口２７に遊技球を入賞させる時間を稼ぐようになっている。
【０１１６】
そして、変動パターン及び最終停止図柄を決定したメインＣＰＵ３０ａは、ステップＳ２５の処理に移行し、統括制御基板３１（統括ＣＰＵ３１ａ）に対し、所定の制御コマンドを所定のタイミングで出力する等、第１の変動ゲームに関する各種処理を実行する。その後、メインＣＰＵ３０ａは、特別図柄開始処理を終了する。なお、特別図柄開始処理とは別の処理で、メインＣＰＵ３０ａは、前記指定した変動パターンに定められている演出時間に基づいて、決定した最終停止図柄を表示させるように第１特図表示器Ｈ０の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１１７】
一方、ステップＳ１３の判定結果が肯定の場合（第２特図始動保留記憶数＞０の場合）、メインＣＰＵ３０ａは、図１０に示すように、ＲＡＭ３０ｃの所定の記憶領域に記憶される特別図柄変動処理フラグに第２の変動ゲームを実行することを示す値［１］を設定する（ステップＳ３５）。次に、メインＣＰＵ３０ａは、第２特図始動保留記憶数の数を「１」減算（−１）し（ステップＳ３６）、当該第２特図始動保留記憶数に対応付けられてＲＡＭ３０ｃの所定の記憶領域に記憶されている当り判定用乱数、特図振分乱数及び小当り図柄振分乱数の値を取得する（ステップＳ３７）。
【０１１８】
次に、メインＣＰＵ３０ａは、図１２に示すように、取得した当り判定用乱数の値がＲＯＭ３０ｂに記憶されている大当り判定値と一致するか否かを判定して大当り判定（大当り抽選）を行う（ステップＳ３８）。なお、本実施形態において、通常状態の時（低確率の時）、大当り判定の判定結果が肯定となる確率（大当り確率）は、４／１５４９としており、確変状態の時（高確率の時）、大当り判定の判定結果が肯定となる確率（大当り確率）は、４０／１５４９としている。
【０１１９】
ステップＳ３８の判定結果が肯定の場合（大当りの場合）、メインＣＰＵ３０ａは、大当りの変動であることを示す大当りフラグに［１］を設定する（ステップＳ３９）。そして、メインＣＰＵ３０ａは、取得した特図振分乱数の値に基づき、特図による大当り図柄の中から第２特図表示器Ｈ１にて確定停止表示される最終停止図柄を決定する（ステップＳ４０）。
【０１２０】
なお、第２特図表示器Ｈ１に表示される特図の大当り図柄は、図柄ａ〜ｅ，ｈのいずれかに分類されている。具体的には、図１３（ｂ）に示すように、第２特図表示器Ｈ１に表示される場合、特図振分乱数「１５」〜「２７」、「５９」、「６０」、「７５」〜「９９」に対応する特図の大当り図柄は、特図ａに分類される。また、第２特図表示器Ｈ１に表示される場合、特図振分乱数「１０」〜「１１」、「１４」、「２８」〜「３１」に対応する特図の大当り図柄は、特図ｂに分類される。また、第２特図表示器Ｈ１に表示される場合、特図振分乱数「６」〜「９」、「４３」〜「４７」、「５５」〜「５８」に対応する特図の大当り図柄は、特図ｃに分類される。また、第２特図表示器Ｈ１に表示される場合、特図振分乱数「３２」〜「３９」、「４８」〜「５０」、「５４」に対応する特図の大当り図柄は、特図ｄに分類され、特図振分乱数「５１」〜「５３」に対応する特図の大当り図柄は、特図ｅに分類される。また、第２特図表示器Ｈ１に表示される場合、特図振分乱数「０」〜「５」、「１２」〜「１３」、「４０」〜「４２」、「６１」〜「７４」に対応する特図の大当り図柄は、特図ｈに分類される。
【０１２１】
これにより、メインＣＰＵ３０ａは、大当り図柄として図柄ａに分類される図柄を４０／１００の確率で決定する。同様に、メインＣＰＵ３０ａは、ステップＳ４０において、図柄ｂに分類される図柄を７／１００の確率で決定し、図柄ｃに分類される図柄を１３／１００の確率で決定し、図柄ｄに分類される図柄を１２／１００の確率で決定する。また、メインＣＰＵ３０ａは、図柄ｅに分類される図柄を３／１００の確率で決定し、図柄ｈに分類される図柄を２５／１００の確率で決定する。以上のように、第１の変動ゲームと第２の変動ゲームでは、確変状態が付与される大当り図柄は、異なる種類となっている。
【０１２２】
ステップＳ４０の処理後、メインＣＰＵ３０ａは、決定した最終停止図柄から大当り遊技の種類を特定し、その特定した大当り遊技に対応する大当り演出用の変動パターンＰ１〜Ｐ４を決定する（ステップＳ４１）。具体的に言えば、メインＣＰＵ３０ａは、決定した最終停止図柄が図柄ａ，ｃ，ｄ，ｅ，ｈに分類される場合（すなわち、１５Ｒ特別確変大当り遊技、ステップアップ大当り遊技、１５Ｒ通常確変大当り遊技、１５Ｒ確変秘匿大当り遊技、１５Ｒ通常非確変大当り遊技が決定された場合）には、大当り演出用の通常変動パターンＰ１〜Ｐ３の中から決定する。一方、メインＣＰＵ３０ａは、決定した最終停止図柄が図柄ｂに分類される場合（すなわち、ジャンプアップ大当り遊技が決定された場合）には、大当り演出用の特定変動パターンＰ４を決定する。
【０１２３】
変動パターン及び最終停止図柄を決定したメインＣＰＵ３０ａは、統括制御基板３１（統括ＣＰＵ３１ａ）に対し、所定の制御コマンドを所定のタイミングで出力する等、第２の変動ゲームに関する各種処理を実行する（ステップＳ４２）。具体的に言えば、メインＣＰＵ３０ａは、変動パターンを指定すると共に図柄変動の開始を指示する変動パターン指定コマンドを最初に出力する。同時に、メインＣＰＵ３０ａは、特図を変動開始させるように第２特図表示器Ｈ１の表示内容を制御する。また、同時に、メインＣＰＵ３０ａは、図柄変動ゲームの演出時間の計測を開始する。また、メインＣＰＵ３０ａは、最終停止図柄を指定するための特別図柄指定コマンドを出力する。そして、メインＣＰＵ３０ａは、特別図柄開始処理を終了する。その後、特別図柄開始処理とは別の処理で、メインＣＰＵ３０ａは、前記指定した変動パターンに定められている演出時間に基づいて、決定した最終停止図柄を表示させるように第２特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１２４】
一方、ステップＳ３８の大当り判定の判定結果が否定の場合（大当りでない場合）、メインＣＰＵ３０ａは、取得した当り判定用乱数の値がＲＯＭ３０ｂに記憶されている小当り判定値と一致するか否かを判定して小当り判定（小当り抽選）を行う（ステップＳ４３）。なお、本実施形態において、第２の変動ゲームである場合、小当り判定の判定結果が肯定となる確率（小当り確率）は、６／１５４９としており、第１の変動ゲームである場合の小当り確率（１２／１５４９）よりも低くなっている。
【０１２５】
ステップＳ４３の判定結果が肯定の場合（小当りの場合）、メインＣＰＵ３０ａは、小当りの変動であることを示す小当りフラグに［１］を設定する（ステップＳ４４）。そして、メインＣＰＵ３０ａは、取得した小当り図柄振分乱数の値に基づき、特図による小当り図柄（図柄ｉ）の中から第２特図表示器Ｈ１にて確定停止表示される最終停止図柄を決定する（ステップＳ４５）。その後、メインＣＰＵ３０ａは、小当り遊技に対応する小当り演出用の変動パターンＰ５を決定する（ステップＳ４６）。
【０１２６】
変動パターン及び最終停止図柄を決定したメインＣＰＵ３０ａは、ステップＳ４２の処理に移行し、前述同様、統括制御基板３１（統括ＣＰＵ３１ａ）に対し、所定の制御コマンドを所定のタイミングで出力する等、第２の変動ゲームに関する各種処理を実行し、特別図柄開始処理を終了する。その後に、特別図柄開始処理とは別の処理で、メインＣＰＵ３０ａは、前記指定した変動パターンに定められている演出時間に基づいて、決定した最終停止図柄を表示させるように第２特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１２７】
一方、ステップＳ４３の判定結果が否定の場合（小当りでない場合）、メインＣＰＵ３０ａは、リーチ演出を実行させるか否かを判定するリーチ判定を行う（ステップＳ４７）。なお、リーチ判定値は、遊技状態、保留記憶数及び特別図柄変動処理フラグの値によって異なるようになっている。図１４（ｂ）に示すように、特別図柄変動処理フラグが「１」であって、入球率向上状態が付与されていない場合（確変状態の有無にかかわらず）、メインＣＰＵ３０ａは、２０／２４１の確率でリーチ判定を肯定判定する。一方、メインＣＰＵ３０ａは、特別図柄変動処理フラグが「１」であって、入球率向上状態が付与されているときに、確変状態が付与されている場合（大当り判定の当選確率が高確率の場合）、７／２４１の確率でリーチ判定を肯定判定する。また、メインＣＰＵ３０ａは、特別図柄変動処理フラグが「１」であって、入球率向上状態が付与されているときに、確変状態が付与されていない場合（大当り判定の当選確率が低確率の場合）、９／２４１の確率でリーチ判定を肯定判定する。
【０１２８】
そして、ステップＳ４７の判定結果が肯定の場合（リーチ演出を行う場合）、メインＣＰＵ３０ａは、はずれ図柄を第２特図表示器Ｈ１にて確定停止表示される最終停止図柄として決定する（ステップＳ４８）。次に、メインＣＰＵ３０ａは、はずれリーチ演出用の変動パターンＰ６〜Ｐ８の中から変動パターンを決定する（ステップＳ４９）。そして、変動パターン及び最終停止図柄を決定したメインＣＰＵ３０ａは、ステップＳ４２の処理に移行し、統括制御基板３１（統括ＣＰＵ３１ａ）に対し、所定の制御コマンドを所定のタイミングで出力する等、第２の変動ゲームに関する各種処理を実行する。その後、メインＣＰＵ３０ａは、特別図柄開始処理を終了する。なお、特別図柄開始処理とは別の処理で、メインＣＰＵ３０ａは、前記指定した変動パターンに定められている演出時間に基づいて、決定した最終停止図柄を表示させるように第２特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１２９】
一方、ステップＳ４７の判定結果が否定の場合（リーチ判定を行わない場合）、メインＣＰＵ３０ａは、はずれ図柄を第２特図表示器Ｈ１にて確定停止表示される最終停止図柄として決定する（ステップＳ５０）。次に、メインＣＰＵ３０ａは、はずれ演出用の変動パターンＰ９〜Ｐ１４の中から変動パターンを決定する（ステップＳ５１）。このとき、保留記憶数及び入球率向上状態の有無により、決定されるはずれ演出用の変動パターンＰ９〜Ｐ１４が異なるようになっている。
【０１３０】
具体的には、メインＣＰＵ３０ａは、特別図柄変動処理フラグの値が「１」であって、入球率向上状態が付与されていないときに、第２特図保留記憶数が「０」「１」である場合、変動時間が１２秒のはずれ演出用の変動パターンＰ１２又は変動時間が２４秒のはずれ演出用の変動パターンＰ１４を決定する。同様に、メインＣＰＵ３０ａは、特別図柄変動処理フラグの値が「１」であって、入球率向上状態が付与されていないときに、第２特図保留記憶数が「２」である場合、変動時間が７秒のはずれ演出用の変動パターンＰ１１を決定し、第２特図保留記憶数が「３」である場合、変動時間が４秒のはずれ演出用の変動パターンＰ１０を決定する。このように、保留されている第２の変動ゲームが多いほど、変動時間が短い変動パターンが決定される。このため、保留されている第２の変動ゲームが多いほど、保留されている第２の変動ゲームを素早く実行させることができる。その一方、保留されている第２の変動ゲームが少ないほど、変動時間が長い変動パターンが決定される。このため、第２特図保留記憶数の数が少ないときには、変動時間を長くして遊技球が入賞する時間を稼ぎ、図柄変動ゲームが途切れないようにすることができる。
【０１３１】
一方、メインＣＰＵ３０ａは、特別図柄変動処理フラグの値が「１」であって、入球率向上状態が付与されているとき、変動時間が１５秒の変動パターンＰ１３、７秒の変動パターンＰ１１、３秒の変動パターンＰ９のうちいずれかのはずれ演出用の変動パターンを決定する。なお、メインＣＰＵ３０ａは、特別図柄変動処理フラグの値が「１」であって、入球率向上状態が付与されているとき、３秒の変動パターンＰ９を高確率で選択するようになっている。これにより、第２の変動ゲームが行われやすくなる入球率向上状態が付与されているときには、変動時間を短くして、保留されている第２の変動ゲームをなるべく早く実行させるようになっている。
【０１３２】
そして、変動パターン及び最終停止図柄を決定したメインＣＰＵ３０ａは、ステップＳ４２の処理に移行し、統括制御基板３１（統括ＣＰＵ３１ａ）に対し、所定の制御コマンドを所定のタイミングで出力する等、第２の変動ゲームに関する各種処理を実行する。その後、メインＣＰＵ３０ａは、特別図柄開始処理を終了する。なお、特別図柄開始処理とは別の処理で、メインＣＰＵ３０ａは、前記指定した変動パターンに定められている演出時間に基づいて、決定した最終停止図柄を表示させるように第２特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１３３】
このような特別図柄開始処理を実行することにより、第１特図始動保留記憶数と、第２特図始動保留記憶数とがいずれも記憶されているとき、メインＣＰＵ３０ａは、第２の変動ゲームを優先的に実行する。そして、第２始動入賞口２７は、入球率向上状態が付与されているとき、開閉羽根２６が開状態となり遊技球が入賞しやすくなっているので、結果的に入球率向上状態が付与されている確変状態又は時短状態においては第２の変動ゲームが連続して実行されやすくなっている。そして、第２の変動ゲームで大当りとなる場合、確変状態が付与されるか否かの割合は第１の変動ゲームとは異ならないが、確変状態が付与されるときには、１５ラウンドの大当り遊技が付与されるか否かの割合は異なっている。すなわち、特図振分乱数の振り分けが異なっており、第２の変動ゲームで大当りとなる場合、全て１５ラウンドの大当り遊技が付与される。このため、２ラウンドの大当り遊技と比較して多くの遊技球を獲得することが期待できる１５ラウンドの大当り遊技が遊技者に有利な遊技内容の大当り遊技であり、第２の変動ゲームが大当りとなる場合、この１５ラウンドの大当り遊技が付与される確率が第１の変動ゲームと比較して高くなっている。このように、確変状態においては第２の変動ゲームが連続実行されやすくなっており、その第２の変動ゲームにて大当りとなる場合、第１の変動ゲームと比較して１５ラウンドの大当り遊技が付与される確率が高くなっている。このことから、入球率向上状態が付与される確変状態又は時短状態において大当りが連続するときには、規定ラウンド遊技数が１５ラウンドになる確率が高くなっている。
【０１３４】
また、メインＣＰＵ３０ａは、第１始動保留球として記憶された当り判定用乱数に基づき判定を行う場合（第１の変動ゲームの場合）と比較して、第２始動保留球として記憶された当り判定用乱数に基づき判定を行う場合（第２の変動ゲームの場合）の方が、小当り判定を肯定する確率が低くなるようにした。このため、入球率向上状態が付与されており、第２の変動ゲームが行われやすい状況において、遊技者にとって利益が期待できない小当り遊技が付与される可能性が低くなる。すなわち、入球率向上状態が付与された状態において、遊技者にストレスを感じさせることなく、遊技の興趣を向上させることができる。また、図柄変動ゲームが実行された後、大入賞口扉２８が０．３２秒間開放した場合、第１の変動ゲームよりも第２の変動ゲームの後の方が、遊技者に、ジャンプアップ大当り遊技が付与されたのではないかと期待させることができる。
【０１３５】
そして、メインＣＰＵ３０ａは、大当りを決定した場合（大当りフラグに［１］が設定された場合）、決定した変動パターンに基づく図柄変動ゲームの終了後、最終停止図柄に基づき特定された種類の大当り遊技の制御を開始し、統括制御基板３１（統括ＣＰＵ３１ａ）に対し、所定の制御コマンドを所定のタイミングで出力する。以下、メインＣＰＵ３０ａが実行する制御内容について、１５Ｒ特別確変大当り遊技、ジャンプアップ大当り遊技、ステップアップ大当り遊技、１５Ｒ通常確変大当り遊技、１５Ｒ確変秘匿大当り遊技、２Ｒ通常確変大当り遊技、２Ｒ特別確変大当り遊技及び１５Ｒ通常非確変大当り遊技の大当り遊技毎に説明する。
【０１３６】
最初に、１５Ｒ特別確変大当り遊技が付与されるときの制御について説明する。メインＣＰＵ３０ａは、図柄変動ゲームが終了すると、オープニングコマンドを出力するとともに、オープニング時間（５．５秒）の計測を開始する。次に、メインＣＰＵ３０ａは、オープニング時間が経過すると、１ラウンド目のラウンド遊技を開始させるべく１ラウンド目に対応するラウンドコマンドを出力するとともに、ラウンド遊技時間（ｍａｘ２５秒）の計測を開始し、さらに開放信号を出力する。これにより、パチンコ機１０では、１ラウンド目のラウンド遊技の開始に伴って大入賞口装置２９の大入賞口扉２８が開放される。そして、メインＣＰＵ３０ａは、１ラウンド目のラウンド遊技において終了条件が満たされると、閉鎖信号を出力する。これにより、パチンコ遊技機１０では、１ラウンド目のラウンド遊技の終了に伴って大入賞口装置２９の大入賞口扉２８が閉鎖される。
【０１３７】
１ラウンド目のラウンド遊技を終了させたメインＣＰＵ３０ａは、２ラウンド目のラウンド遊技を開始させるために、１ラウンド目と２ラウンド目の間に設定されるラウンド間インターバルのインターバル時間（２．０秒）の経過後に、２ラウンド目に対応するラウンドコマンドを出力する。そして、メインＣＰＵ３０ａは、２ラウンド目のラウンド遊技で終了条件が満たされると、同様に２ラウンド目のラウンド遊技を終了する。以降同様に、メインＣＰＵ３０ａは、３ラウンド目〜１５ラウンド目のラウンド遊技を制御する。そして、メインＣＰＵ３０ａは、１５ラウンド目のラウンド遊技が終了すると、インターバル時間（２．０秒）の経過後にエンディングコマンドを出力するとともに、エンディング時間（５．５６８秒）の計測を開始する。そして、メインＣＰＵ３０ａは、エンディング時間の経過後、大当り遊技を終了させる。
【０１３８】
その際、メインＣＰＵ３０ａは、１５Ｒ特別確変大当り遊技が付与された場合には、確変状態を付与することを示す確変フラグに「１」を設定すると共に、入球率向上状態を付与することを示す作動フラグに「１」を設定する。なお、確変フラグに「１」が設定されている場合には、確変状態が付与されていることを示し、「０」が設定されている場合には、確変状態が付与されていないことを示している。同様に、作動フラグに「１」が設定されている場合には、入球率向上状態が付与されていることを示し、「０」が設定されている場合には、入球率向上状態が付与されていないことを示している。
【０１３９】
また、メインＣＰＵ３０ａは、確変状態が付与される残り図柄変動ゲーム数を示す確変状態付与回数に１００００回を設定する。また、メインＣＰＵ３０ａは、入球率向上状態が付与される残り図柄変動ゲーム数を示す作動回数に１００００回を設定する。この入球率向上状態付与回数及び確変状態付与回数は、図柄変動ゲームが実行される毎に１減算され、値が０となると、確変フラグ及び作動フラグがクリアされる（「０」が設定される）。なお、各フラグ、確変状態付与回数及び作動回数は、ＲＡＭ３０ｃの所定の記憶領域に記憶されるようになっている。また、各フラグ、確変状態付与回数及び作動回数は、大当り遊技が付与された場合にもクリアされる（「０」が設定される）ようになっている。
【０１４０】
また、メインＣＰＵ３０ａは、１５Ｒ特別確変大当り遊技中、第１特図表示器Ｈ０の下方に配置され、１５ラウンド大当り遊技が付与されていることを示す１５Ｒ表示ランプＬ１を点灯させるように制御する（図２参照）。また、メインＣＰＵ３０ａは、１５Ｒ特別確変大当り遊技のオープニング演出開始時からエンディング演出終了時まで、外部端子板４０を介して大当り遊技が付与されたことを通知する大当り遊技状態信号をホールコンピュータＨＣ等の外部装置に出力するようになっている。
【０１４１】
次に、ジャンプアップ大当り遊技が付与されるときの制御について説明する。
メインＣＰＵ３０ａは、図柄変動ゲームが終了すると、オープニングコマンドを出力するとともに、オープニング時間（０．００４秒）の計測を開始する。次に、メインＣＰＵ３０ａは、オープニング時間が経過すると、１ラウンド目のラウンド遊技を開始させるべく１ラウンド目に対応するラウンドコマンドを出力するとともに、図１５（ａ）に示すラウンド遊技時間Ｔ４（ｍａｘ２９．９２秒）の計測を開始する。そして、本実施形態においてメインＣＰＵ３０ａは、ジャンプアップ大当り遊技の１ラウンド目を、１５特別確変大当り遊技、１５Ｒ通常確変大当り遊技、１５Ｒ確変秘匿大当り遊技及び１５Ｒ通常非確変大当り遊技の各１ラウンド目とは異なる遊技内容で制御を実行する。
【０１４２】
具体的に言えば、メインＣＰＵ３０ａは、図１５（ａ）に示すように、大入賞口装置２９の大入賞口扉２８を、入球上限個数の遊技球が入球していないことを条件に、最大３回開放させる。図１５（ａ）中の「１」〜「３」の数字は、開放回数を示す。１ラウンド目のラウンド遊技を開始させるメインＣＰＵ３０ａは、まず、１回目の大入賞口装置２９の大入賞口扉２８を開放させるため、開放信号を出力するとともに、統括制御基板３１に対し、大入賞口装置２９の大入賞口扉２８の開放回数を指示する開放コマンドを出力する。１回目の開放時においてメインＣＰＵ３０ａは、開放回数「１（回目）」を指示する開放コマンドを出力する。そして、メインＣＰＵ３０ａは、大入賞口装置２９の大入賞口扉２８を開放（１回目の開放）させてからの時間を計測し、開放時間Ｔ１（０．３２秒）が経過したならば、１回目の大入賞口装置２９の大入賞口扉２８の開放を終了させるべく、閉鎖信号を出力する。それとともに、メインＣＰＵ３０ａは、統括制御基板３１に対し、大入賞口扉２８の閉鎖回数を指示する閉鎖コマンドを出力する。１回目の閉鎖時においてメインＣＰＵ３０ａは、閉鎖回数「１（回目）」を指示する閉鎖コマンドを出力する。
【０１４３】
次に、メインＣＰＵ３０ａは、大入賞口扉２８を閉鎖（１回目の閉鎖）させてからの時間を計測する。このとき、メインＣＰＵ３０ａは、大入賞口扉２８の１回目と２回目の開放間に設定されるラウンド内インターバルのインターバル時間ＩＮａ（２．０秒）を計測する。次に、メインＣＰＵ３０ａは、インターバル時間ＩＮａが経過したならば、２回目の大入賞口扉２８の開放として、開放信号を出力するとともに、統括制御基板３１に対し、大入賞口扉２８の開放回数「２（回目）」を指示する開放コマンドを出力する。そして、メインＣＰＵ３０ａは、大入賞口扉２８を開放（２回目の開放）させてからの時間を計測し、開放時間Ｔ１（０．３２秒）が経過したならば、２回目の大入賞口扉２８の開放を終了させるべく、閉鎖信号を出力するとともに、統括制御基板３１に対し、大入賞口扉２８の閉鎖回数（２回目の閉鎖）を指示する閉鎖コマンドを出力する。
【０１４４】
次に、メインＣＰＵ３０ａは、大入賞口扉２８を閉鎖（２回目の閉鎖）させてからの時間を計測する。このとき、メインＣＰＵ３０ａは、大入賞口扉２８の２回目と３回目の開放間に設定されるラウンド内インターバルのインターバル時間ＩＮｂ（２．９２秒）を計測する。次に、メインＣＰＵ３０ａは、インターバル時間ＩＮｂが経過したならば、３回目の大入賞口扉２８の開放として、開放信号を出力するとともに、統括制御基板３１に対し、大入賞口扉２８の開放回数「３（回目）」を指示する開放コマンドを出力する。そして、メインＣＰＵ３０ａは、大入賞口扉２８を開放（３回目の開放）させてからの時間を計測し、開放時間Ｔ２（ｍａｘ２４．３６秒）が経過したならば、３回目の大入賞口扉２８の開放を終了させるべく、閉鎖信号を出力するとともに、統括制御基板３１に対し、大入賞口扉２８の閉鎖回数（３回目の閉鎖）を指示する閉鎖コマンドを出力する。
【０１４５】
なお、メインＣＰＵ３０ａは、ラウンド遊技中に大入賞口扉２８へ入球した遊技球の入球個数が入球上限個数（規定個数）に達すると、ラウンド遊技を終了させるようになっている。このため、ジャンプアップ大当り遊技においてもメインＣＰＵ３０ａは、１ラウンド目のラウンド遊技中に入球上限個数の遊技球の入球がなされた場合には、その時点でラウンド遊技を終了させる。例えば、３回目の開放時に、開放時間Ｔ２の経過前に入球上限個数の遊技球の入球がなされた場合には、その時点でラウンド遊技を終了させる。
【０１４６】
そして、１ラウンド目のラウンド遊技を終了させたメインＣＰＵ３０ａは、１５Ｒ特別確変大当り遊技と同様に、２ラウンド目からの各ラウンド遊技を実行させ、その後エンディングを実行させるように制御する。すなわち、メインＣＰＵ３０ａは、図１５（ａ）に示すように、２ラウンド目のラウンド遊技を開始させるために、１ラウンド目と２ラウンド目の間に設定されるラウンド間インターバルのインターバル時間ＩＮｃ（２．０秒）の経過後に、２ラウンド目に対応するラウンドコマンドを出力する。そして、メインＣＰＵ３０ａは、２ラウンド目のラウンド遊技で終了条件（ラウンド遊技時間Ｔ３（２５秒）の経過又は入球上限個数の入球）が満たされると、２ラウンド目のラウンド遊技を終了する。以降同様に、メインＣＰＵ３０ａは、３ラウンド目〜１５ラウンド目のラウンド遊技を制御する。そして、メインＣＰＵ３０ａは、１５ラウンド目のラウンド遊技が終了すると、インターバル時間ＩＮｃ（２．０秒）の経過後にエンディングコマンドを出力するとともに、エンディング時間ＥＤａ（５．５６８秒）の計測を開始する。エンディング時間の経過後、メインＣＰＵ３０ａは、大当り遊技を終了させるとともに、確変フラグ及び作動フラグに「１」を設定する。
【０１４７】
また、メインＣＰＵ３０ａは、確変状態付与回数及び作動回数に１００００回を設定する。そして、メインＣＰＵ３０ａは、大当りフラグに［０］を設定する（クリアする）。また、メインＣＰＵ３０ａは、ジャンプアップ大当り遊技中、１５Ｒ表示ランプＬ１を点灯させるように制御する。また、メインＣＰＵ３０ａは、２ラウンドの大当り遊技の上限ラウンド回数分（２回分）、大入賞口扉２８が開放された後からエンディング演出終了時まで、外部端子板４０を介して大当り遊技が付与されたことを通知する大当り遊技状態信号をホールコンピュータＨＣ等の外部装置に出力するようになっている。
【０１４８】
次に、ステップアップ大当り遊技が付与されるときの制御について図１６（ａ）に基づき説明する。なお、図１６（ａ）では、図面の都合上、１１ラウンド目における大入賞口扉２８の開放タイミングだけを図示している。
【０１４９】
メインＣＰＵ３０ａは、図柄変動ゲームが終了すると、オープニングコマンドを出力するとともに、オープニング時間（５．５秒）の計測を開始する。また、メインＣＰＵ３０ａは、ステップアップ大当り遊技のオープニング演出開始時からエンディング演出終了時まで、外部端子板４０を介して大当り遊技が付与されたことを通知する大当り遊技状態信号をホールコンピュータＨＣ等の外部装置に出力するようになっている。
【０１５０】
次に、メインＣＰＵ３０ａは、オープニング時間が経過すると、１ラウンド目のラウンド遊技を開始させるべく１ラウンド目に対応するラウンドコマンドを出力するとともに、ラウンド遊技時間（ｍａｘ２５秒）の計測を開始し、さらに開放信号を出力する。これにより、パチンコ機１０では、１ラウンド目のラウンド遊技の開始に伴って大入賞口装置２９の大入賞口扉２８が開放される。そして、メインＣＰＵ３０ａは、１ラウンド目のラウンド遊技において終了条件が満たされると、閉鎖信号を出力する。これにより、パチンコ遊技機１０では、１ラウンド目のラウンド遊技の終了に伴って大入賞口装置２９の大入賞口扉２８が閉鎖される。
【０１５１】
１ラウンド目のラウンド遊技を終了させたメインＣＰＵ３０ａは、２ラウンド目のラウンド遊技を開始させるために、１ラウンド目と２ラウンド目の間に設定されるラウンド間インターバルのインターバル時間ＩＮｃ（２．０秒）の経過後に、２ラウンド目に対応するラウンドコマンドを出力する。そして、メインＣＰＵ３０ａは、２ラウンド目のラウンド遊技で終了条件が満たされると、同様に２ラウンド目のラウンド遊技を終了する。以降同様に、メインＣＰＵ３０ａは、３ラウンド目〜１０ラウンド目のラウンド遊技を制御する。
【０１５２】
次に、メインＣＰＵ３０ａは、１０ラウンド目のラウンド遊技が終了すると、１１ラウンド目のラウンド遊技を開始させるべく１１ラウンド目に対応するラウンドコマンドを出力するとともに、図１６（ａ）に示すラウンド遊技時間Ｔ５（ｍａｘ３５秒）の計測を開始する。そして、本実施形態においてメインＣＰＵ３０ａは、ステップアップ大当り遊技の１１ラウンド目を、他の大当り遊技の各１１ラウンド目とは異なる遊技内容で制御を実行する。
【０１５３】
具体的に言えば、メインＣＰＵ３０ａは、図１６（ａ）に示すように、大入賞口装置２９の大入賞口扉２８を、入球上限個数の遊技球が入球していないことを条件に、最大６回開放させる。図１６（ａ）中の「１」〜「６」の数字は、開放回数を示す。１１ラウンド目のラウンド遊技を開始させるメインＣＰＵ３０ａは、まず、１回目の大入賞口装置２９の大入賞口扉２８を開放させるため、開放信号を出力するとともに、統括制御基板３１に対し、大入賞口装置２９の大入賞口扉２８の開放回数を指示する開放コマンドを出力する。１回目の開放時においてメインＣＰＵ３０ａは、開放回数「１（回目）」を指示する開放コマンドを出力する。そして、メインＣＰＵ３０ａは、大入賞口装置２９の大入賞口扉２８を開放（１回目の開放）させてからの時間を計測し、開放時間Ｔ６（０．３２秒）が経過したならば、１回目の大入賞口装置２９の大入賞口扉２８の開放を終了させるべく、閉鎖信号を出力する。それとともに、メインＣＰＵ３０ａは、統括制御基板３１に対し、大入賞口扉２８の閉鎖回数を指示する閉鎖コマンドを出力する。１回目の閉鎖時においてメインＣＰＵ３０ａは、閉鎖回数「１（回目）」を指示する閉鎖コマンドを出力する。
【０１５４】
次に、メインＣＰＵ３０ａは、大入賞口扉２８を閉鎖（１回目の閉鎖）させてからの時間を計測する。このとき、メインＣＰＵ３０ａは、大入賞口扉２８の１回目と２回目の開放間に設定されるラウンド内インターバルのインターバル時間ＩＮａ（２．０秒）を計測する。次に、メインＣＰＵ３０ａは、インターバル時間ＩＮａが経過したならば、２回目の大入賞口扉２８の開放として、開放信号を出力するとともに、統括制御基板３１に対し、大入賞口扉２８の開放回数「２（回目）」を指示する開放コマンドを出力する。そして、メインＣＰＵ３０ａは、大入賞口扉２８を開放（２回目の開放）させてからの時間を計測し、開放時間Ｔ６（０．３２秒）が経過したならば、２回目の大入賞口扉２８の開放を終了させるべく、閉鎖信号を出力するとともに、統括制御基板３１に対し、大入賞口扉２８の閉鎖回数（２回目の閉鎖）を指示する閉鎖コマンドを出力する。そして、メインＣＰＵ３０ａは、５回まで同様にして、大入賞口扉２８を開閉させる。
【０１５５】
次に、メインＣＰＵ３０ａは、大入賞口扉２８を閉鎖（５回目の閉鎖）させてからの時間を計測する。このとき、メインＣＰＵ３０ａは、大入賞口扉２８の５回目と６回目の開放間に設定されるラウンド内インターバルのインターバル時間ＩＮａ（２．０秒）を計測する。次に、メインＣＰＵ３０ａは、インターバル時間ＩＮａが経過したならば、６回目の大入賞口扉２８の開放として、開放信号を出力するとともに、統括制御基板３１に対し、大入賞口扉２８の開放回数「６（回目）」を指示する開放コマンドを出力する。そして、メインＣＰＵ３０ａは、大入賞口扉２８を開放（６回目の開放）させてからの時間を計測し、開放時間Ｔ７（ｍａｘ２３．４秒）が経過したならば、６回目の大入賞口扉２８の開放を終了させるべく、閉鎖信号を出力するとともに、統括制御基板３１に対し、大入賞口扉２８の閉鎖回数（６回目の閉鎖）を指示する閉鎖コマンドを出力する。
【０１５６】
なお、メインＣＰＵ３０ａは、ラウンド遊技中に大入賞口扉２８へ入球した遊技球の入球個数が入球上限個数（規定個数）に達すると、ラウンド遊技を終了させるようになっている。このため、ステップアップ大当り遊技においてもメインＣＰＵ３０ａは、１１ラウンド目のラウンド遊技中に入球上限個数の遊技球の入球がなされた場合には、その時点でラウンド遊技を終了させる。例えば、６回目の開放時に、開放時間Ｔ７の経過前に入球上限個数の遊技球の入球がなされた場合には、その時点でラウンド遊技を終了させる。
【０１５７】
そして、１１ラウンド目のラウンド遊技を終了させたメインＣＰＵ３０ａは、１５Ｒ特別確変大当り遊技と同様に、１２ラウンド目からの各ラウンド遊技を実行させ、その後エンディングを実行させるように制御する。すなわち、メインＣＰＵ３０ａは、図１６（ａ）に示すように、１２ラウンド目のラウンド遊技を開始させるために、１１ラウンド目と１２ラウンド目の間に設定されるラウンド間インターバルのインターバル時間ＩＮｃ（２．０秒）の経過後に、１２ラウンド目に対応するラウンドコマンドを出力する。そして、メインＣＰＵ３０ａは、１２ラウンド目のラウンド遊技で終了条件（ラウンド遊技時間（２５秒）の経過又は入球上限個数の入球）が満たされると、１２ラウンド目のラウンド遊技を終了する。以降同様に、メインＣＰＵ３０ａは、１３ラウンド目〜１５ラウンド目のラウンド遊技を制御する。そして、メインＣＰＵ３０ａは、１５ラウンド目のラウンド遊技が終了すると、インターバル時間ＩＮｃ（２．０秒）の経過後にエンディングコマンドを出力するとともに、エンディング時間ＥＤａ（５．５６８秒）の計測を開始する。エンディング時間の経過後、メインＣＰＵ３０ａは、大当り遊技を終了させるとともに、確変フラグ及び作動フラグに「１」を設定する。また、メインＣＰＵ３０ａは、確変状態付与回数及び作動回数に１００００回を設定する。また、メインＣＰＵ３０ａは、ステップアップ大当り遊技中、１５Ｒ表示ランプＬ１を点灯させるように制御する。そして、メインＣＰＵ３０ａは、大当りフラグに［０］を設定する（クリアする）。
【０１５８】
次に、１５Ｒ通常確変大当り遊技、１５Ｒ確変秘匿大当り遊技及び１５Ｒ通常非確変大当り遊技が付与されるときの制御について説明する。なお、１５Ｒ通常確変大当り遊技、１５Ｒ確変秘匿大当り遊技及び１５Ｒ通常非確変大当り遊技における大入賞口扉２８の開閉態様は、同じであるため、まとめて図１６（ｂ）に基づき説明する。なお、図１６（ｂ）では、図面の都合上、１１ラウンド目以降の大入賞口扉２８の開放タイミングだけを図示している。
【０１５９】
メインＣＰＵ３０ａは、図柄変動ゲームが終了すると、オープニングコマンドを出力するとともに、オープニング時間（５．５秒）の計測を開始する。また、メインＣＰＵ３０ａは、１５Ｒ通常確変大当り遊技、１５Ｒ確変秘匿大当り遊技及び１５Ｒ通常非確変大当り遊技のオープニング演出開始時からエンディング演出終了時まで、外部端子板４０を介して大当り遊技が付与されたことを通知する大当り遊技状態信号をホールコンピュータＨＣ等の外部装置に出力するようになっている。
【０１６０】
次に、メインＣＰＵ３０ａは、オープニング時間が経過すると、１ラウンド目のラウンド遊技を開始させるべく１ラウンド目に対応するラウンドコマンドを出力するとともに、ラウンド遊技時間（ｍａｘ２５秒）の計測を開始し、さらに開放信号を出力する。これにより、パチンコ機１０では、１ラウンド目のラウンド遊技の開始に伴って大入賞口装置２９の大入賞口扉２８が開放される。そして、メインＣＰＵ３０ａは、１ラウンド目のラウンド遊技において終了条件が満たされると、閉鎖信号を出力する。これにより、パチンコ遊技機１０では、１ラウンド目のラウンド遊技の終了に伴って大入賞口装置２９の大入賞口扉２８が閉鎖される。
【０１６１】
１ラウンド目のラウンド遊技を終了させたメインＣＰＵ３０ａは、２ラウンド目のラウンド遊技を開始させるために、１ラウンド目と２ラウンド目の間に設定されるラウンド間インターバルのインターバル時間ＩＮｃ（２．０秒）の経過後に、２ラウンド目に対応するラウンドコマンドを出力する。そして、メインＣＰＵ３０ａは、２ラウンド目のラウンド遊技で終了条件が満たされると、同様に２ラウンド目のラウンド遊技を終了する。以降同様に、メインＣＰＵ３０ａは、３ラウンド目〜１０ラウンド目のラウンド遊技を制御する。
【０１６２】
次に、メインＣＰＵ３０ａは、１０ラウンド目のラウンド遊技が終了すると、１１ラウンド目のラウンド遊技を開始させるべく１１ラウンド目に対応するラウンドコマンドを出力するとともに、ラウンド遊技時間Ｔ８（ｍａｘ０．３２秒）の計測を開始し、さらに開放信号を出力する。これにより、パチンコ機１０では、１１ラウンド目のラウンド遊技の開始に伴って大入賞口装置２９の大入賞口扉２８が開放される。そして、メインＣＰＵ３０ａは、１１ラウンド目のラウンド遊技において終了条件が満たされると、閉鎖信号を出力する。これにより、パチンコ遊技機１０では、１１ラウンド目のラウンド遊技の終了に伴って大入賞口装置２９の大入賞口扉２８が閉鎖される。
【０１６３】
１１ラウンド目のラウンド遊技を終了させたメインＣＰＵ３０ａは、１２ラウンド目のラウンド遊技を開始させるために、１１ラウンド目と１２ラウンド目の間に設定されるラウンド間インターバルのインターバル時間ＩＮｃ（２．０秒）の経過後に、１２ラウンド目に対応するラウンドコマンドを出力する。そして、メインＣＰＵ３０ａは、１２ラウンド目のラウンド遊技で終了条件が満たされると、同様に１２ラウンド目のラウンド遊技を終了する。以降同様に、メインＣＰＵ３０ａは、１３ラウンド目〜１５ラウンド目のラウンド遊技を制御する。そして、メインＣＰＵ３０ａは、１５ラウンド目のラウンド遊技が終了すると、インターバル時間ＩＮｃ（２．０秒）の経過後にエンディングコマンドを出力するとともに、エンディング時間ＥＤａ（５．５６８秒）の計測を開始する。エンディング時間の経過後、メインＣＰＵ３０ａは、大当り遊技を終了させる。そして、メインＣＰＵ３０ａは、大当りフラグに［０］を設定する（クリアする）。
【０１６４】
また、それとともに、メインＣＰＵ３０ａは、１５Ｒ通常確変大当り遊技が付与されていた場合には、確変状態を付与することを示す確変フラグに「１」を設定し、また、入球率向上状態を付与することを示す作動フラグを設定する。また、メインＣＰＵ３０ａは、１５Ｒ通常確変大当り遊技が付与されていた場合には、確変状態付与回数及び作動回数に１００００回を設定する。
【０１６５】
また、メインＣＰＵ３０ａは、１５Ｒ確変秘匿大当り遊技が付与されていた場合には、確変状態を付与することを示す確変フラグに「１」を設定し、また、入球率向上状態を付与することを示す作動フラグに「１」を設定する。また、メインＣＰＵ３０ａは、１５Ｒ確変秘匿大当り遊技が付与されていた場合には、確変状態付与回数に１００００回を設定する一方、作動回数に１００回を設定する。また、メインＣＰＵ３０ａは、１５Ｒ通常非確変大当り遊技が付与されていた場合には、確変フラグに「０」を設定する（「１」を設定しない）と共に、入球率向上状態を付与することを示す作動フラグに「１」を設定する。また、メインＣＰＵ３０ａは、１５Ｒ通常非確変大当り遊技が付与されていた場合には、作動回数に１００回を設定する。また、メインＣＰＵ３０ａは、１５Ｒ通常確変大当り遊技中、１５Ｒ確変秘匿大当り遊技中及び１５Ｒ通常非確変大当り遊技中、１５Ｒ表示ランプＬ１を点灯させるように制御する。
【０１６６】
次に、２Ｒ通常確変大当り遊技及び２Ｒ特別確変大当り遊技が付与されるときの制御について説明する。
メインＣＰＵ３０ａは、図柄変動ゲームが終了すると、オープニングコマンドを出力するとともに、オープニング時間（０．００４秒）の計測を開始する。次に、メインＣＰＵ３０ａは、オープニング時間が経過すると、１ラウンド目のラウンド遊技を開始させるべく１ラウンド目に対応するラウンドコマンドを出力するとともに、図１５（ｂ）に示すラウンド遊技時間Ｔ１１（ｍａｘ０．３２秒）の計測を開始する。また、メインＣＰＵ３０ａは、開放信号を出力する。そして、メインＣＰＵ３０ａは、大入賞口扉２８を開放（１回目の開放）させてからの時間を計測し、ラウンド遊技時間Ｔ１１（０．３２秒）が経過したならば、１ラウンド目のラウンド遊技を終了させるべく、閉鎖信号を出力する。
【０１６７】
次に、メインＣＰＵ３０ａは、１ラウンド目のラウンド遊技を終了させてからの時間を計測する。このとき、メインＣＰＵ３０ａは、１ラウンド目のラウンド遊技と２ラウンド目のラウンド遊技の間に設定されるラウンド間インターバルのインターバル時間ＩＮｃ（２．０秒）を計測する。次に、メインＣＰＵ３０ａは、インターバル時間ＩＮｃが経過したならば、２ラウンド目のラウンド遊技を開始させるべく２ラウンド目に対応するラウンドコマンドを出力するとともに、図１５（ｂ）に示すラウンド遊技時間Ｔ１１（ｍａｘ０．３２秒）の計測を開始する。また、メインＣＰＵ３０ａは、開放信号を出力する。そして、メインＣＰＵ３０ａは、大入賞口扉２８を開放（２回目の開放）させてからの時間を計測し、ラウンド遊技時間Ｔ１１（０．３２秒）が経過したならば、２ラウンド目のラウンド遊技を終了させるべく、閉鎖信号を出力する。
【０１６８】
次に、メインＣＰＵ３０ａは、２ラウンド目のラウンド遊技を終了させてからの時間を計測する。そして、メインＣＰＵ３０ａは、２ラウンド目のラウンド遊技が終了すると、インターバル時間ＩＮｃ（２．０秒）の経過後にエンディングコマンドを出力するとともに、エンディング時間ＥＤｂ（０．９２４秒）の計測を開始する。エンディング時間の経過後、メインＣＰＵ３０ａは、大当り遊技を終了させる。そして、メインＣＰＵ３０ａは、大当りフラグに［０］を設定する（クリアする）。その際、メインＣＰＵ３０ａは、２Ｒ通常確変大当り遊技が付与される場合、確変フラグ及び作動フラグに「１」を設定する。また、メインＣＰＵ３０ａは、２Ｒ通常確変大当り遊技が付与される場合には、確変状態付与回数及び作動回数に１００００回を設定する。
【０１６９】
一方、メインＣＰＵ３０ａは、２Ｒ特別確変大当り遊技が付与される場合、確変フラグに「１」を設定すると共に、確変状態付与回数に１００００回を設定する。また、メインＣＰＵ３０ａは、２Ｒ特別確変大当り遊技が付与される場合、当該２Ｒ特別確変大当り遊技が付与される図柄変動ゲーム開始時において作動フラグ又は確変フラグに「１」が設定されていれば、当該作動フラグに「１」を設定すると共に、作動回数に１００００回を設定する。一方、メインＣＰＵ３０ａは、２Ｒ特別確変大当り遊技が付与される場合、当該２Ｒ特別確変大当り遊技が付与される図柄変動ゲーム開始時において作動フラグに「１」が設定されていなければ作動フラグに「１」を設定しないようになっている。また、メインＣＰＵ３０ａは、２Ｒ通常確変大当り遊技中及び２Ｒ特別確変大当り遊技中、２Ｒ表示ランプＬ２を点灯させるように制御する。また、メインＣＰＵ３０ａは、２ラウンドの大当り遊技の上限ラウンド回数分（２回分）、大入賞口扉２８が開放された後からエンディング演出終了時まで、外部端子板４０を介して大当り遊技が付与されたことを通知する大当り遊技状態信号をホールコンピュータＨＣ等の外部装置に出力するようになっている。また、メインＣＰＵ３０ａは、２Ｒ特別確変大当り遊技が付与された場合であって、入球率向上状態が付与される場合には、２ラウンドの大当り遊技の上限ラウンド回数分（２回分）、大入賞口扉２８が開放された後からエンディング演出終了時まで、外部端子板４０を介して大当り遊技が付与されたことを通知する大当り遊技状態信号をホールコンピュータＨＣ等の外部装置に出力するようになっている。
【０１７０】
また、メインＣＰＵ３０ａは、小当りを決定した場合（小当りフラグに［１］が設定された場合）、決定した変動パターンに基づく図柄変動ゲームの終了後、小当り遊技の制御を開始し、統括制御基板３１（統括ＣＰＵ３１ａ）に対し、所定の制御コマンドを所定のタイミングで出力する。以下、小当り遊技が付与されるときの制御について詳しく説明する。
【０１７１】
メインＣＰＵ３０ａは、図柄変動ゲームが終了すると、１ラウンド目のラウンド遊技を開始させるべく１ラウンド目に対応するラウンドコマンドを出力するとともに、図１５（ｃ）に示すラウンド遊技時間Ｔ２１（ｍａｘ２．６４秒）の計測を開始する。そして、本実施形態においてメインＣＰＵ３０ａは、図１５（ｃ）に示すように、大入賞口扉２８を、入球上限個数の遊技球が入球していないことを条件に、最大２回開放させる。図１５（ｃ）中の「１」、「２」の数字は、開放回数を示す。１ラウンド目のラウンド遊技を開始させるメインＣＰＵ３０ａは、まず、１回目の大入賞口扉２８の開放として、開放信号を出力する。そして、メインＣＰＵ３０ａは、大入賞口扉２８を開放（１回目の開放）させてからの時間を計測し、開放時間Ｔ２２（０．３２秒）が経過したならば、１回目の大入賞口扉２８の開放を終了させるべく、閉鎖信号を出力する。
【０１７２】
次に、メインＣＰＵ３０ａは、大入賞口扉２８を閉鎖（１回目の閉鎖）させてからの時間を計測する。このとき、メインＣＰＵ３０ａは、大入賞口扉２８の１回目と２回目の開放間に設定されるラウンド内インターバルのインターバル時間ＩＮａ（２．０（秒））を計測する。次に、メインＣＰＵ３０ａは、インターバル時間ＩＮａが経過したならば、２回目の大入賞口扉２８の開放として、開放信号を出力する。そして、メインＣＰＵ３０ａは、大入賞口扉２８を開放（２回目の開放）させてからの時間を計測し、開放時間Ｔ２２（０．３２（秒））が経過したならば、２回目の大入賞口扉２８の開放を終了させるべく、閉鎖信号を出力する。これにより、小当り遊技におけるラウンド遊技が終了する。
【０１７３】
次に、メインＣＰＵ３０ａは、ラウンド遊技を終了させてからの時間を計測する。そして、メインＣＰＵ３０ａは、インターバル時間ＩＮｃ（２．０秒）の経過後にエンディングコマンドを出力するとともに、エンディング時間ＥＤｂ（０．９３６秒）の計測を開始する。エンディング時間の経過後、メインＣＰＵ３０ａは、小当り遊技を終了させる。そして、メインＣＰＵ３０ａは、小当りフラグに［０］を設定する（クリアする）。なお、小当り遊技の場合、小当り当選時の遊技状態が維持されることから、メインＣＰＵ３０ａは、確変フラグ及び作動フラグのいずれも現状を維持する（新たな値を設定しない）。
【０１７４】
このように大当り遊技及び小当り遊技を実行させることにより、本実施形態では、ジャンプアップ大当り遊技の１ラウンド目において、２Ｒ特別確変大当り遊技、２Ｒ通常確変大当り遊技及び小当り遊技と大入賞口扉２８の開放態様が同一態様となる状態が作り出される。具体的に言えば、図１５に示すように、ジャンプアップ大当り遊技の１ラウンド目において、１回目の開放時間Ｔ１（０．３２秒）＋インターバル時間ＩＮａ（２．０秒）＋２回目の開放時間Ｔ１（０．３２秒）＝２．６４（秒）を掛けて、大入賞口扉２８の開放が２回行われる。また、図１４（ｂ）に示すように、２Ｒ特別確変大当り遊技及び２Ｒ通常確変大当り遊技において、１ラウンド目のラウンド遊技時間Ｔ１１（０．３２秒）＋インターバル時間ＩＮｃ（２．０秒）＋２ラウンド目のラウンド遊技時間Ｔ１１（０．３２秒）＝２．６４（秒）を掛けて、大入賞口扉２８の開放が２回行われる。さらに、図１４（ｃ）に示すように、小当り遊技において、１回目の開放時間Ｔ２２（０．３２秒）＋インターバル時間ＩＮａ（２．０秒）＋２回目の開放時間Ｔ２２（０．３２秒）＝ラウンド遊技時間Ｔ２１（２．６４秒）を掛けて、大入賞口扉２８の開放が２回行われる。すなわち、ジャンプアップ大当り遊技における１ラウンド目の大入賞口扉２８の１回目の開放が開始してから２回目の開放が終了するまでの時間と、２Ｒ特別確変大当り遊技、２Ｒ通常確変大当り遊技及び小当り遊技における大入賞口扉２８の１回目の開放が開始してから２回目の開放が終了するまでの時間が何れも「２．６４（秒）」に設定されている。つまり、ジャンプアップ大当り遊技、２Ｒ特別確変大当り遊技、２Ｒ通常確変大当り遊技及び小当り遊技では、「２．６４（秒）」の間、同一開放態様にて大入賞口扉２８が開放されることになる。
【０１７５】
以上のことから、本実施形態のパチンコ遊技機１０では、大入賞口扉２８の開放態様を視認しても２Ｒ特別確変大当り遊技と、２Ｒ通常確変大当り遊技と、小当り遊技の区別が付かない。また、本実施形態のパチンコ遊技機１０では、ジャンプアップ大当り遊技においても、１ラウンド目の開始後、３回目の開放が行われる迄の間、２Ｒ特別確変大当り遊技、２Ｒ通常確変大当り遊技及び小当り遊技とは区別が付かない。これにより、遊技者は、大入賞口扉２８が短い時間（０．３２秒）で２回開放しても、その開放態様からはジャンプアップ大当り遊技であるか、確変２ラウンド大当り遊技であるか、又は小当り遊技であるかを区別し得ない。
【０１７６】
また、１５Ｒ特別確変大当り遊技と、１５Ｒ確変秘匿大当り遊技と、ステップアップ大当り遊技と、１５Ｒ通常確変大当り遊技と、１５Ｒ通常非確変大当り遊技とでは、１〜１０ラウンド目までの大入賞口扉２８の開放態様は同じである。このため、１〜１０ラウンド目までの大入賞口扉２８の開放態様から、１５Ｒ特別確変大当り遊技と、１５Ｒ確変秘匿大当り遊技と、ステップアップ大当り遊技と、１５Ｒ通常確変大当り遊技と、１５Ｒ通常非確変大当り遊技のうちいずれの大当り遊技であるか認識できない。
【０１７７】
また、図１６に示すように、ステップアップ大当り遊技の１１ラウンド目の大入賞口扉２８の開放態様と、１５Ｒ確変秘匿大当り遊技と、１５Ｒ通常確変大当り遊技と、１５Ｒ通常非確変大当り遊技の１１〜１５ラウンド目までの大入賞口扉２８の開放態様は同じである。具体的に言えば、図１６に示すように、ステップアップ大当り遊技の１１ラウンド目において、開放時間Ｔ６（０．３２秒）＋インターバル時間ＩＮａ（２．０秒）という開放態様で大入賞口扉２８を５回開閉させる。また、図１６（ｂ）に示すように、１５Ｒ確変秘匿大当り遊技と、１５Ｒ通常確変大当り遊技と、１５Ｒ通常非確変大当り遊技では、１１〜１５ラウンドの各ラウンド遊技において、開放時間Ｔ８（０．３２秒）＋インターバル時間ＩＮｃ（２．０秒）という開放態様で大入賞口扉２８を開閉させる。すなわち、１５Ｒ確変秘匿大当り遊技と、１５Ｒ通常確変大当り遊技と、１５Ｒ通常非確変大当り遊技では、１１ラウンド目以降、開放時間Ｔ８（０．３２秒）＋インターバル時間ＩＮｃ（２．０秒）という開放態様で大入賞口扉２８を５回開閉させる。すなわち、ステップアップ大当り遊技の１１ラウンド目の大入賞口扉２８の開放態様と、１５Ｒ確変秘匿大当り遊技と、１５Ｒ通常確変大当り遊技と、１５Ｒ通常非確変大当り遊技の１１〜１５ラウンド目までの大入賞口扉２８の開放態様は同じとした。このため、１１ラウンド目以降、大入賞口扉２８が５回開閉するまでは、その開放態様から１５Ｒ確変秘匿大当り遊技と、ステップアップ大当り遊技と、１５Ｒ通常確変大当り遊技のうちいずれの大当り遊技であるか認識できない。
【０１７８】
次に、普通図柄入力処理を図１７に従って説明する。
メインＣＰＵ３０ａは、遊技球が作動ゲート２３を通過したか否かを判定する（ステップＳ６１）。すなわち、ステップＳ６１においてメインＣＰＵ３０ａは、ゲートセンサＳＥ４が遊技球を検知した時に出力する第４検知信号を入力したか否かを判定する。ステップＳ６１の判定結果が否定の場合、メインＣＰＵ３０ａは、普通図柄入力処理を終了する。ステップＳ６１の判定結果が肯定の場合、メインＣＰＵ３０ａは、ＲＡＭ３０ｃに記憶されている普図始動保留記憶数が上限数の４未満であるか否かを判定する（ステップＳ６２）。ステップＳ６２の判定結果が否定（普図始動保留記憶数＝４）の場合、メインＣＰＵ３０ａは、普通図柄入力処理を終了する。
【０１７９】
ステップＳ６２の判定結果が肯定（普図始動保留記憶数＜４）の場合、メインＣＰＵ３０ａは、普図始動保留記憶数を＋１（１加算）し、普図始動保留記憶数を書き換える（ステップＳ６３）。続いて、メインＣＰＵ３０ａは、普通当り判定用乱数の値及び普図振分乱数の値をＲＡＭ３０ｃから読み出して取得し、該値を普図始動保留記憶数に対応付けられたＲＡＭ３０ｃの所定の記憶領域に設定する（ステップＳ６４）。その後、メインＣＰＵ３０ａは、普通図柄入力処理を終了する。
【０１８０】
次に、普通図柄開始処理について図１８に基づき説明する。メインＣＰＵ３０ａは、普通図柄開始処理を所定周期毎に実行するようになっている。
メインＣＰＵ３０ａは、まず、普図が変動表示中であるか否か及び普通当り遊技中であるか否か判定する（ステップＳ７１）。ステップＳ７１の判定結果が肯定の場合（普図ゲーム中である又は普通当り遊技中である場合）、メインＣＰＵ３０ａは、普通図柄開始処理を終了する。一方、ステップＳ７１の判定結果が否定の場合（普図ゲーム中でなく、普通当り遊技中でない場合）、メインＣＰＵ３０ａは、普図始動保留記憶数を読み出し（ステップＳ７２）、普図始動保留記憶数が「０」よりも大きいか否か判定する（ステップＳ７３）。
【０１８１】
ステップＳ７３の判定結果が否定の場合（普図始動保留記憶数＝０の場合）、メインＣＰＵ３０ａは、普通図柄開始処理を終了する。一方、ステップＳ７３の判定結果が肯定の場合（普図始動保留記憶数＞０の場合）、メインＣＰＵ３０ａは、普図始動保留記憶数の数を「１」減算（−１）し（ステップＳ７４）、当該普図始動保留記憶数に対応付けられてＲＡＭ３０ｃの所定の記憶領域に記憶されている普通当り判定用乱数の値を取得する（ステップＳ７５）。
【０１８２】
次に、メインＣＰＵ３０ａは、取得した普通当り判定用乱数の値がＲＯＭ３０ｂに記憶されている普通当り判定値と一致するか否かを判定して普通当り判定を行う（ステップＳ７６）。なお、本実施形態において、普通当り判定値は、入球率向上状態が付与されているか否かで変更されるようになっている。そして、通常状態の時（入球率向上状態が付与されていない時）、普通当り判定の判定結果が肯定となる確率（普通当り確率）は、３０／２５１としており、入球率向上状態が付与されている時、普通当り判定の判定結果が肯定となる確率（普通当り確率）は、２４０／２５１としている。
【０１８３】
ステップＳ７６の判定結果が肯定の場合（普通当りの場合）、メインＣＰＵ３０ａは、普通図柄表示器Ｈ１０にて確定停止表示される最終停止図柄を、普通図柄の当り図柄［１］［２］の中から決定する（ステップＳ７７）。なお、メインＣＰＵ３０ａは、ステップＳ７７において、取得した普図振分乱数の値に基づき、遊技者に有利な当り図柄［２］（第２普通図柄）を１／１１の確率で決定し、当り図柄［２］よりも不利な当り図柄［１］（第１普通図柄）を１０／１１の確率で決定するようになっている。一方、ステップＳ７６の判定結果が否定の場合（はずれの場合）、メインＣＰＵ３０ａは、普通図柄表示器Ｈ１０にて確定停止表示される最終停止図柄を、普通図柄のはずれ図柄［０］に決定する（ステップＳ７８）。
【０１８４】
その後、メインＣＰＵ３０ａは、複数種類の普図変動パターンの中から普図変動パターンを決定する（ステップＳ７９）。普図変動パターンは、入球率向上状態が付与されていない通常状態時に決定される通常状態時用の普図変動パターンと、入球率向上状態が付与されているときに決定される入球率向上状態時用の普図変動パターンに分類される。さらに、本実施形態における通常状態時用の普図変動パターンは、変動時間の異なる２種類のパターンが設けられている。具体的には、変動時間が長い１００００ｍｓの第１普図変動パターン（第２普通図柄変動パターン）と、当該第１普図変動パターンの変動時間よりも短い５０００ｍｓの第２普図変動パターン（第１普通図柄変動パターン）が設けられている。一方、本実施形態における入球率向上状態時用の普図変動パターンは、１種類であり、その変動時間は、第１普図変動パターン及び第２普図変動パターンのいずれの変動時間よりも短い時間（１０００ｍｓ）が設定されている第３普図変動パターンである。
【０１８５】
そして、メインＣＰＵ３０ａは、ステップＳ７９で、入球率向上状態が付与されている場合には、第３普図変動パターンを決定し、入球率向上状態が付与されていない場合には、第１普図変動パターン又は第２普図変動パターンのいずれかを決定する。なお、メインＣＰＵ３０ａは、入球率向上状態が付与されていない場合、第１普図変動パターンを９１／１０１の確率で決定する一方、第２普図変動パターンを１０／１０１の確率で決定するようになっている。
【０１８６】
普図変動パターン及び最終停止図柄を決定したメインＣＰＵ３０ａは、普図ゲームに関する各種処理を実行する（ステップＳ８０）。具体的に言えば、メインＣＰＵ３０ａは、普通図柄を変動開始させるように普通図柄表示器Ｈ１０の表示内容を制御する。また、同時に、メインＣＰＵ３０ａは、普図変動ゲームの変動時間の計測を開始する。そして、メインＣＰＵ３０ａは、普通図柄開始処理を終了する。その後、普通図柄開始処理とは別の処理で、メインＣＰＵ３０ａは、決定した普図変動パターンに定められている変動時間に基づいて、決定した最終停止図柄を表示させるように普通図柄表示器Ｈ１０の表示内容を制御する。
【０１８７】
そして、メインＣＰＵ３０ａは、普通当りを決定した場合、決定した普図変動パターンに基づく普図ゲームの終了後、普通当り遊技に関する制御を実行する。
メインＣＰＵ３０ａは、普図ゲームが終了したとき、入球率向上状態が付与されている場合には、開閉羽根２６を３回開放させるとともに、各回の開放において開放してから１１６０ｍｓが経過するまで開放状態を維持するよう普通電動役物ソレノイドＳＯＬ２を制御する。
【０１８８】
一方、メインＣＰＵ３０ａは、普図ゲームが終了したとき、入球率向上状態が付与されていない場合であって、普通図柄による当り図柄が［１］である場合には、開閉羽根２６を１回開放させ、開放してから３００ｍｓ経過するまで開放状態を維持するように普通電動役物ソレノイドＳＯＬ２を制御する。また、メインＣＰＵ３０ａは、普図ゲームが終了したとき、入球率向上状態が付与されていない場合であって、普通図柄による当り図柄が［２］である場合には、開閉羽根２６を１回開放させ、開放してから２５００ｍｓ経過するまで開放状態を維持するように普通電動役物ソレノイドＳＯＬ２を制御する。
【０１８９】
なお、メインＣＰＵ３０ａは、開放してから規定時間経過する前であっても、入球上限個数（例えば、１０球）の遊技球が入球したときには、開閉羽根２６を閉鎖させるように制御する。同様に、メインＣＰＵ３０ａは、所定回数開放していなくても、入球上限個数（例えば、１０球）の遊技球が入球したときには、開閉羽根２６を閉鎖させるように制御する。
【０１９０】
従って、本実施形態では、普通図柄表示器Ｈ１０が、普図ゲームを表示する普通図柄表示手段となる。また、作動ゲート２３が、普図ゲームの始動条件を付与する第３始動手段となる。また、主制御基板３０のＲＡＭ３０ｃが、普図始動保留記憶数を記憶する普通図柄保留記憶手段となる。また、メインＣＰＵ３０ａが、普図ゲームを実行させる普通図柄制御手段となる。また、メインＣＰＵ３０ａが、開閉羽根２６（開閉機構）を開放させる開放制御手段となる。
【０１９１】
次に、統括制御基板３１の統括ＣＰＵ３１ａが統括制御プログラムに基づき実行する各種処理について説明する。メインＣＰＵ３０ａから所定の制御コマンドを所定のタイミングで入力すると、統括ＣＰＵ３１ａは、それに応じて所定の制御コマンドを所定のタイミングで出力する。具体的に言えば、統括ＣＰＵ３１ａは、オープニングコマンド、ラウンドコマンド及びエンディングコマンドを入力すると、当該オープニングコマンド、ラウンドコマンド及びエンディングコマンドを各制御基板３２〜３４にそれぞれ出力する。
【０１９２】
また、統括ＣＰＵ３１ａは、変動パターンＰ１，Ｐ４〜Ｐ６，Ｐ９〜Ｐ１３を指定する変動パターン指定コマンドを入力すると、当該変動パターン指定コマンドを各制御基板３２〜３４に出力する。また、統括ＣＰＵ３１ａは、連続予告演出にて、２回以上の変動サイクルが実行される変動パターンＰ２，Ｐ３，Ｐ７，Ｐ８，Ｐ１４を指定する変動パターン指定コマンドを入力した場合、１回目の変動サイクル開始時に、１回目の変動サイクルの演出内容を特定する変動パターンとして変動パターンＰ１２を指定する変動パターン指定コマンドを出力する。これは、変動パターンＰ２，Ｐ３，Ｐ７，Ｐ８、Ｐ１４に基づく図柄変動ゲームでは、１回目の変動サイクルの演出内容が変動パターンＰ１２により特定される演出内容と同一であるためである。
【０１９３】
同様に、統括ＣＰＵ３１ａは、変動パターンＰ３，Ｐ８を指定する変動パターン指定コマンドを入力した場合、２回目の変動サイクル開始時に、２回目の変動サイクルの演出内容を特定する変動パターンとして変動パターンＰ１２を指定する変動パターン指定コマンドを出力する。これは、変動パターンＰ３，Ｐ８に基づく図柄変動ゲームでは、２回目の変動サイクルの演出内容が変動パターンＰ１２により特定される演出内容と同一であるためである。
【０１９４】
その一方で、統括ＣＰＵ３１ａは、変動パターンＰ２，Ｐ７，Ｐ１４を指定する変動パターン指定コマンドを入力した場合、２回目の変動サイクル開始時において、２回目の変動サイクルの演出内容を特定する変動パターンとして、変動パターンＰ２，Ｐ７，Ｐ１４を指定する変動パターン指定コマンドを出力する。なお、本実施形態の変動パターンＰ２，Ｐ７，Ｐ１４は、２回目の変動サイクルの演出内容だけを特定するようになっている。また、統括ＣＰＵ３１ａは、変動パターンＰ３，Ｐ８を指定する変動パターン指定コマンドを入力した場合、３回目の変動サイクル開始時において、３回目の変動サイクルの演出内容を特定する変動パターンとして、変動パターンＰ３，Ｐ８を指定する変動パターン指定コマンドを出力する。なお、本実施形態の変動パターンＰ３，Ｐ８は、３回目の変動サイクルの演出内容だけを特定するようになっている。
【０１９５】
このように、複数回の変動サイクルの連続予告演出が実行される際、最後の変動サイクルを除いて、各変動サイクルの演出内容を共通化している。このため、統括ＣＰＵ３１ａは、変動サイクルが２回以上存在する変動パターンＰ２，Ｐ３，Ｐ７，Ｐ８，Ｐ１４が指定された場合、共通化されている変動サイクルの開始時（変動パターンＰ２，Ｐ７，Ｐ１４が指定された場合には１回目の変動サイクル開始時、変動パターンＰ３，Ｐ８が指定された場合には１回目と２回目の変動サイクル開始時）には、共通化した変動サイクルの演出内容を特定するための変動パターンＰ１２を指定する変動パターン指定コマンドを出力する。そして、統括ＣＰＵ３１ａは、最後の変動サイクルにて各変動パターンに対応する変動パターン指定コマンドを出力する。これにより、変動パターンの記憶量を少なくすることができる。
【０１９６】
また、統括ＣＰＵ３１ａは、変動パターン指定コマンドを入力すると、当該変動パターン指定コマンドにより指定される変動パターンに基づき、各図柄変動ゲームにおける大当り表示結果が表示されるか否かの可能性を示唆する大当り予告の具体的な演出内容を特定するための予告パターンを決定するようになっている。本実施形態では、変動パターンＰ１〜Ｐ３、Ｐ６〜Ｐ８，Ｐ１４には、図１９に示すように、それぞれ複数の予告パターン（本実施形態では、３つのパターン）が対応付けられており、抽選によりいずれかの演出実行パターンを決定するようになっている。具体的には、変動パターンＰ１〜Ｐ３、Ｐ６〜Ｐ８，Ｐ１４が決定された場合、統括ＣＰＵ３１ａは、予告パターンＹａを３５％の確率で選択し、予告パターンＹｂを３５％の確率で選択し、予告パターンＹｃを３０％の確率で選択するようになっている。その他の変動パターンＰ４〜Ｐ５，Ｐ９〜Ｐ１３には、それぞれ１つずつ予告パターンが対応付けられており、統括ＣＰＵ３１ａは、当該予告パターンを決定する。
【０１９７】
各予告パターンについて具体的に説明する。変動パターンＰ１〜Ｐ３、Ｐ６〜Ｐ８，Ｐ１４は、図１９に示すようにそれぞれ予告パターンＹａに対応付けられている。予告パターンＹａに基づく図柄変動ゲームでは、連続予告演出と共に、各変動サイクルにおいて、予め決められた表示画像を段階的に表示させるステップアップ予告演出が実行されるようになっている。また、変動パターンＰ１〜Ｐ３、Ｐ６〜Ｐ８，Ｐ１４は、図１９に示すようにそれぞれ予告パターンＹｂに対応付けられている。これらの予告パターンＹｂに基づく図柄変動ゲームでは、前述した連続予告演出と共に、各変動サイクルにおいて、連続予告演出の変動サイクルの回数を示す連続回数報知演出が実行されるようになっている。また、変動パターンＰ１〜Ｐ１４は、図１９に示すようにそれぞれ予告パターンＹｃに対応付けられている。これらの予告パターンＹｃに基づく図柄変動ゲームでは、各変動サイクルにおいて、スピーカ１７から音声を出力させる音声予告演出が実行されるようになっている。
【０１９８】
そして、統括ＣＰＵ３１ａは、予告パターンを決定すると、決定した予告パターンに基づき、変動サイクル毎に、ステップアップ予告演出、連続回数報知演出及び音声予告演出の具体的な演出内容を特定する演出実行パターンを決定するようになっている。
【０１９９】
詳しく説明すると、統括ＣＰＵ３１ａは、図２０（ａ）に示すように、変動パターンＰ１〜Ｐ３、Ｐ６〜Ｐ８，Ｐ１４が決定されたときであって、ステップアップ予告演出を実行させる予告パターンＹａを決定したとき、１回目の変動サイクルにおける１段階目の表示画像を特定する演出実行パターンとして演出実行パターンＤ１を決定する。また、統括ＣＰＵ３１ａは、変動パターンＰ２〜Ｐ３、Ｐ７〜Ｐ８，Ｐ１４が決定されたときであって、予告パターンＹａを決定したとき、２回目の変動サイクルにおける２段階目の表示画像を特定する演出実行パターンを複数の演出実行パターンＤ０，Ｄ２の中から決定する。例えば、統括ＣＰＵ３１ａは、変動パターンＰ２が決定されたときであって、予告パターンＹａを決定したとき、２回目の変動サイクルにおける２段階目の表示画像を特定する演出実行パターンとして、演出実行パターンＤ０を１０％の確率で決定し、演出実行パターンＤ２を９０％の確率で決定する。また、統括ＣＰＵ３１ａは、変動パターンＰ３、Ｐ８が決定されたときであって、予告パターンＹａを決定したとき、３回目の変動サイクルにおける３段階目の表示画像を特定する演出実行パターンとして演出実行パターンＤ３を決定する。
【０２００】
そして、統括ＣＰＵ３１ａは、決定した演出実行パターンＤ０〜Ｄ３を指定する演出実行パターン指定コマンドを変動サイクル毎に、それぞれ各制御基板３２〜３４に出力する。
【０２０１】
なお、演出実行パターンＤ１により、１回の変動サイクル中に、１段階目の表示画像として予め決められたキャラクタ画像（キャラクタＫ１）が表示されるように可変表示器Ｈ２の表示内容が特定される。また、演出実行パターンＤ２により、１回の変動サイクル中に、２段階目の表示画像として予め決められたキャラクタ画像（キャラクタＫ１とキャラクタＫ２）が表示されるように可変表示器Ｈ２の表示内容が特定される。また、演出実行パターンＤ３により、１回の変動サイクル中に、３段階目の表示画像として予め決められたキャラクタ画像（キャラクタＫ１〜キャラクタＫ３）が表示されるように可変表示器Ｈ２の表示内容が特定される。また、演出実行パターンＤ０により、１回の変動サイクル中に、各段階の表示画像が表示されないように可変表示器Ｈ２の表示内容が特定される。
【０２０２】
そして、統括ＣＰＵ３１ａは、図２０（ｂ）に示すように、変動パターンＰ１，Ｐ６が決定されたときであって、予告パターンＹｂを決定したとき、１回目の変動サイクルの演出内容を特定する演出実行パターンとして、演出実行パターンＤ１１を決定する。また、統括ＣＰＵ３１ａは、変動パターンＰ２，Ｐ７，Ｐ１４が決定されたときであって、予告パターンＹｂを決定したとき、１回目の変動サイクルの演出内容を特定する演出実行パターンとして、演出実行パターンＤ１１を７０％の確率で決定し、演出実行パターンＤ１２を３０％の確率で決定する。また、統括ＣＰＵ３１ａは、大当り演出用の変動パターンＰ２が決定されたときであって、予告パターンＹｂを決定したとき、２回目の変動サイクルの演出内容を特定する演出実行パターンとして、演出実行パターンＤ１１を１０％の確率で決定し、演出実行パターンＤ１２を９０％の確率で決定する。また、統括ＣＰＵ３１ａは、はずれ演出用の変動パターンＰ７，Ｐ１４が決定されたときであって、予告パターンＹｂを決定したとき、２回目の変動サイクルの演出内容を特定する演出実行パターンとして、演出実行パターンＤ１２を決定する。
【０２０３】
また、統括ＣＰＵ３１ａは、変動パターンＰ３，Ｐ８が決定されたときであって、予告パターンＹｂを決定したとき、１回目の変動サイクルの演出内容を特定する演出実行パターンとして、演出実行パターンＤ１１を７０％の確率で決定し、演出実行パターンＤ１２を２０％の確率で決定し、演出実行パターンＤ１３を１０％の確率で決定する。また、統括ＣＰＵ３１ａは、大当り演出用の変動パターンＰ３が決定されたときであって、予告パターンＹｂを決定したとき、２回目の変動サイクルの演出内容を特定する演出実行パターンとして、演出実行パターンＤ１１を１０％の確率で決定し、演出実行パターンＤ１２を７０％の確率で決定し、演出実行パターンＤ１３を２０％の確率で決定する。また、統括ＣＰＵ３１ａは、大当り演出用の変動パターンＰ３が決定されたときであって、予告パターンＹｂを決定したとき、３回目の変動サイクルの演出内容を特定する演出実行パターンとして、演出実行パターンＤ１１を１０％の確率で決定し、演出実行パターンＤ１２を１０％の確率で決定し、演出実行パターンＤ１３を８０％の確率で決定する。
【０２０４】
また、統括ＣＰＵ３１ａは、はずれ演出用の変動パターンＰ８が決定されたときであって、予告パターンＹｂを決定したとき、２回目の変動サイクルの演出内容を特定する演出実行パターンとして、演出実行パターンＤ１１を７０％の確率で決定し、演出実行パターンＤ１２を３０％の確率で決定する。また、統括ＣＰＵ３１ａは、はずれ演出用の変動パターンＰ９が決定されたときであって、予告パターンＹｂを決定したとき、３回目の変動サイクルの演出内容を特定する演出実行パターンとして、演出実行パターンＤ１３を決定する。
【０２０５】
そして、統括ＣＰＵ３１ａは、決定した演出実行パターンＤ１１〜Ｄ１３を指定する演出実行パターン指定コマンドを変動サイクル毎に、それぞれ各制御基板３２〜３４に出力する。
【０２０６】
なお、演出実行パターンＤ１１に基づいて、変動サイクルが実行されると、装飾ランプ１６及び可変表示器Ｈ２の背景画像の色が、青色となる。また、演出実行パターンＤ１２に基づいて、変動サイクルが実行されると、装飾ランプ１６及び可変表示器Ｈ２の背景画像の色が、紫色となる。演出実行パターンＤ１３に基づいて、変動サイクルが実行されると、装飾ランプ１６及び可変表示器Ｈ２の背景画像の色が、赤色となる。
【０２０７】
そして、本実施形態では、図２０（ｂ）に示すように、演出実行パターンＤ１１は、１回目の変動サイクルの演出実行パターンとして決定されやすくなるように乱数が振り分けられている。また、演出実行パターンＤ１２は、２回目の変動サイクルの演出実行パターンとして決定されやすくなるように乱数が振り分けられている。また、演出実行パターンＤ１３は、３回目の変動サイクルの演出実行パターンとして決定されやすくなるように乱数が振り分けられている。このため、演出実行パターンＤ１１に基づく連続回数報知演出は、１回目の変動サイクルを示す演出であると遊技者に認識させることができる。また、演出実行パターンＤ１２に基づく連続回数報知演出は、２回目の変動サイクルを示す演出であると遊技者に認識させることができる。また、演出実行パターンＤ１３に基づく連続回数報知演出は、３回目の変動サイクルを示す演出であると遊技者に認識させることができる。
【０２０８】
また、統括ＣＰＵ３１ａは、連続回数報知演出の演出内容を特定する複数の演出実行パターンＤ１１〜Ｄ１３の中から演出実行パターンを決定する際、決定された変動パターンにより特定される連続予告演出の変動サイクルの上限回数以下の回数を示す演出実行パターンＤ１１〜Ｄ１３を決定するようになっている。例えば、統括ＣＰＵ３１ａは、連続予告演出の変動サイクルの上限回数が３回である変動パターンＰ３が決定されたとき、１回目の変動サイクルの演出実行パターンとして、３回目の変動サイクルにて決定されやすい演出実行パターンＤ１３を決定する場合がある。
【０２０９】
その一方で、統括ＣＰＵ３１ａは、連続回数報知演出の演出内容を特定する複数の演出実行パターンＤ１１〜Ｄ１３の中から演出実行パターンを決定する際、決定された変動パターンにより特定される連続予告演出の変動サイクルの上限回数より大きい回数を示す演出実行パターンＤ１１〜Ｄ１３を決定することはない。例えば、統括ＣＰＵ３１ａは、連続予告演出の変動サイクルの上限回数が２回である変動パターンＰ２が決定されたとき、１回目の変動サイクルの演出実行パターンとして、３回目の変動サイクルにて決定されやすい演出実行パターンＤ１３の中から決定することはない。このため、遊技者は、連続回数報知演出の演出内容から、当該連続回数報知演出が示す回数までは、少なくとも連続予告演出が継続実行されることを知ることができる。そして、連続予告演出における変動サイクルの回数により、大当り信頼度の高低が分かることから、遊技者は、連続回数報知演出の演出内容から大当り信頼度の高低をいち早く知ることができる場合がある。よって、遊技者に連続回数報知演出を注目させることができる。
【０２１０】
また、統括ＣＰＵ３１ａは、大当り演出用の変動パターンＰ２〜Ｐ３が決定された場合、複数の演出実行パターンＤ１１〜Ｄ１３の中から演出実行パターンを決定する際、連続回数報知演出を実行する変動サイクルの回数よりも少ない回数を示す連続回数報知演出の演出内容を特定する演出実行パターンＤ１１〜Ｄ１３を決定する場合がある。例えば、統括ＣＰＵ３１ａは、変動パターンＰ３が決定された場合、現在の変動サイクルが２回目であるときに、２回目の変動サイクルの演出実行パターンとして、１回目の変動サイクルにて決定されやすい（すなわち、１回目の変動サイクルを示す）演出実行パターンＤ１１の中から決定する場合がある。
【０２１１】
その一方で、統括ＣＰＵ３１ａは、はずれリーチ演出用の変動パターンＰ７〜Ｐ８又ははずれ演出用の変動パターンＰ１４が決定された場合に、複数の演出実行パターンＤ１１〜Ｄ１３の中から演出実行パターンを決定する際、連続回数報知演出を実行する変動サイクルの回数よりも少ない回数を示す連続回数報知演出の演出内容を特定する演出実行パターンＤ１１〜Ｄ１３を決定する場合はない。例えば、統括ＣＰＵ３１ａは、変動パターンＰ８が決定された場合に、現在の変動サイクルが２回目であるときに、２回目の変動サイクルの演出実行パターンとして、１回目の変動サイクルにて決定されやすい（すなわち、１回目の変動サイクルを示す）演出実行パターンＤ１１の中から決定する場合はない。このため、遊技者は、現在の変動サイクルの回数よりも少ない回数を示す連続回数報知演出が実行された場合、大当りが確定したことを認識することができる。このため、遊技者に、変動サイクルの回数と、連続回数報知演出の演出内容について注目させることができる。
【０２１２】
そして、統括ＣＰＵ３１ａは、変動パターンＰ１〜Ｐ１４が決定されたときであって、予告パターンＹｃを決定したとき、１回目の変動サイクルにおけるスピーカ１７の出力音を特定する演出実行パターンを複数（本実施形態では３）の演出実行パターンＤ２１〜Ｄ２３の中から決定する。また、統括ＣＰＵ３１ａは、変動パターンＰ２〜Ｐ３、Ｐ７〜Ｐ８，Ｐ１４が決定されたときであって、予告パターンＹｃを決定したとき、２回目の変動サイクルにおけるスピーカ１７の出力音を特定する演出実行パターンを複数の演出実行パターンＤ２１〜Ｄ２３の中から決定する。また、統括ＣＰＵ３１ａは、変動パターンＰ３、Ｐ８が決定されたときであって、予告パターンＹｃを決定したとき、３回目の変動サイクルにおけるスピーカ１７の出力音を特定する演出実行パターンを複数の演出実行パターンＤ２１〜Ｄ２３の中から決定する。
【０２１３】
そして、統括ＣＰＵ３１ａは、決定した演出実行パターンＤ２１〜Ｄ２３を指定する演出実行パターン指定コマンドを変動サイクル毎に、それぞれ各制御基板３２〜３４に出力する。
【０２１４】
なお、演出実行パターンＤ２１により、１回の変動サイクル中に、爆発音がスピーカ１７から出力されるようにスピーカ１７の出力音が特定される。また、演出実行パターンＤ２２により、１回の変動サイクル中に、ベル音がスピーカ１７から出力されるようにスピーカ１７の出力音が特定される。また、演出実行パターンＤ２３により、１回の変動サイクル中に、銃声がスピーカ１７から出力されるようにスピーカ１７の出力音が特定される。
【０２１５】
以上のように、連続予告演出が行われない図柄変動ゲームに使用する音声予告演出の演出実行パターンを、連続予告演出が行われるときの変動サイクルにおいても流用しているため、連続予告演出専用の予告演出を設ける必要が無くなる。このため、記憶量を減らすことができると共に、開発の手間を少なくすることができる。
【０２１６】
また、統括ＣＰＵ３１ａは、変動パターン指定コマンド及び特別図柄指定コマンドを入力すると、当該変動パターン指定コマンドにより指定された変動パターン及び特別図柄指定コマンドにより指定された最終停止図柄に基づき、可変表示器Ｈ２に確定停止表示させる飾り図柄による図柄組み合わせを決定する。
【０２１７】
より詳しくは、統括ＣＰＵ３１ａは、指定された最終停止図柄が、１５Ｒ特別確変大当り遊技に対応する大当り図柄の場合、飾り図柄の図柄組み合わせとして、１５Ｒ特別確変大当り遊技が付与されること及び大当りを認識し得る特定図柄による図柄組み合わせ［７７７］、又は多数の賞球獲得のチャンスを期待させると共に、確変状態が付与される可能性があることを示唆すると共に大当りを認識し得るチャンスの図柄組み合わせ（［１１１］［２２２］［３３３］［４４４］［５５５］［６６６］［８８８］）を決定する。
【０２１８】
また、統括ＣＰＵ３１ａは、指定された最終停止図柄が、ステップアップ大当り遊技、１５Ｒ通常確変大当り遊技、１５Ｒ確変秘匿大当り遊技、１５Ｒ通常非確変大当り遊技に対応する大当り図柄の場合、飾り図柄の図柄組み合わせとして、チャンスの図柄組み合わせを決定する。また、統括ＣＰＵ３１ａは、指定された最終停止図柄が、ジャンプアップ大当り遊技、２Ｒ特別確変大当り遊技、２Ｒ通常確変大当り遊技に対応する大当り図柄の場合、飾り図柄の図柄組み合わせとして、確変示唆の図柄組み合わせを決定する。また、統括ＣＰＵ３１ａは、指定された最終停止図柄が、小当り図柄の場合には、ジャンプアップ大当り遊技、２Ｒ特別確変大当り遊技、２Ｒ通常確変大当り遊技の時と同様に、確変示唆の図柄組み合わせを決定する。
【０２１９】
また、統括ＣＰＵ３１ａは、指定された最終停止図柄が、はずれ図柄の場合であって、はずれリーチ演出用の変動パターンＰ６〜Ｐ８が指定された場合、はずれリーチの図柄組み合わせを決定する。また、統括ＣＰＵ３１ａは、指定された最終停止図柄が、はずれ図柄の場合であって、はずれ演出用の変動パターンＰ９〜Ｐ１４が指定された場合、はずれの図柄組み合わせを決定する。そして、統括ＣＰＵ３１ａは、決定した各列の飾り図柄を指定する飾り図柄指定コマンドを表示制御基板３２に出力する。また、メインＣＰＵ３０ａは、全図柄停止コマンドを入力すると、当該コマンドを表示制御基板３２に出力する。
【０２２０】
また、統括ＣＰＵ３１ａは、大当り遊技が付与される場合、指定された最終停止図柄と、決定した飾り図柄による大当りの図柄組み合わせにより、大当り遊技の具体的な演出内容を特定する演出パターンを決定し、当該演出パターンを出力するようになっている。
【０２２１】
詳しく説明すると、統括ＣＰＵ３１ａは、指定された最終停止図柄が、１５Ｒ特別確変大当り遊技に対応する大当り図柄の場合であって、飾り図柄として特定図柄による図柄組み合わせを決定した場合、１５Ｒ特別確変大当り遊技が付与されたことを示す遊技演出を大当り遊技の演出内容とする演出パターンを出力する。また、統括ＣＰＵ３１ａは、指定された最終停止図柄が、１５Ｒ特別確変大当り遊技に対応する大当り図柄の場合であって、飾り図柄として、チャンスの図柄組み合わせを決定した場合、１〜１０ラウンド目のうちいずれかのラウンド遊技にて１５Ｒ特別確変大当り遊技が付与されることを示す遊技演出を大当り遊技の演出内容とする演出パターンを出力する。
【０２２２】
また、統括ＣＰＵ３１ａは、指定された最終停止図柄が、ステップアップ大当り遊技、１５Ｒ通常確変大当り遊技、１５Ｒ確変秘匿大当り遊技又は１５Ｒ通常非確変大当り遊技に対応する大当り図柄の場合、１１ラウンド目のラウンド遊技にて大当り遊技終了後に確変状態が付与されるか否かを示唆する遊技演出を大当り遊技の演出内容とする演出パターンを出力する。
【０２２３】
また、統括ＣＰＵ３１ａは、指定された最終停止図柄が、２Ｒ特別確変大当り遊技、２Ｒ通常確変大当り遊技に対応する大当り図柄の場合には、確変状態が付与される可能性があることを示唆する遊技演出を大当り遊技の演出内容とする演出パターンを出力する。また、統括ＣＰＵ３１ａは、指定された最終停止図柄が、ジャンプアップ大当り遊技に対応する大当り図柄の場合には、２Ｒ特別確変大当り遊技の演出内容と同一内容の遊技演出が実行された後、確変状態が付与されることを示す遊技演出を大当り遊技の演出内容とする演出パターンを出力する。
【０２２４】
また、統括ＣＰＵ３１ａは、指定された最終停止図柄が小当り図柄の場合には、２Ｒ特別確変大当り遊技の演出内容と同一内容の遊技演出を小当り遊技の演出内容とする演出パターンを出力する。
【０２２５】
また、統括ＣＰＵ３１ａは、入力した変動パターン指定コマンドにより、連続予告演出における変動サイクルの回数が２回以上である変動パターンＰ２，Ｐ３，Ｐ７，Ｐ８，Ｐ１４が指定された場合、１回目の変動サイクルにおいて一旦停止表示させる飾り図柄の図柄組み合わせを決定する。このとき、統括ＣＰＵ３１ａは、１回目の変動サイクルの図柄組み合わせとして、はずれの図柄組み合わせの中から、変動サイクルが継続する可能性を示唆するチャンス目の図柄組み合わせを決定するようになっている。本実施形態の統括ＣＰＵ３１ａは、チャンス目の図柄組み合わせを決定する際、次の変動サイクルの実行が確定する確定チャンス目の図柄組み合わせと、次の変動サイクルが高確率で実行されることを示す強チャンス目の図柄組み合わせと、次の変動サイクルが低確率で実行されることを示す弱チャンス目の図柄組み合わせのいずれかから決定するようになっている。なお、統括ＣＰＵ３１ａは、３種類のチャンス目の図柄組み合わせのうち、強チャンス目の図柄組み合わせを一番高確率で決定するようになっており、次に弱チャンス目の図柄組み合わせを高確率で決定するようになっている。その一方、統括ＣＰＵ３１ａは、一番低い確率で確定チャンス目の図柄組み合わせを決定するようになっている。
【０２２６】
そして、前記確定チャンス目の図柄組み合わせは、図柄変動ゲーム終了時に可変表示器Ｈ２に確定停止表示されるはずれの図柄組み合わせとして選択されることがない図柄組み合わせとなっており、本実施形態では、［３５７］及び［３７５］が確定チャンス目の図柄組み合わせとなっている。また、前記強チャンス目の図柄組み合わせは、図柄変動ゲーム終了時に可変表示器Ｈ２に確定停止表示されるはずれの図柄組み合わせとして選択される可能性が低くなるように設定されていると共に、弱チャンス目の図柄組み合わせよりも選択される可能性が高くなるように設定されている。本実施形態では、［３３７］及び［３７７］が強チャンス目の図柄組み合わせとなっている。前記弱チャンス目の図柄組み合わせは、図柄変動ゲーム終了時に可変表示器Ｈ２に確定停止表示されるはずれの図柄組み合わせとして選択される可能性が高くなるように設定されていると共に、強チャンス目の図柄組み合わせよりも選択される可能性が低くなるように設定されている。本実施形態では、［２２７］及び［４４７］が弱チャンス目の図柄組み合わせとなっている。
【０２２７】
統括ＣＰＵ３１ａは、確定チャンス目の図柄組み合わせと、強チャンス目の図柄組み合わせと、弱チャンス目の図柄組み合わせのうちどの種類のチャンス目の図柄組み合わせを表示させるかを決定した後、決定した種類のチャンス目の図柄組み合わせに分類される図柄組み合わせの中からチャンス目の図柄組み合わせを決定する。
【０２２８】
このため、遊技者は、例えば、強チャンス目の図柄組み合わせ［３３７］が表示されたときには、変動サイクルが継続するのではないかと期待することとなる。そして、統括ＣＰＵ３１ａは、決定した図柄組み合わせを、１回目の変動サイクル終了時に一旦停止表示させる図柄組み合わせとして指定する第１回継続図柄指定コマンドを表示制御基板３２に出力する。
【０２２９】
同様に、統括ＣＰＵ３１ａは、入力した変動パターン指定コマンドにより、連続予告演出における変動サイクルの回数が３回である変動パターンＰ３，Ｐ８が指定された場合、２回目の変動サイクルにおいて一旦停止表示される飾り図柄の図柄組み合わせを決定する。このとき、統括ＣＰＵ３１ａは、２回目の変動サイクルの演出実行パターンとして演出実行パターンＤ０が決定されていないとき、２回目の変動サイクルの図柄組み合わせとして、はずれの図柄組み合わせのうち、チャンス目の図柄組み合わせを決定するようになっている。一方で、統括ＣＰＵ３１ａは、２回目の変動サイクルの演出実行パターンとして演出実行パターンＤ０が決定されたとき、２回目の変動サイクルの図柄組み合わせとして、はずれの図柄組み合わせのうち、チャンス目の図柄組み合わせ以外のはずれの図柄組み合わせ、又は弱チャンス目の図柄組み合わせを決定するようになっている。そして、統括ＣＰＵ３１ａは、決定した図柄組み合わせを、２回目の変動サイクル終了時に一旦停止表示させる図柄組み合わせとして指定する第２回継続図柄指定コマンドを表示制御基板３２に出力する。
【０２３０】
次に、表示制御基板３２のサブＣＰＵ３２ａが表示制御プログラムに基づき実行する各種処理について説明する。
サブＣＰＵ３２ａは、統括制御基板３１（統括ＣＰＵ３１ａ）から制御コマンドを入力すると、表示制御プログラムに基づき、入力した制御コマンドに応じた制御を行う。具体的には、サブＣＰＵ３２ａは、変動パターン指定コマンドを入力すると、変動パターン指定コマンドにて指定された変動パターンで飾り図柄を変動表示させて図柄組み合わせゲームを開始させるように可変表示器Ｈ２の表示内容を制御する。そして、サブＣＰＵ３２ａは、全図柄停止コマンドを入力すると、入力した飾り図柄指定コマンドで指定された図柄組み合わせを可変表示器Ｈ２に表示させるように可変表示器Ｈ２の表示内容を制御する。この制御により、可変表示器Ｈ２では図柄変動ゲームが行われる。また、サブＣＰＵ３２ａは、変動サイクル毎に演出実行パターン指定コマンドを入力すると、当該演出実行パターン指定コマンドにより指定された演出内容で各種演出を可変表示器Ｈ２に実行させる。また、サブＣＰＵ３２ａは、変動サイクル中に第１回継続図柄指定コマンド又は第２回継続図柄指定コマンドを入力した場合、当該変動サイクル終了時に入力した第１回継続図柄指定コマンド又は第２回継続図柄指定コマンドにより指定された図柄組み合わせを可変表示器Ｈ２に一旦停止表示させるように制御する。
【０２３１】
また、サブＣＰＵ３２ａは、オープニングコマンドを入力すると、統括ＣＰＵ３１ａが決定した大当り遊技の演出内容を特定する演出パターンに基づき、オープニング演出を実行させるように可変表示器Ｈ２の表示内容を制御する。また、サブＣＰＵ３２ａは、ラウンドコマンドを入力すると、統括ＣＰＵ３１ａが決定した大当り遊技の演出内容を特定する演出パターンに基づき、各ラウンド演出を実行させるように可変表示器Ｈ２の表示内容を制御する。
【０２３２】
また、サブＣＰＵ３２ａは、エンディングコマンドを入力すると、統括ＣＰＵ３１ａが決定した大当り遊技の演出内容を特定する演出パターンに基づき、エンディング演出を実行させるように可変表示器Ｈ２の表示内容を制御する。このとき、サブＣＰＵ３２ａは、１５Ｒ通常確変大当り遊技、１５Ｒ特別確変大当り遊技、ジャンプアップ大当り遊技又はステップアップ大当り遊技が付与されていた場合には、確変状態が付与されることを報知させるようになっている。また、サブＣＰＵ３２ａは、１５Ｒ確変秘匿大当り遊技又は１５Ｒ通常非確変大当り遊技が付与されていた場合には、確変状態が付与される可能性があることを報知させるようになっている。これにより、可変表示器Ｈ２では、オープニング演出、ラウンド演出、エンディング演出がそれぞれ実行される。
【０２３３】
従って、本実施形態では、サブＣＰＵ３２ａが、予告演出を表示させる予告演出表示手段となる。また、主制御基板３０が、遊技機全体を制御する主制御装置となる。また、統括制御基板３１が、主制御基板３０からの制御信号に基づき各種制御を実行する副制御装置となる。また、メインＣＰＵ３０ａが、大当り判定を行う大当り判定手段となる。また、メインＣＰＵ３０ａが、変動パターンを決定する変動パターン決定手段となる。また、メインＣＰＵ３０ａが、変動パターン指定コマンドを出力する出力手段となる。また、統括ＣＰＵ３１ａが、制御コマンドを出力することによりサブＣＰＵ３２ａを制御する演出制御手段となる。
【０２３４】
次に、連続予告演出の演出態様及びステップアップ予告演出の演出態様について説明する。図２１は、変動パターンＰ３に基づく図柄変動ゲームが実行されたときにおける可変表示器Ｈ２の表示内容を示す画面遷移図である。なお、図２１では、予告パターンＹａが決定され、２回目の変動サイクルにおいて演出実行パターンＤ０が決定されたものとして説明する。
【０２３５】
図柄変動ゲームが開始され、１回目の変動サイクルが開始されると、サブＣＰＵ３２ａは、演出実行パターンＤ１に基づく第１段階の表示画像を表示させるように可変表示器Ｈ２の表示内容を制御する。これにより、可変表示器Ｈ２は、変動サイクルを実行させつつ、キャラクタＫ１を表示する（図２１（ａ）参照）。また、サブＣＰＵ３２ａは、１回目の変動サイクル終了時に第１回継続図柄指定コマンドにより指定されたチャンス目の図柄組み合わせを一旦停止表示させる（図２１（ｂ）参照）。これにより、遊技者に、変動サイクルが継続するのではないかと期待させることができる。
【０２３６】
２回目の変動サイクルが開始されると、前提よりサブＣＰＵ３２ａは、演出実行パターンＤ０に基づき、各段階の表示画像を表示させないように可変表示器Ｈ２の表示内容を制御する。これにより、可変表示器Ｈ２は、キャラクタを表示させることなく、飾図を変動表示させる（図２１（ｃ）参照）。このため、遊技者に、変動サイクルが実行されなく、１回の変動サイクルにて図柄変動ゲームが終了したのではないかと思わせることができる。また、サブＣＰＵ３２ａは、２回目の変動サイクル終了時に第２回継続図柄指定コマンドにより指定されたチャンス目の図柄組み合わせでないはずれの図柄組み合わせを一旦停止表示させる（図２１（ｄ）参照）。
【０２３７】
次に３回目の変動サイクルが開始されると、サブＣＰＵ３２ａは、演出実行パターンＤ３に基づき、３段階目の表示画像を表示させるように可変表示器Ｈ２の表示内容を制御する。これにより、可変表示器Ｈ２は、変動サイクルを実行させつつ、キャラクタＫ１〜Ｋ３を表示する（図２１（ｅ）参照）。このため、遊技者に、連続予告演出が継続していたことを認識させるとともに、大当り信頼度が高い変動サイクルの上限回数が多い（３回の）図柄変動ゲームが実行されていると認識させることができる。従って、遊技者に大当りへの期待を持たせることができる。
【０２３８】
そして、サブＣＰＵ３２ａは、３回目の変動サイクル中、変動パターンＰ３に基づき、リーチ演出を実行させ（図２１（ｆ）参照）、変動パターンＰ３に基づく図柄変動ゲームの終了時に、飾り図柄指定コマンドにより指定された大当りの図柄組み合わせを確定停止表示させる（図２１（ｇ）参照）。これにより、遊技者は、変動サイクル数が１回である連続予告演出が実行され、その後、ステップアップ予告演出が実行されない図柄変動ゲームが続いて実行された場合でも、連続予告演出が継続しているのではないかと期待させることができる。
【０２３９】
図２２は、変動パターンＰ２に基づく図柄変動ゲームが実行されたときにおける可変表示器Ｈ２の表示内容を示す画面遷移図である。なお、図２２では、予告パターンＹａが決定され、２回目の変動サイクルにおいて演出実行パターンＤ０が決定されたものとして説明する。
【０２４０】
図柄変動ゲームが実行され、１回目の変動サイクルが開始されると、サブＣＰＵ３２ａは、演出実行パターンＤ１に基づく第１段階の表示画像を表示させるように可変表示器Ｈ２の表示内容を制御する。これにより、可変表示器Ｈ２は、変動サイクルを表示しつつ、キャラクタＫ１を表示する（図２２（ａ）参照）。また、サブＣＰＵ３２ａは、１回目の変動サイクル終了時に第１回継続図柄指定コマンドにより指定されたチャンス目の図柄組み合わせを一旦停止表示させる（図２２（ｂ）参照）。これにより、遊技者に、変動サイクルが継続するのではないかと期待させることができる。
【０２４１】
２回目の変動サイクルが開始されると、前提よりサブＣＰＵ３２ａは、演出実行パターンＤ０に基づき、各段階の表示画像を表示させないように可変表示器Ｈ２の表示内容を制御する。これにより、可変表示器Ｈ２は、キャラクタを表示させることなく、飾図を変動表示させる（図２２（ｃ）参照）。このため、遊技者に、変動サイクルが実行されなく、１回の変動サイクルにて図柄変動ゲームが終了したのではないかと思わせることができる。
【０２４２】
そして、サブＣＰＵ３２ａは、２回目の変動サイクル中、変動パターンＰ２に基づき、リーチ演出を実行させ（図２２（ｄ）参照）、変動パターンＰ２に基づく図柄変動ゲームの終了時に、飾り図柄指定コマンドにより指定された大当りの図柄組み合わせを確定停止表示させる（図２２（ｅ）参照）。これにより、遊技者は、はずれリーチ演出用の変動パターンＰ６に基づき、変動サイクル数が１回である連続予告演出が実行され、その後、ステップアップ予告演出が実行されない図柄変動ゲームが続いて実行された場合でも、遊技者に連続予告演出が継続しているのではないかと期待させることができる。また、遊技者に、予想外のリーチ演出及び大当りの図柄組み合わせを表示させることができ、遊技の興趣を向上することができる。
【０２４３】
次に、連続予告演出の演出態様及び連続回数報知演出の演出態様について説明する。図２３は、変動パターンＰ３に基づく図柄変動ゲームが実行されたときにおける可変表示器Ｈ２の背景画像の色の変化を示すタイムチャートである。なお、図２３では、予告パターンＹｂが決定され、１回目の変動サイクルにおいて演出実行パターンＤ１３が決定され、２回目の変動サイクルにおいて演出実行パターンＤ１２が決定され、３回目の変動サイクルにおいてＤ１２が決定されたものとして説明する。
【０２４４】
図柄変動ゲームが開始され、１回目の変動サイクルが開始されると（時点Ｔ１０１）、サブＣＰＵ３２ａは、前提より演出実行パターンＤ１３に基づき、可変表示器Ｈ２の背景画像を赤色とするように可変表示器Ｈ２の表示内容を制御する。これにより、可変表示器Ｈ２は、背景画像を赤色とした状態で、変動サイクルを実行する。このため、遊技者は、３回目の変動サイクルを示す連続回数報知演出を見て（すなわち、背景画像が赤色となったことを見て）、連続予告演出における変動サイクルの上限回数が、３回であることを予め認識することができ、大当り信頼度が高いことを認識することができる。また、サブＣＰＵ３２ａは、１回目の変動サイクル終了時に第１回継続図柄指定コマンドにより指定されたチャンス目の図柄組み合わせを一旦停止表示させる（時点Ｔ１０２）。
【０２４５】
２回目の変動サイクルが開始されると（時点Ｔ１０３）、サブＣＰＵ３２ａは、前提より演出実行パターンＤ１２に基づき、可変表示器Ｈ２の背景画像を紫色とするように可変表示器Ｈ２の表示内容を制御する。これにより、可変表示器Ｈ２は、背景画像を紫色とした状態で、変動サイクルを実行する。また、サブＣＰＵ３２ａは、２回目の変動サイクル終了時に第２回継続図柄指定コマンドにより指定されたチャンス目の図柄組み合わせを一旦停止表示させる（時点Ｔ１０４）。
【０２４６】
次に３回目の変動サイクルが開始されると（時点Ｔ１０５）、サブＣＰＵ３２ａは、前提より演出実行パターンＤ１２に基づき、可変表示器Ｈ２の背景画像を紫色とするように可変表示器Ｈ２の表示内容を制御する。これにより、可変表示器Ｈ２は、背景画像を紫色とした状態で、変動サイクルを実行する。そして、図柄変動ゲームがはずれとなる場合では現在の変動サイクルよりも小さい回数を示す連続回数報知演出は実行されないため、遊技者は、３回目の変動サイクル中に、２回目の変動サイクルを示す連続回数報知演出が実行されたことから図柄変動ゲームが大当りとなることを認識することができる。
【０２４７】
そして、サブＣＰＵ３２ａは、３回目の変動サイクル中、変動パターンＰ３に基づき、リーチ演出を実行させ（時点Ｔ１０６）、変動パターンＰ３に基づく図柄変動ゲームの終了時に、飾り図柄指定コマンドにより指定された大当りの図柄組み合わせを確定停止表示させる（時点Ｔ１０７）。
【０２４８】
以上詳述したように、本実施形態は、以下の効果を有する。
（１）統括ＣＰＵ３１ａは、複数回の変動サイクルを実行させる連続予告演出中、予告パターンＹａを決定し、大当り信頼度が低い場合（変動サイクルの上限回数が少ない変動パターンＰ２，Ｐ７，Ｐ１４が決定された場合）には、所定回数（１回目）までの変動サイクルにおいて、予め決められた表示画像（キャラクタ）を段階的に表示させる。そして、統括ＣＰＵ３１ａは、この場合には、全ての変動サイクルが終了する前に、ステップアップ予告演出における表示画像の段階的表示を終了させる場合がある。
【０２４９】
その一方、予告パターンＹａを決定したとき、複数回の変動サイクルを実行させる連続予告演出中、大当り信頼度が高い場合（変動サイクルの上限回数が多い変動パターンＰ３，Ｐ８が決定された場合）、統括ＣＰＵ３１ａは、全ての変動サイクルにおいて、変動サイクル毎に予め決められた表示画像を段階的に表示させる。又は、統括ＣＰＵ３１ａは、変動サイクル毎に段階的に表示させていた表示画像（キャラクタ）を１又は複数回目（本実施形態では２回目）の変動サイクルで表示を中断させ、中断させた以降の変動サイクル（３回目以降の変動サイクル）にてステップアップ予告演出における表示画像（キャラクタ）を再び段階的に表示させている。このため、連続予告演出中に、ステップアップ予告演出における表示画像（キャラクタ）の段階的表示が中断してしまっても、後の変動サイクルにおいて再び表示画像が表示され、連続予告演出が継続するのではないかと大当りの期待を持たせることができる。特に、変動パターンＰ１４が決定され、全ての変動サイクルが終了する前に、ステップアップ予告演出における表示画像の段階的表示を終了された場合であっても、当該変動パターンＰ１４に基づく図柄変動ゲームの次の図柄変動ゲーム実行時において、連続予告演出が継続するのではないかと思わせることができ、遊技者に期待を持たせることができる。従って、遊技の興趣を向上させることができる。
【０２５０】
（２）また、ステップアップ予告演出において、段階毎に表示される表示画像は予め決まっており、ステップアップ予告演出における表示画像を見ることにより、現在の段階数、すなわち変動サイクル数を認識できるようになっている。このため、ステップアップ予告演出における表示画像の段階的表示が、一旦中断され、その後段階的表示が再開された場合であっても、遊技者は、何段階目の表示画像か（すなわち、変動サイクルの回数）を容易に認識することができる。
【０２５１】
（３）統括ＣＰＵ３１ａは、連続予告演出中、演出実行パターンＤ０に基づく変動サイクルと、最後の変動サイクルを除く各変動サイクル終了時には、はずれの図柄組み合わせのうち、予め決められた図柄組み合わせであって、変動サイクルの継続可能性を示唆するチャンス目の図柄組み合わせを一旦停止表示させる。これにより、各変動サイクル終了時に、連続予告演出が継続することを遊技者は認識することをできる。従って、遊技者が各変動サイクルにて一旦停止表示される図柄に注目させることができる。
【０２５２】
（４）その一方で、統括ＣＰＵ３１ａは、連続予告演出中、演出実行パターンＤ０に基づく変動サイクル終了時には、変動サイクルが継続する可能性が低い弱チャンス目の図柄組み合わせ［２２７］［４４７］、又はチャンス目の図柄組み合わせ以外のはずれの図柄組み合わせを一旦停止表示させる。このため、遊技者に、連続予告演出が終了したのではないかと思わせることができ、連続予告演出が継続していることを秘匿することができる。これにより、連続予告演出が実際に終了した場合であっても、遊技者に、連続予告演出が継続しているのではないかと期待させることができる。また、変動サイクルが開始され、表示画像が再び表示されたとき、より一層遊技者に驚きと喜びを与え、遊技の興趣を向上させることができる。
【０２５３】
（５）統括ＣＰＵ３１ａは、ステップアップ予告演出を実行させるとき、大当り信頼度が高い図柄変動ゲームにおいて変動サイクル毎に段階的に表示させていた表示画像の表示を中断させるまでの変動サイクルの回数を上限回数とする連続予告演出が実行される図柄変動ゲームがはずれとなる場合に、連続予告演出中、前記上限回数に達するまで変動サイクル毎に表示画像を段階的に表示させることがある。すなわち、大当り信頼度が低い場合の（変動パターンＰ１，Ｐ６に基づく）図柄変動ゲームにおいて、連続予告演出中の変動サイクルの上限回数は、大当り信頼度が高い場合の（変動パターンＰ３，Ｐ８に基づく）図柄変動ゲームにおいて、段階的に表示される表示画像が中断される前までの変動サイクル数（１回）と同一である。これにより、変動サイクル数から、連続予告演出が終了したか否かについて判断できない。このため、遊技者に、変動サイクルが再び行われること（連続予告演出が継続すること）について期待させることができる。
【０２５４】
（６）統括ＣＰＵ３１ａは、予告パターンＹｂを決定したとき、連続予告演出中、各変動サイクルが実行される際、当該連続予告演出にて実行される変動サイクルの上限回数以下の回数を示す連続回数報知演出を実行させる。このため、遊技者は、連続回数報知演出から連続予告演出がいつ終了するか認識することができる場合があり、どの変動サイクルにて図柄変動ゲームの表示結果が表示されるかが予め認識することができる場合がある。また、予告パターンＹｂが決定されたとき、各変動サイクルにおいて連続回数報知演出が実行されるため、どの変動サイクルから始まり、どの変動サイクルで終了するのかが分かるようになり、連続予告演出中の変動サイクルの回数が分かり、大当りへの期待度がどれほどであるかが分かるようになる。また、連続回数報知演出の変動サイクルの上限回数が示唆される場合があるため、連続回数報知演出の内容から大当りへの期待度を知ることができ、連続回数報知演出に注目させることができる。従って、連続予告演出中、いつまで変動サイクルが連続するか示唆して、連続予告演出に注目させることができ、遊技の興趣が向上する。
【０２５５】
（７）統括ＣＰＵ３１ａは、図柄変動ゲームが大当りとなる場合、各変動サイクルにて現在の変動サイクルの連続実行回数以下の回数を示す連続回数報知演出を実行可能とされている。その一方、図柄変動ゲームがはずれとなる場合、統括ＣＰＵ３１ａは、各変動サイクルにて現在の変動サイクルの連続実行回数以上の回数を示す連続回数報知演出を実行させる。このため、連続回数報知演出にて現在の連続実行回数以下の回数が示された場合、図柄変動ゲームが大当りとなることがわかる。従って、遊技者に連続回数報知演出及び現在の変動サイクル数を注目させることができ、遊技の興趣が向上する。
【０２５６】
（８）統括ＣＰＵ３１ａは、連続予告演出中、各変動サイクルにて現在の変動サイクルの連続実行回数を示す連続回数報知演出を実行しやすくなっている。このため、遊技者は、原則として連続回数報知演出の演出内容を見て、現在の変動サイクル数を確認することができる。
【０２５７】
（９）統括ＣＰＵ３１ａは、可変表示器Ｈ２の背景画像の色を変更させることにより変動サイクルの回数を示す連続回数報知演出を実行させる。このため、遊技者に、連続回数報知演出の演出内容を認識させやすくなっている。また、統括ＣＰＵ３１ａは、装飾ランプ１６の発光色を可変表示器Ｈ２の背景画像の色と同じように変更させることにより変動サイクルの回数を示す連続回数報知演出を実行させる。このため、遊技者により一層確実に連続回数報知演出の演出内容を認識させることができる。
【０２５８】
尚、上記実施形態は、次のような別の実施形態（別例）にて具体化できる。
・上記実施形態では、入球率向上状態が付与されていない場合、普図ゲームで当り図柄のうち普通図柄［２］が導出するときには、普通図柄［１］が導出されるときよりも第２始動入賞口２７の開放時間を長くなるようにしたが、同じにしても良い。
【０２５９】
・上記実施形態では、入球率向上状態が付与されていない場合において、普図ゲームの変動時間を複数種類設けたが、１種類でも良い。
・上記実施形態の第１の変動ゲームにおいて大当りとなるときに付与される大当り遊技の種類は、２Ｒ特別確変大当り遊技及び２Ｒ通常確変大当り遊技以外、変更しても良い。
【０２６０】
・上記実施形態の第２の変動ゲームにおいて大当りとなるときに付与される大当り遊技の種類は、１５Ｒ通常非確変大当り遊技及び１５Ｒ確変秘匿大当り遊技以外、変更しても良い。
【０２６１】
・上記実施形態において、大当りとなったとき、ジャンプアップ大当り遊技を付与しないようにしても良い。
・上記実施形態では、第１の変動ゲームと第２の変動ゲームの２種類の図柄変動ゲームを実行させていたが、１種類にしても良い。この場合、第１始動入賞口２５と第２始動入賞口２７に入賞した遊技球をいずれも同じように検知し、保留記憶数も共通化することとなる。
【０２６２】
・上記実施形態において、１５Ｒ通常非確変大当り遊技及び１５Ｒ確変秘匿大当り遊技終了後、入球率向上状態が付与される図柄変動ゲーム数は、１５Ｒ通常非確変大当り遊技及び１５Ｒ確変秘匿大当り遊技で同じであるならば、任意の数（例えば、５０回等）に変更しても良い。
【０２６３】
・上記実施形態では、小当り遊技における大入賞口扉２８と、２ラウンドの大当り遊技における大入賞口扉２８との開放態様が同じであれば、２ラウンドの大当り遊技における大入賞口扉２８の開放時間を変更しても良い。
【０２６４】
・上記実施形態において、第１の変動ゲームにおいて大当りとなるときに、２Ｒ通常確変大当り遊技が付与されなくても良い。
・上記実施形態において、第２の変動ゲームにおいて大当りとなるときに、２Ｒ特別確変大当り遊技及び２Ｒ通常確変大当り遊技が付与されるようにしても良い。このとき、２Ｒ特別確変大当り遊技及び２Ｒ通常確変大当り遊技の振り分けは、第１の変動ゲームにおけるよりも少なくする必要がある。
【０２６５】
・上記実施形態において、第１の変動ゲームにおいて大当りとなるときに、１５Ｒ確変秘匿大当り遊技が付与されるようにしても良い。
・上記実施形態において、第１の変動ゲームにおける小当り判定の当選確率と、第２の変動ゲームにおける小当り判定の当選確率を任意に変更しても良い。例えば、第１の変動ゲームにおける小当り判定の当選確率と、第２の変動ゲームにおける小当り判定の当選確率を同じにしても良い。
【０２６６】
・上記実施形態では、第２の変動ゲームにて、ジャンプアップ大当り遊技が決定される割合を、第１の変動ゲームにて、ジャンプアップ大当り遊技が決定される割合より高くしたが、任意に変更しても良い。例えば、第１の変動ゲームと、第２の変動ゲームとでジャンプアップ大当り遊技が決定される割合を同じにしても良い。
【０２６７】
・上記実施形態において、外部端子板４０は、大当り遊技状態信号をパチンコ機１０の外部に出力するタイミングを任意に変更しても良い。例えば、外部端子板４０は、大当り遊技状態信号を大当り遊技終了時に出力するようにしてもよく、大当り遊技開始時に出力しても良い。
【０２６８】
・上記実施形態において、１１ラウンド目までに、確変状態が付与されることを示す示唆演出を実行させても良い。なお、１１ラウンド目における大入賞口扉２８の開閉態様から、ステップアップ大当り遊技が付与されたか否かを認識できることから、１１ラウンド目までに、示唆演出を実行させるように構成することで、示唆演出の実行に対しても注目させることができる。また、１５Ｒ確変秘匿大当り遊技においては、示唆演出の実行を制限して、確変状態が秘匿される必要がある。
【０２６９】
・上記実施形態において、１５Ｒ特別確変大当り遊技が付与される場合、１１ラウンド目までに、１５Ｒ特別確変大当り遊技が付与されることを示す特別報知演出を実行させるようにしても良い。このように、ステップアップ大当り遊技、１５Ｒ確変秘匿大当り遊技、１５Ｒ通常確変大当り遊技又は１５Ｒ通常非確変大当り遊技であると認識されるまでに、特別報知演出を実行させることで、特別報知演出の実行に対して注目させることができる。
【０２７０】
・上記実施形態のステップアップ大当り遊技の１１ラウンド目のラウンド遊技では、大入賞口扉２８を６回開放させ、入球上限個数まで遊技球が入賞することが可能なようにしていたが、１５Ｒ通常確変大当り遊技などと判断できなくするために５回開放させるだけでも良い。
【０２７１】
・上記実施形態のジャンプアップ大当り遊技の１ラウンド目のラウンド遊技では、大入賞口扉２８を３回開放させ、入球上限個数まで遊技球が入賞することが可能なようにしていたが、２ラウンドの大当り遊技などと判断できなくするために２回開放させるだけでも良い。
【０２７２】
・上記実施形態では、確変状態を付与する場合、確変状態を付与する回数を１００００回に設定していたが、回数を任意に変更しても良い。例えば、５０００回でも良い。また、上限を設けず、次の大当りとなるまで確変状態を付与しても良い。
【０２７３】
・上記実施形態の統括ＣＰＵ３１ａは、図柄変動ゲームにてリーチ演出が行われる場合、上限回数が２回以上の連続予告演出を実行させるようにしてもよい。このため、連続回数報知演出が２回以上続いた場合には、リーチ演出が実行されることを認識することができる。
【０２７４】
・上記実施形態において、統括ＣＰＵ３１ａは、連続予告演出中、変動サイクル毎に段階的に表示させるステップアップ予告演出の表示画像を表示させる場合、変動サイクルが実行されたことを示す報知演出を実行させるようにしてもよい。なお、この場合、統括ＣＰＵ３１ａは、演出実行パターンＤ０に基づき変動サイクルにてステップアップ予告演出の表示画像を表示させないときには、当該報知演出を実行させないようにする必要がある。
【０２７５】
・上記実施形態では、連続予告演出中、最後の変動サイクルを除く各変動サイクル終了時には、変動サイクルが続くことを示すチャンス目の図柄組み合わせを一旦停止表示させていたが、はずれの図柄組み合わせであるならば、どのはずれの図柄組み合わせを表示させても良い。
【０２７６】
・上記実施形態において、連続予告演出中、演出実行パターンＤ０に基づく変動サイクルで、変動サイクルが続く可能性が高いことを示す強チャンス目の図柄組み合わせを表示させても良い。
【０２７７】
・上記実施形態では、連続回数報知演出及び音声予告演出を実行可能に構成したが、実行できなくても良い。
次に、上記実施形態及び別例から把握できる技術的思想を以下に追記する。
【０２７８】
（イ）上記遊技機において、前記予告演出表示手段は、連続予告演出中、最後の変動サイクルを除く各変動サイクル終了時には、大当り図柄及びリーチ図柄とは異なるはずれ図柄のうち、予め決められた図柄であって、変動サイクルが続くことを示すチャンス図柄を一旦停止表示させるようにしてもよい。
【０２７９】
（ロ）上記遊技機において、前記予告演出表示手段は、連続予告演出中、各変動サイクルにて現在の変動サイクルの連続実行回数を示す連続回数報知演出を実行しやすくなるように構成されているようにしてもよい。
【０２８０】
（ハ）上記遊技機において、前記予告演出表示手段は、前記表示手段の表示色を変更させることにより変動サイクルの回数を示す連続回数報知演出を実行させるようにしてもよい。
【０２８１】
（ニ）上記遊技機において、発光演出を実行する発光手段を備え、前記予告演出表示手段は、前記発光手段の発光色を前記表示手段の表示色と同じ色に変更させることにより変動サイクルの回数を示す連続回数報知演出を実行させる用にしても良い。
【０２８２】
（ホ）上記問題点を解決する遊技機は、複数種類の図柄を変動表示させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起される遊技機において、前記大当り表示結果が表示されるか否かの可能性を示唆する予告演出を前記図柄変動ゲーム中に前記表示手段に表示させる予告演出表示手段を備え、前記予告演出は、１回の図柄変動ゲームにおいて、図柄の変動表示開始から図柄の一旦停止表示までを１回とする変動サイクルを予め決められた上限回数に達するまで、連続して実行し、前記変動サイクルの上限回数によって前記大当り表示結果が表示されるか否かの可能性が変化する連続予告演出と、当該連続予告演出の変動サイクルの回数を示す連続回数報知演出を含み、前記予告演出表示手段は、大当り信頼度が高い場合には、変動サイクルの上限回数が少ない連続予告演出より変動サイクルの上限回数が多い連続予告演出を実行させやすくなっている一方、大当り信頼度が低い場合には、変動サイクルの上限回数が多い連続予告演出より変動サイクルの上限回数が少ない連続予告演出を実行させやすくなっていると共に、連続予告演出中、変動サイクルが実行される際、当該連続予告演出にて実行される変動サイクルの上限回数以下の回数を示す連続回数報知演出を実行させることを特徴とする。
【０２８３】
（ヘ）上記遊技機において、前記予告演出表示手段は、図柄変動ゲームが大当りとなる場合、各変動サイクルにて現在の変動サイクルの連続実行回数以下の回数を示す連続回数報知演出を実行可能に構成されている一方、図柄変動ゲームがはずれとなる場合、各変動サイクルにて現在の変動サイクルの連続実行回数以上の回数を示す連続回数報知演出を実行するようにしてもよい。
【０２８４】
（ト）上記遊技機において、前記予告演出表示手段は、図柄変動ゲームにてリーチ演出が行われる場合、上限回数が２回以上の連続予告演出を実行させるようにしてもよい。
（チ）上記遊技機において、遊技機全体を制御する主制御装置と、前記主制御装置からの制御信号に基づき各種制御を実行する副制御装置を備え、前記主制御装置は、図柄変動ゲームが大当りとなるか否かを判定する大当り判定手段と、前記大当り判定手段の判定結果に基づき、図柄変動ゲームの演出時間を特定する変動パターンを決定する変動パターン決定手段と、変動パターン決定手段により決定された変動パターンを出力する出力手段を備え、前記副制御装置は、前記予告演出表示手段を制御する演出制御手段を備え、前記変動パターンが決定されることにより、前記連続予告演出が実行されるか否かが決定され、前記演出制御手段は、前記出力手段により出力された変動パターンに基づき、前記連続予告演出を実行させる場合には、当該連続予告演出の演出内容を決定すると共に前記連続回数報知演出の演出内容を決定するように構成され、前記予告演出表示手段は、前記演出制御手段の決定内容に基づき、連続予告演出及び連続回数報知演出を実行させるようにしてもよい。
【０２８５】
（リ）上記遊技機において、前記演出制御手段は、変動サイクルが実行される毎に、前回の連続回数報知演出の演出内容に係わらず、各変動サイクルに対応付けられた連続回数報知演出の演出内容を特定する演出実行パターンの中から演出実行パターンを決定し、当該演出実行パターンに基づき、連続回数報知演出の演出内容を決定するようにしてもよい。
【符号の説明】
【０２８６】
Ｈ０…第１特図表示器（表示手段）、Ｈ１…第２特図表示器（表示手段）、Ｈ２…可変表示器（表示手段）、Ｈ１０…普図表示装置（普通図柄表示手段）、ＳＥ１…第１始動口センサ、ＳＥ２…第２始動口センサ、１０…パチンコ機、２０…センター役物、２３…作動ゲート、２５…第１始動入賞口（第２始動手段）、２７…第２始動入賞口（第１始動手段）、２８…大入賞口扉、２９…大入賞口装置、３０…主制御基板（主制御手段）、３０ａ…メインＣＰＵ（普通図柄制御手段、開放制御手段、大当り遊技付与手段、変動パターン指定手段）、３０ｃ…ＲＡＭ（普通図柄保留記憶手段）、３１…統括制御基板、３１ａ…統括ＣＰＵ（報知内容決定手段、予告判定手段）、３１ｂ…ＲＯＭ、３１ｃ…ＲＡＭ、３２…表示制御基板、３２ａ…サブＣＰＵ。
【図１】
0005487285.tif 000002
【図２】
0005487285.tif 000003
【図３】
0005487285.tif 000004
【図４】
0005487285.tif 000005
【図５】
0005487285.tif 000006
【図６】
0005487285.tif 000007
【図７】
0005487285.tif 000008
【図８】
0005487285.tif 000009
【図９】
0005487285.tif 000010
【図１０】
0005487285.tif 000011
【図１１】
0005487285.tif 000012
【図１２】
0005487285.tif 000013
【図１３】
0005487285.tif 000014
【図１４】
0005487285.tif 000015
【図１５】
0005487285.tif 000016
【図１６】
0005487285.tif 000017
【図１７】
0005487285.tif 000018
【図１８】
0005487285.tif 000019
【図１９】
0005487285.tif 000020
【図２０】
0005487285.tif 000021
【図２１】
0005487285.tif 000022
【図２２】
0005487285.tif 000023
【図２３】
0005487285.tif 000024